(57)【要約】【課題】  確実に占積率を演算することができる輸送機械設計支援装置及び輸送機械設計支援プログラムを提供する。【解決手段】  設計支援ＤＢを構成するデータベースには、系統検索・登録ＤＢ、電線台帳登録ＤＢ、配管ダクト台帳登録ＤＢ等がある。系統検索・登録ＤＢには、輸送機械内の系統、経路ごとに、着目機器と、相手側機器と、その間に配線される電線とに関する情報が登録される。電線台帳登録ＤＢには、電線とその電線の断面積が関連付けられて登録される。配管ダクト台帳登録ＤＢには、経路に配置される配管・ダクトの有効断面積が形状記号と関連付けられて登録される。処理部７は、これらのデータベースを参照し、特定の経路に配置される配線ダクトにおける占積率を、その経路を通る電線の断面積の総和と配管ダクトの有効断面積から求める。【選択図】  図６１
2005182729.tif 000002
【特許請求の範囲】
【請求項１】
電線収容路を識別する電線収容路識別情報と、前記電線収容路の断面積に関するデータとが関連付けられて登録される電線収容路データベースと、
電線を識別する電線識別情報と、前記電線の断面積に関するデータとが関連付けられて登録される電線情報データベースと、
前記電線収容路識別情報と、前記電線収容路識別情報によって識別される電線収容路に収容される電線を識別する電線識別情報とが関連付けられて登録される電線収容情報データベースと、
電線収容路における電線が占める割合を示す占積率を演算する占積率演算手段とを備え、
前記占積率演算手段は、特定の電線収容路における占積率を演算するにあたり、前記電線収容情報データベースを参照して前記特定の電線収容路に収容される電線の電線識別情報を抽出し、前記電線情報データベースを参照して前記抽出された前記電線識別情報と関連付けられて登録された前記電線の断面積に関するデータを抽出し、前記電線収容路データベースを参照して前記特定の電線収容路に関連付けられた断面積に関するデータを抽出するとともに、前記抽出された前記電線の断面積に関するデータに基づいて前記特定の電線収容路に収容される前記電線の断面積の総和を演算し、この電線の断面積の総和と前記特定の電線収容路の断面積とに基づいて、前記特定の電線収容路の占積率を演算することを特徴とする輸送機械設計支援装置。
【請求項２】
前記電線収容情報データベースは、輸送機械における起点機器、終点機器、前記起点機器と前記終点機器との間に配線される電線の電線識別情報、及び前記起点機器と前記終点機器との間に配線される前記電線が通る経路を識別する経路情報を関連付けて登録し、
前記占積率演算手段は、特定の経路に配置される電線収容路の占積率を演算することを特徴とする請求項１に記載の輸送機械設計支援装置。
【請求項３】
前記占積率演算手段によって演算された前記占積率と占積率閾値とを比較する比較手段と、
前記占積率演算手段による演算結果に基づいて前記輸送機械の各電線収容路における前記占積率を出力すると共に、前記比較手段による前記占積率と前記占積率閾値との比較結果を出力する占積率出力手段と、
を備えることを特徴とする請求項１又は２に記載の輸送機械設計支援装置。
【請求項４】
電線収容路を識別する電線収容路識別情報と、前記電線収容路の断面積に関するデータとが関連付けられて登録される電線収容路データベースと、
電線を識別する電線識別情報と、前記電線の断面積に関するデータとが関連付けられて登録される電線情報データベースと、
前記電線収容路識別情報と、前記電線収容路識別情報によって識別される電線収容路に収容される電線を識別する電線識別情報とが関連付けられて登録される電線収容情報データベースと、
を備える輸送機械設計支援装置に対し、占積率の演算を実行させる輸送機械設計支援プログラムであって、
特定の電線収容路における占積率を演算するにあたり、前記電線収容情報データベースを参照させて前記特定の電線収容路に収容される電線の電線識別情報を抽出させ、前記電線情報データベースを参照させて前記抽出された前記電線識別情報と関連付けられて登録された前記電線の断面積に関するデータを抽出させ、前記電線収容路データベースを参照させて前記特定の電線収容路に関連付けられた断面積に関するデータを抽出させるとともに、前記抽出された前記電線の断面積に関するデータに基づいて前記特定の電線収容路に収容される前記電線の断面積の総和を演算させ、この電線の断面積の総和と前記特定の電線収容路の断面積とに基づいて、前記特定の電線収容路の占積率を演算させることを特徴とする輸送機械設計支援プログラム。
【発明の詳細な説明】
【技術分野】
【０００１】
本発明は、特に占積率を演算する輸送機械設計支援装置及び輸送機械設計支援プログラムに関する。
【背景技術】
【０００２】
鉄道車両等、輸送機械の配線図の確認事項として占積率の確認がある。占積率とは、電気機器間に接続される電線が収容されている配管やダクトにおいて、配管やダクトの断面積に対する電線の断面積が占める割合のことをいう。この占積率が高くなりすぎると、配管やダクトに電線が整然と収まらなくなるという問題を引き起こす。そのため、輸送機械の設計において、事前に占積率を確認する必要がある。
【０００３】
従来、輸送機械の設計においては、ツナギ図（繋ぎ図）又は配線図から配管あるいはダクトに収容される電線を読み取り、電線すべての断面積を手計算によって求めたうえで、占積率を演算していた。なお、輸送機械に設置される各種機器同士間を結ぶ電線の配線情報を編集するシステムは知られている（例えば、特許文献１）。
【特許文献１】特許第３３５００３３号公報
【発明の開示】
【発明が解決しようとする課題】
【０００４】
しかしながら、上記のように、車両設計用の膨大なツナギ図又は配線図から必要な情報を読み取って演算漏れのないように占積率を求めるには相当数の担当者のチェックが必要となるため、相当の労力と時間がかかり煩雑にすぎる。また、各配管、ダクトについての占積率が妥当な範囲にあるか否かについての確認も極めて煩雑である。
【０００５】
そこで、本発明は、確実に占積率を演算することができる輸送機械設計支援装置及び輸送機械設計支援プログラムを提供することを目的とする。
【課題を解決するための手段】
【０００６】
本発明に係る輸送機械設計支援装置は、電線収容路を識別する電線収容路識別情報と、電線収容路の断面積に関するデータとが関連付けられて登録される電線収容路データベースと、電線を識別する電線識別情報と、電線の断面積に関するデータとが関連付けられて登録される電線情報データベースと、電線収容路識別情報と、電線収容路識別情報によって識別される電線収容路に収容される電線を識別する電線識別情報とが関連付けられて登録される電線収容情報データベースと、電線収容路における電線が占める割合を示す占積率を演算する占積率演算手段とを備え、占積率演算手段は、特定の電線収容路における占積率を演算するにあたり、電線収容情報データベースを参照して特定の電線収容路に収容される電線の電線識別情報を抽出し、電線情報データベースを参照して抽出された電線識別情報と関連付けられて登録された電線の断面積に関するデータを抽出し、電線収容路データベースを参照して特定の電線収容路に関連付けられた断面積に関するデータを抽出するとともに、抽出された電線の断面積に関するデータに基づいて特定の電線収容路に収容される電線の断面積の総和を演算し、この電線の断面積の総和と特定の電線収容路の断面積とに基づいて、特定の電線収容路の占積率を演算することを特徴とする。
【０００７】
この構成によれば、輸送機械において配線に使用される電線収容路とその断面積に関するデータとを電線収容路データベースに登録して管理でき、電線とその断面積に関するデータとを電線情報データベースに登録して管理でき、電線とその電線が収容される電線収容路を電線収容情報データベースに登録して管理できると共に、これらのデータベースに登録された情報を活用して、占積率演算手段により特定の電線収容路における占積率が演算される。
【０００８】
このような輸送機械設計支援装置において、電線収容情報データベースは、輸送機械における起点機器、終点機器、起点機器と終点機器との間に配線される電線の電線識別情報、及び起点機器と終点機器との間に配線される電線が通る経路を識別する経路情報を関連付けて登録し、占積率演算手段は、特定の経路に配置される電線収容路の占積率を演算することよい。この構成により、起点機器から終点機器にかけて配線される電線とその電線が通る経路の関係を電線収容情報データベースに登録して管理することができると共に、占積率演算手段によって、電線収容情報データベースに登録された経路のうち特定の経路に配置される電線収容路の占積率が演算される。
【０００９】
さらに、輸送機械設計支援装置は、占積率演算手段によって演算された占積率と占積率閾値とを比較する比較手段と、占積率演算手段による演算結果に基づいて輸送機械の各電線収容路における占積率を出力すると共に、比較手段による占積率と占積率閾値との比較結果を出力する占積率出力手段とを備えるとよい。この構成により、比較手段によって占積率と占積率閾値とが比較され、占積率出力手段によって各電線収容路における占積率が出力されると共に、占積率と占積率閾値との比較結果が出力される。したがって、占積率が占積率閾値を超えている電線収容路を確認することができる。
【００１０】
また、本発明に係る輸送機械設計支援プログラムは、電線収容路を識別する電線収容路識別情報と、電線収容路の断面積に関するデータとが関連付けられて登録される電線収容路データベースと、電線を識別する電線識別情報と、電線の断面積に関するデータとが関連付けられて登録される電線情報データベースと、電線収容路識別情報と、電線収容路識別情報によって識別される電線収容路に収容される電線を識別する電線識別情報とが関連付けられて登録される電線収容情報データベースとを備える輸送機械設計支援装置に対し、占積率の演算を実行させる輸送機械設計支援プログラムであって、特定の電線収容路における占積率を演算するにあたり、電線収容情報データベースを参照させて特定の電線収容路に収容される電線の電線識別情報を抽出させ、電線情報データベースを参照させて抽出された電線識別情報と関連付けられて登録された電線の断面積に関するデータを抽出させ、電線収容路データベースを参照させて特定の電線収容路に関連付けられた断面積に関するデータを抽出させるとともに、抽出された電線の断面積に関するデータに基づいて特定の電線収容路に収容される電線の断面積の総和を演算させ、この電線の断面積の総和と特定の電線収容路の断面積とに基づいて、特定の電線収容路の占積率を演算させることを特徴とする。
【００１１】
この輸送機械設計支援プログラムによれば、輸送機械において配線に使用される電線収容路とその断面積に関するデータとを電線収容路データベースに登録して管理でき、電線とその断面積に関するデータとを電線情報データベースに登録して管理でき、電線とその電線が収容される電線収容路を電線収容情報データベースに登録して管理できる輸送機械設計支援装置に対して、輸送機械設計支援プログラムを実行させることにより、各データベースに登録された情報を活用して、特定の電線収容路における占積率を演算させることができる。
【発明の効果】
【００１２】
本発明によれば、確実に占積率を確認することができる。
【発明を実施するための最良の形態】
【００１３】
以下、図面を参照して、本発明の好適な輸送機械設計支援装置について詳細に説明する。本実施形態では、輸送機械として鉄道車両を例に挙げ、鉄道車両を設計するために輸送機械設計支援装置を用いる例を示す。なお、輸送機械設計支援装置は、輸送機械設計支援プログラムに基づいて各種処理を実行する。
【００１４】
１．輸送機械設計支援装置の構成
まず、本実施形態に係る輸送機械設計支援装置の構成について説明する。図１は、本実施形態に示す輸送機械設計支援装置１の機能ブロック図であり、輸送機械設計支援プログラムに基づいて輸送機械設計支援装置１の処理が実行される。輸送機械設計支援装置１には、台帳登録データベース２（以下、「データベース」を「ＤＢ」と略す）、形式登録ＤＢ３、及び配線データ入力ＤＢ４を備える。これらのデータベース２〜４は、処理部７からの参照を受け、必要とされる情報を処理部７へ出力する他、処理部７から出力された情報を登録する。これらのデータベース２〜４により設計支援データベースが構成される。
【００１５】
また、操作部８は、キーボード及びマウスから構成される。マウスによって表示部９に表示されるカーソルを画面上で移動させることができ、カーソルを入力枠に位置させクリックすることによって、その入力枠に文字、記号、数値等を入力することができるように入力枠をアクティブにすることができる。また、マウスによって画面上の各種ボタンに位置させクリックすることができる。ボタンがクリックされると、そのボタンがクリックされたことを示す信号（クリック操作信号）が操作部８から処理部７へ送信され、処理部７（機器設定照合手段、電線情報照合手段、接続可能電線本数判定手段、接続可能電線サイズ判定手段、配線判定手段、占積率演算手段、比較手段）は、表示部９に対する画面の展開、入力枠に入力された情報のデータベースへの登録、データの突合せ、占積率の演算等、所定の処理を行うようになっている。
【００１６】
さらに、各データベース２〜４に登録された情報は、処理部７によって読み出され、必要に応じてさらに処理されて、所定のフォーマットによって表示部９に処理される。そして、操作部８の操作によって、表示部９に表示されている画面がプリンター１０に印刷されるようになっている。なお、輸送機械設計支援装置１は、物理的には、ＣＰＵ（中央処理装置）、メモリ、ディスプレイ、キーボード、マウス、プリンター等を備えて構成される。
【００１７】
２．データベースの構成
次に、台帳登録ＤＢ２、形式登録ＤＢ３、及び配線データ入力ＤＢ４の構成について説明する。
【００１８】
（２−１）  台帳登録ＤＢ２
台帳登録ＤＢ２は、鉄道車両の製造に用いられる電気部品、電線、配管・ダクト等の部品の諸情報を登録するデータベースである。台帳登録ＤＢには、名称台帳登録ＤＢ、部品形式台帳登録ＤＢ、電線台帳登録ＤＢ、配管・ダクト台帳登録ＤＢ、及びアイテム／機器名称登録ＤＢが備えられている。これらのデータベースについて説明する。
【００１９】
（２−１−ａ）  名称台帳登録ＤＢ
名称台帳登録ＤＢは、鉄道車両の製造に用いる電気部品等の略語及び名称その他の関連情報を対応付けて登録するデータベースである。具体的には、名称区分と名称区分名とが対応付けられて登録され、その名称区分に属する各電気部品の略号、名称、その電気部品に関する特記事項（記事）が対応付けられて登録される。この名称台帳登録ＤＢには、様々な提供先に提供する種々の鉄道車両に共通して用いる電気部品も登録される。また、記事としては、例えば、電気部品がこれまでに鉄道車両の部品として採用されてきた実績に関する情報などである。電気部品としては、継電器、スイッチ、電磁弁等が例示される。
【００２０】
（２−１−ｂ）  部品形式台帳登録ＤＢ
部品形式台帳登録ＤＢは、鉄道車両の製造に用いられる電気部品毎に、定格電圧等の特性、接続する電線の適切なサイズ範囲、及び電線を接続することができる本数等を対応付けて登録するデータベースである。この部品形式台帳登録ＤＢは、電気部品に接続される電線の本数、サイズが適切であるかどうかを確認するのに用いられる。具体的には、部品形式台帳登録ＤＢには、車両製造に用いられる電気部品の部品グループ毎に、その部品グループに属する部品形式と部品名称とが登録され、さらにその部品の製造メーカ、使用、回路属性、定格電圧、負荷容量、消費電流、記事（部品に関する特記事項）、参照ファイル名、部品図や使用書を電子ファイル化した電子ファイルが対応付けられて登録される。また、その部品に電線と接続される接点の情報として、接点のポジション（ピン・ナンバー）毎に、接点の名称、接続タイプ、その接点における定格電流、接続可能電線サイズ（接点に接続することができる電線の大きさの範囲）、接続可能本数（接点に接続することができる電線の本数）、及び記事（そのポジションに関する特記事項）が関連付けられて登録される。
【００２１】
（２−１−ｃ）  電線台帳登録ＤＢ
電線台帳登録ＤＢ（電線情報データベース）は、鉄道車両の製造に用いられる電線に関する情報を登録するデータベースである。具体的には、電線区分毎に、その電線区分に属する電線の電線種類略号、電線種類名称、その電線のメーカ（電線メーカ）、仕様を識別するコード、記事（電線に関する特記事項）、参照ファイル名が関連付けられて登録される。さらに、電線区分、電線種類略号、電線種類名称、電線メーカ、及び仕様で特定される電線にも種々の電線が存在し、それらの電線を識別するため、電線のサイズ名称（サイズを識別する名称）、計算用サイズ（占積率を計算する際に用いられる電線の断面積）、外皮色（電線を被覆する外皮の色）、外径、単位長さ当たりの電線質量、記事（電線に関する特記事項）が関連付けられて登録される。また、芯線を含む多芯線やシールド線には、多芯線であるかシールド線であるかを区別する区分、芯線の外皮色又はシールド・ナンバー、芯径（芯線の直径）、及び記事（芯線に関する特記事項）が関連付けられて登録される。この電線台帳登録ＤＢは、占積率の演算、電気部品管の結線、鉄道車両の検証等に用いられる。
【００２２】
（２−１−ｄ）  配管・ダクト台帳登録ＤＢ
配管・ダクト台帳登録ＤＢ（電線収容路データベース）は、鉄道車両の製造に用いられる配管あるいはダクト（電線収容路）毎に、配管あるいはダクトに関する情報を対応付けて登録するデータベースである。具体的には、配管・ダクトのタイプ毎に形状記号、呼称、外径、内径、ブッシュ内径、厚さ、有効断面積、定尺長、単位長さ当たりの質量、縦（外法）（ダクトの縦断面の外法寸法）、横（外法）（ダクトの横断面の外法寸法）、材質、及び許容占積率が関連付けられて登録される。配管・ダクト台帳登録ＤＢは、占積率の演算、配線経路の検証等に用いられる。なお、配管・ダクトは、電気部品間を結ぶ電線を収容し、電線を保護するために用いられる。
【００２３】
（２−１−ｅ）  アイテム／機器名称登録ＤＢ
アイテム／機器名称台帳登録ＤＢは、鉄道車両の製造に用いられる機器を構成するアイテムのアイテム名称と略号を対応付けて登録するデータベースである。ここで、アイテムはブレーカー、リレー、スイッチ、室内灯等の電気部品、器具類であり、機器を構成する。鉄道車両の配線図に記載されるアイテム、電気機器等を識別する名称は、略号であったり、名称であったりする。すなわち、配線図には、種々のアイテム、電気機器等の略号あるいは名称が混在して表記されることが多い。しかも、製造した鉄道車両を提供する企業ごとに、アイテム、電気機器等の略号が異なることがある。そこで、アイテム／機器名称台帳登録ＤＢには、提供先企業ごとに、アイテム、電気機器等とその略号が対応づけられて登録される。具体的には、顧客略号毎に、その顧客で使用されているアイテムの略号、名称、記事（アイテムに関する特記事項）が登録される。なお、機器そのものがアイテムである場合、アイテム名称及びその略号は機器名称及びその略号と同じである
【００２４】
（２−２）  形式登録ＤＢ３
形式登録ＤＢ（使用登録データベース）３は、鉄道車両の提供先企業で採用されている形式に合わせて、車両ごとに、車両の構成、配線リストの補助的な情報を登録するデータベースである。形式登録ＤＢ３には、形式一覧ＤＢ、車種登録ＤＢ、工作号登録ＤＢ、図番登録ＤＢ、使用電線登録ＤＢ、デフォルト電線登録ＤＢ、使用機器登録ＤＢ、及び配線図リストＤＢが備えられている。これらのデータベースについて説明する。
【００２５】
（２−２−ａ）  形式一覧ＤＢ
形式一覧ＤＢは、鉄道車両の提供先企業毎に提供する車両の名称を登録するデータベースである。具体的には、鉄道車両の提供先企業略号又は名称、その提供先企業に提供する車両の略号、その車種の名称、記事（車両に関する特記事項）が関連付けられて登録される。
【００２６】
（２−２−ｂ）  車種登録ＤＢ
車種登録ＤＢは、車両に属する車種名、種別、部位等が登録されるデータベースである。具体的には、「形式」情報として特定される車両ごとに、車種と記事（車種に関する特記事項）が登録される。さらに、車種ごとにその車種に属する種別とその車種における各部位が登録される。部位としては、部位記号、部位名称、及び記事が関連付けられて登録される。さらには、部位ごとに、その部位を製造する担当が自社あるか他社であるかについての情報と、その部位に存在する経路に関する経路情報とが登録される。経路情報として、経路ごとに経路名、形状記号、許容占積率、及び記事（経路に関する特記事項）が関連付けられて登録される。なお、経路の情報は、配管・ダクト台帳登録ＤＢの一部の情報と共通に使用され、占積率の確認に使用される。
【００２７】
（２−２−ｃ）  工作号登録ＤＢ
工作号登録ＤＢは、鉄道車両の設計にあたって、設計変更に伴うツナギ図、配線図等の改訂版を管理するために用いられ、工作号登録ＤＢには工作号、版数等が登録されるデータベースである。具体的には、「形式」情報として特定される車両ごとに、その車両に関して作成された図面の工作号、版数、図面を社内手続上登録した登録日、記事（その工作号に関する特記事項）、対象車種／改訂記号、使用機器訂正の有無、及び版数の確定・未確定の情報が登録される。
【００２８】
（２−２−ｄ）  図番登録ＤＢ
図番登録ＤＢは、配線図を作成するときの元の情報となるツナギ図の図番に関する情報等が登録されるデータベースである。具体的には、図面に関して、「形式」情報として特定される車両ごとに、工作号、装置分類、及び図面情報が関連付けて登録される。さらに、図面情報として、装置番号、図面番号、図面名、記事（図面に関する特記事項）、追加版数、及び削除版数が関連付けて登録される。
【００２９】
（２−２−ｅ）  使用電線登録ＤＢ
使用電線登録ＤＢは、車両の製造に用いられる電線の種類、サイズ、通常使用電線量等の情報が登録されるデータベースである。具体的には、「形式」情報として特定される車両ごとに、その車両の製造に使用される電線の情報として、電線種類略号、電線種類名称、サイズ名称（電線のサイズ（直径）を識別する名称）、外皮色（電線を被覆する外皮の色）、手配量（電線を注文する長さ）、必要量（車両製造に必要な電線の長さ）、使用量（目安）（車両製造に使用される目安の電線量）、車種ごとの使用量（目安）、デフォルト電線長等が登録される。使用電線登録ＤＢに登録された情報から、「形式」で特定される車両の製造に用いることができる電線が管理されるほか、車両を製造するために必要な電線量（長さ）が管理される。
【００３０】
（２−２−ｆ）  デフォルト電線登録ＤＢ
デフォルト電線登録ＤＢには、「形式」情報として特定される車両ごとに、その車両において使用される回路、ケーブルの回路属性、電線種類略号、サイズ名称、外皮色の情報が関連付けられて登録される。このデフォルト電線登録ＤＢにより、回路別に使用すべき電線が分かる他、ツナギ図の情報を本装置に登録するためにかかる操作時間が軽減される。
【００３１】
（２−２−ｇ）  使用機器登録ＤＢ
使用機器登録ＤＢ（機器情報データベース）は、車両の製造に用いられる機器に関する情報が登録される。機器に関する情報として、機器を構成する器具（アイテム）に関する情報と、アイテムの接続部に関する情報とが登録される。具体的には、「形式」情報として特定される車両ごとに、その車両に使用される機器に関して、機器名略号、追番、機器名称、その機器が配置される部位の部位略号及び部位名、その機器を製造した部品メーカにおける形式（部品メーカ形式）、部品メーカ図番、車両提供先ユーザにおけるユーザ図番、部品表照合番号、参照ファイル、記事（機器に関する特記事項）、内作であるか否か外作であるか（結線を自社内で管理するかどうか）及びその機器が使用される対象車種が、関連付けられて登録される。また、「形式」情報として特定される車両ごとに、その車両に使用される機器に関して、機器名略号、追番、機器名称、その機器を構成するアイテム略号、アイテム名称、そのアイテムの部品形式、部品名称、記事（そのアイテムの特記事項）、機器の接続タイプ（コネクタであるか、端子台であるか、アイテムへの直接続であるか）、接続部名称、接続部の部品形式、部品名称、用途、及び部品図の電子ファイルが関連付けて登録される。
【００３２】
使用機器登録ＤＢは、部品形式台帳登録ＤＢとリンクされており、電気器具類であるアイテムに関する情報とそのアイテムの接続部に関する情報とが、使用機器登録ＤＢと部品形式台帳登録ＤＢとの間で共有されている。そのため、重複してこれらの情報を入力する作業が避けられる。
【００３３】
（２−２−ｈ）  配線図リストＤＢ
配線図リストＤＢは、配線図に関する情報が登録されるデータベースである。すなわち、配線図リストＤＢには、「形式」情報として特定される車両、車種ごとに、配線図の帳票名称、図面番号、注意事項、配布先、配布先への配布部数が関連付けられて登録される。さらに、配線図の工作号ごとに、社内で規定された出図の年月日、版数、訂正内容を識別する訂正記号、記事（工作号についての特記事項）、承認者名、審査者名、作成者名が関連付けられて登録される。
【００３４】
（２−３）  配線データ入力ＤＢ４
配線データ入力ＤＢ（配線情報データベース）４は、鉄道車両の製造に用いられる電気部品（アイテム）間の配線に関する情報を登録するデータベースである。特に、配線図の作成に必要とされる情報すなわち、配線の起点となるアイテム（機器類）及び終点となるアイテム（機器類）、配線に使用される電線等に関する情報が配線データ入力ＤＢ４に登録される。配線データ入力ＤＢ４には、ＦｒｏｍＴｏ情報登録ＤＢ、確認用線データ入力ＤＢ、確認データ突合せＤＢ、及び系統検索・登録ＤＢが備えられている。以下、これらのデータベースについて説明する。
【００３５】
（２−３−ａ）  ＦｒｏｍＴｏ情報登録ＤＢ
ＦｒｏｍＴｏ情報登録ＤＢ（起点／終点配線情報データベース）には、鉄道車両の製造において、配線の起点となるアイテム、終点となるアイテム、配線に使用される電線等に関する配線情報が登録される。具体的には、「形式」情報として特定される車両、工作号、使用される装置の装置番号、車種ごとに、起点・終点アイテム配線情報が関連付けられて登録される。起点・終点アイテム情報として、配線の起点側のアイテムである起点アイテム情報、配線される電線の線番号、親線番号、回路属性、電線手配方法、配線の終点側のアイテムである終点アイテム情報、車両の種別ごとの採用状況、追加された図面の版数、及び削除された図面の版数とが関連付けられて登録される。また装置番号には、その装置を表した図面の図番、図面名、及び電線の入力本数が関連付けられて登録される。また、起点アイテム情報又は終点アイテム情報に使用されるアイテムには、アイテム略号、アイテム名称、そのアイテムを使用する顧客（車両提供先企業）の顧客略号、及び記事（アイテムに関する特記事項）が関連付けられて登録される。さらに、配線される電線の情報として、電線の電線種類略号、電線種類名称、サイズ名称、外皮色、及び記事（電線種類に関する特記事項）が関連付けられて登録される。
【００３６】
（２−３−ｂ）  確認用線データ入力ＤＢ
確認用データ入力ＤＢ（機器／線情報データベース）には、「形式」情報として特定される車両、工作号、機器名略号で特定される機器ごと、その機器の接続部、その接続部に接続できる電線の許容電線サイズ、接続可能本数、接続部内の電線を接続するポジション、及び接続する電線の線番号などの接続部情報が関連付けられて登録される。
【００３７】
（２−３−ｃ）  確認データ突合せＤＢ
確認データ突合せＤＢは、「確認データ突合せ」画面（図４４参照）において、確認用線データ入力ＤＢ、ＦｒｏｍＴｏ情報登録ＤＢ、及び使用機器登録ＤＢが参照され、機器間、アイテム間における電線の結線情報が適正であるかどうかの結果が登録される。具体的には、「形式」情報として特定される車両、工作号、車種種別で特定される車種における結線情報として、確認用線データ入力ＤＢ、ＦｒｏｍＴｏ情報登録ＤＢ、及び使用機器登録ＤＢから読み出された機器名略号、追番、車種、種別、接続部名称、許容電線サイズ、接続可能本数、ポジション、線番号、親線番号が関連付けられて登録される。さらに、それぞれの配線情報について各データベースが突合わされて判定されたエラー結果として、エラーコード、及びそのエラー内容の他、そのエラーの取扱いを区別するエラースルー・チェックが関連付けられて登録される。
【００３８】
（２−３−ｄ）  系統検索・登録ＤＢ
系統検索・登録ＤＢ（電線収容情報データベース）は、機器間に配線される電線が車両中のどの系統のどの経路に配線されるかを登録するためのデータベースである。具体的には、「形式」情報として特定される車両、工作号、車種で特定される車種ごとに、各機器間に結線される電線が配線される車両中の部位、経路、記事（経路に関する特記事項）が関連付けられて登録される。系統検索・登録ＤＢでは、電線が配線される経路を検索するために、着目する機器と同じ電線が接続される相手側の機器、着目機器が配置される部位、検索する系統の範囲が設定可能になっている。機器に関する情報として機器名略号、追番、機器名称、回路属性、接続部、ポジション、配置される部位等が関連付けられて登録される。なお、系統は電線が接続される機器、接続部、回路属性によって決められ、系統上に設定される経路には配管・ダクトが敷設される。
【００３９】
また、ツイストケーブルや複合ケーブルなど、１本の電線に複数の芯線を有する電線に関する情報が、購入品であるか、機器付属品であるか、メーカ支給品であるか、ユーザ支給品であるか、内作であるかの情報と共に登録される。さらに、経路ごとに、経路に配置される配管・ダクトの断面積、電線が占める断面積、及び電線の断面積が配管・ダクトの断面積に占める割合（占積率）が登録される。なお、各断面積、占積率は処理部７（占積率演算手段、比較手段、占積率出力手段）によって演算される。
【００４０】
３．画面の階層構造について
上記各データベース２〜４から読み出される情報が処理部７によって表示部９に表示される画面は、図２〜図５に示されるように階層構造状に展開される。ここで、図２は台帳登録に関する画面の階層構造を示す図である。図３は形式登録に関する画面の階層構造を示す図である。図４は配線データ入力に関する画面の階層構造を示す図である。図５はリスト出力に関する画面の階層構造を示す図である。
【００４１】
４．各画面における利用
次に、表示部９に表示される各画面を参照しつつ、本装置について説明する。図６は、表示部９に表示されるメインメニュー画面９０である。この画面９０では、各種画面を選択することができるように、「台帳登録」ボタン９１、「形式登録」ボタン９２、「配線データ入力」ボタン９３、及び「リスト出力」ボタン９４が表示される。
【００４２】
なお、各画面において、データベースに情報を登録すべき必須項目の入力枠名は、赤で表示される。また、データベースに情報を登録すべき必須項目であって、且つキー項目（データベースから情報を読み取る等のためにキーとなる項目）の入力枠名は、青で表示される。この必須項目且つキー項目である入力枠に入力された情報が処理部７によって確定状態とされると、その入力枠に入力された情報は、確定状態が解除されない限り、書き換えられないようになっている。このように入力枠名の色によって、ユーザは、必須項目であるのか、必須項目且つキー項目であるのか、データベースへの登録は任意的な情報の項目であるのかが一目で分かる。
【００４３】
（１）  台帳登録系画面
台帳登録ＤＢ２が参照されて表示される台帳登録系画面について説明する。図６において、操作部８のマウスを用いて「台帳登録」ボタン９１をクリックすると、処理部７は図７に示す「台帳登録選択」メニュー画面１００を表示部９に表示させる。この「台帳登録選択」メニュー画面１００には、「名称台帳登録」ボタン１０１、「部品形式台帳登録」ボタン１０２、「電線台帳登録」ボタン１０３、「配管・ダクト台帳登録」ボタン１０４、「アイテム／機器名称台帳登録」ボタン１０５が表示される。これらのボタン１０１〜１０５は、図２に示す表示階層の符号２１，２３，２５，２８，２９に相当する。
【００４４】
（１−ａ）  「名称台帳登録」系画面
図７に示す「台帳登録選択」メニュー画面１００において、マウスを用いて「名称台帳登録」ボタン１０１をクリックすると、処理部７は、このクリック操作信号を受け、表示部９に対し、図８に示す「名称台帳登録」画面１１０を表示させる。「名称台帳登録」画面１１０において扱われる情報は、処理部７によって台帳登録ＤＢ２内の名称台帳登録ＤＢから読み出され、又は名称台帳登録ＤＢに登録される。この「名称台帳登録」画面１１０は、図２に示す表示階層の「名称台帳登録」２１に相当する。
【００４５】
略号と名称の対応について表示させるために、「名称台帳登録」画面１１０の画面上側には、次の入力枠が表示される（図８に示す符号、内容と共に列挙する）。
「名称区分」１１１：名称（電気部品、顧客等）に応じて付された区分番号（必須項目且つキー項目であり、入力枠名は青で表示されている）
「名称区分名」１１２：名称に応じて付された区分名（必須項目であり入力枠名は赤で表示されている）
「略号有効桁数」１１３：略号として用いることができる桁数（必須項目であり、入力枠は赤で表示されている（以下、簡略して表記する））
【００４６】
「名称区分」１１１の入力枠に、参照したい名称区分を入力することができるが、「一覧」ボタンをクリックすることで、名称台帳登録ＤＢに登録されている名称区分の一覧が表示され、その一覧から名称区分を選択できるようになっている。「名称区分」１１１に名称区分が入力された状態でキーボードのEnterキーが押されると、入力された名称区分がキー項目として確定し、「名称区分」１１１は入力不可状態となる。なお、名称区分を設定し直す場合には「入力クリア」１１５をクリックする。「入力クリア」１１５がクリックされると、「名称区分」１１１の入力されていた文字がクリアされ、入力可能状態となる。
【００４７】
なお、新たな名称区分を登録する場合は、必須項目である入力枠１１１〜１１３に新規の情報を入力し、名称台帳登録ＤＢに登録する。すなわち、「名称区分」１１１に新規の名称区分を入力し、「名称区分名」１１２にその名称区分に対応する名称区分名を入力し、「略号有効桁数」１１３に適切な略号の有効桁数を入力し、「登録」ボタン１１６をクリックする。すると、処理部７は、入力枠１１１〜１１３に入力された情報を読み取り、新規の名称区分に対応するデータ登録領域を名称台帳登録ＤＢに確保し、名称台帳登録ＤＢに登録する。
【００４８】
「名称区分」１１１が確定すると、処理部７は名称台帳登録ＤＢを参照し、確定した名称区分に属する次の情報を読み出し、「略号／名称」欄１１７にリスト状に表示させる。なお、図８では、電気部品の登録を例としている。
「略号」１１８：「名称区分」に関連して登録されている略号
「名称」１１９：「略号」に対応した名称
「表示順」１２０：リスト表示の順番
「記事」１２１：特記事項
【００４９】
図８に示す画面例では、「名称区分」“０１”、「名称区分名」“部品グループ”に該当するＮＦＢ、継電器、接触器、スイッチ、圧力スイッチ等について、それぞれの略号、名称等が対応付けられて「略号／名称」欄１１７にリスト状に表示されている。
【００５０】
新たな電気部品の略号、名称等を登録する場合には、「追加」ボタン１２２をマウスでクリックする。すると、処理部７は図９に示す「略号／名称登録」画面１３０を表示部９に表示させる。この「略号／名称登録」画面１３０は、図２に示す表示階層の「略号／名称登録」２２に相当する。
【００５１】
「略号／名称登録」画面１３０には、電気部品に関する次の入力枠が表示される。
「名称区分」１３１（図８の入力枠１１１に対応）
「名称区分名」１３２（図８の入力枠１１２に対応）
「略号有効桁数」１３３（図８の入力枠１１３に対応）
「名称略号」１３４（図８の表示枠１１８に対応：必須項目：赤）
「名称」１３５（図８の表示枠１１９に対応：必須項目：赤）
「表示順」１３６（図８の表示枠１２０に対応：必須項目：赤）
「記事」１３７（図８の表示枠１２１に対応）
【００５２】
「名称区分」１３１、「名称区分名」１３２、及び「略号有効桁数」１３３には、図８に示す「名称台帳登録」画面１１０において「追加」ボタン１２２がクリックされた時に表示されていた対応する情報が表示され、「名称略号」１３４、「名称」１３５、及び「表示順」１３６に新規の情報を入力することができるように空欄となっている。したがって、これらの入力枠１３４〜１３７に新たな電気部品に関する情報を操作部８のキーボードを用いて入力する。なお、上述のように「記事」１２１の欄には、電気部品の採用実績情報等を入力することができる。入力後、「登録」ボタン１３８をクリックすることにより、入力枠１３１〜１３７に入力された各種情報は、処理部７の処理によって名称台帳登録ＤＢに関連付けられて登録されると共に、処理部７は図９に示す「略号／名称登録」画面１３０を終了させ、図８に示す「名称台帳登録」画面１１０を表示させる。なお、「終了」ボタン１３９は、図９に示す「略号／名称登録」画面１３０が表示された状態から、この「略号／名称登録」画面１３０を終了させ、図８に示す「名称台帳登録」画面１１０を表示させるためのボタンである。
【００５３】
図８において、「略号／名称」欄１１７にリスト表示された特定の電気部品に関する情報を変更する場合には、「略号／名称」欄１１７の中で変更したい電気部品に関する情報がリスト表示された行にカーソルを合わせてクリックする。処理部７はそのクリック操作により選択された行の色を反転させる。図８では、「表示順」“１”にリストされた「略号」“ＮＦＢ”，「名称」“ＮＦＢ”を表示した行が選択されることにより反転している。このように選択された行が反転している状態で、「変更」ボタン１２３がクリックされると、処理部７はそのクリック操作信号を受け、図９に示す「略号／名称登録」画面１３０を表示部９に表示させる。「名称区分」等の入力枠１３１〜１３７には、図８の「略号／名称」欄１１８において選択された行に表示された情報と同じ情報が表示される。ユーザは、図９に示す「略号／名称登録」画面１３０において、変更したい入力枠１３１〜１３７に、操作部８のマウスを用いてカーソルを合わせてクリックすることでその入力枠をアクティブにし、操作部８のキーボードで変更したい内容に書き換える。さらに、「登録」ボタン１３８を操作部８のマウスによってクリックすると、「略号／名称登録」画面１３０に入力した変更後の情報が、処理部７によって読み取られ名称台帳登録ＤＢに対応付けられて登録されると共に、処理部７は図９に示す「略号／名称登録」画面１３０を終了させ、図８に示す「名称台帳登録」画面１１０を表示部９に表示させる。
【００５４】
また、図８において、「略号／名称」欄１１７にリスト表示された特定の電気部品に関する情報を削除する場合には、ユーザは、「略号／名称」欄１１７のリストの中で削除する電気部品に関する情報が表示された行をカーソルで選択して反転する。さらに、ユーザは「削除」ボタン１２４を操作部８のマウスを用いてクリックする。すると、処理部７は、「略号／名称」欄１１７からその行の電気部品に関する情報の表示を消去するとともに、選択された行の情報を名称台帳登録ＤＢから削除する。
【００５５】
「名称台帳登録」画面１１０において、ユーザは電気部品情報の参照、追加、変更、削除等の作業を終えると、「終了」ボタン１２５をクリックする。すると、処理部７は表示部９に、図７に示す「台帳登録選択」メニュー画面１００を表示させる。
【００５６】
（１−ｂ）  「部品形式台帳登録」系画面
図１０に示す「部品形式台帳登録」画面１５０は、図７に示す「台帳登録選択」メニュー画面１００の「部品形式台帳登録」ボタン１０２がクリックされることにより表示される。「部品形式台帳登録」画面１５０において扱われる情報は、処理部７によって部品形式台帳登録ＤＢから読み出され、又は部品形式台帳登録ＤＢに登録される。この「部品形式台帳登録」画面１５０は、図２に示す表示階層の「部品形式台帳登録」２３に相当する。
【００５７】
「部品形式台帳登録」画面１５０の画面上側には、次の入力枠が表示される。
「部品グループ」１５１：電気部品が属する部品グループ名（プルダウンメニューにより選択可能：必須項目：赤）
「部品形式」１５２：電気部品の部品形式（必須項目、且つキー項目：青）
「部品名称」１５３：電気部品の部品名称（必須項目：赤）
「製造メーカ」１５４：電気部品の製造メーカ名
「仕様」１５５：電気部品の仕様
「回路属性」１５６：電気部品の回路属性（プルダウンメニューにより選択可能：必須項目：赤）
「定格電圧」１５７：電気部品の定格電圧[Ｖ]
「負荷容量」１５８：電気部品の負荷容量[Ｗ]
「消費電流」１５９：電気部品の消費電流[Ａ]
「記事」１６０：電気部品の特記事項
「参照ファイル」１６１：電気部品に関する情報が記載された参照ファイル名
【００５８】
ここで、「部品形式」１５２には参照したい部品形式を入力することができるが、「一覧」ボタンをクリックすることで、部品形式台帳登録ＤＢに登録されている部品形式の一覧が表示され、その一覧から部品形式を選択できるようになっている。「一覧」ボタン１６５及び「入力クリア」ボタン１６６の機能は、図８に示す「名称台帳登録」１１０の「一覧」ボタン１１４及び「入力クリア」ボタン１１５と同様である。
【００５９】
入力枠１５１〜１６１に情報を入力した後、「登録」ボタン１６７をクリックすると、処理部７はこれらの情報を関連付けて部品形式台帳登録ＤＢに登録する。登録された情報は読み出しも可能である。
【００６０】
「部品形式台帳登録」画面１５０の画面下側の「接点情報」欄１７０には、部品形式台帳登録ＤＢから、「部品形式」１５２の情報によって特定される電気部品に関する次の接点情報が読み出されリスト表示される。
「ポジション」１７１：電線と接続される電気部品の接点のポジション・ナンバー
「名称」１７２：そのポジションの名称
「接続タイプ」１７３：その接点の接続タイプ
「定格電流」１７４：その接点における定格電流
「接続可能電線サイズ」１７５：その接点に接続できる電線のサイズ（上限）
「接続可能本数」１７６：その接点に接続できる電線の本数
【００６１】
図１０に示す画面例では、「部品グループ」１５１“ＲＹ”（リレー）、「部品形式」１５２“ＲＬ７８２Ｅ−１”で特定される電気部品の接点情報が「接点情報」１７０にリスト表示されている。
【００６２】
なお、「接続可能本数」１７６において、接点に接続できる電線の本数が複数本ある場合があるのは、電気部品の接続が端子接続であって１つのポジションから異なる複数の相手先電気部品に接続できるようにコネクタが複数取り付けられているため、或いは端子台の１つのポジションを介してそのポジションに接続される複数の電線に電気を送電することができるように圧着端子が複数取り付けられているため等、その部品の役割による。
【００６３】
新たな接点情報を登録する場合には、「追加」ボタン１８０を操作部８のマウスでクリックする。処理部７は、そのクリック操作信号を受け、図１１に示す「部品接点情報登録」画面１９０を表示部９に表示させる。この「部品接点情報登録」画面１９０は、図２に示す表示階層の「部品接点情報登録」２４に相当する。
【００６４】
「部品接点情報登録」画面１９０には、電気部品に関する次の入力枠が表示される。
「部品グループ」１９１（図１０の入力枠１５１に対応）
「部品形式」１９２（図１０の入力枠１５２に対応）
「部品名称」１９３（図１０の入力枠１５３に対応）
「ポジション」１９４（図１０の表示枠１７１に対応：必須項目：赤）
「ポジション名称」１９５（図１０の表示枠１７２に対応：必須項目：赤）
「接続タイプ」１９６（プルダウンメニューにより選択可能：図１０の表示枠１７３に対応：必須項目：赤）
「定格電流」１９７（図１０の表示枠１７４に対応）
「接続可能電線サイズ」下限の入力枠１９８（必須項目：赤）
「接続可能電線サイズ」上限の入力枠１９９（図１０の表示枠１７５に対応：必須項目）
「接続可能本数」２００（図１０の表示枠１７６に対応：必須項目：赤）
「記事」２０１：個々の部品についての特記事項
【００６５】
入力枠１９１〜１９３には、図１０の「部品形式台帳登録」画面１５０において「追加」ボタン１８０がクリックされた時に表示されていた対応する情報が表示され、入力枠１９４〜２０１に新規の情報を入力することができるようになっている。なお、「接続可能電線サイズ」１９８，１９９には、デフォルト値“０．００”が表示されるようになっているが、変更可能となっている。「記事」２０１の欄には、接点についての留意事項を記載することができる。各入力枠１９４〜２０１への入力後、「登録」ボタン２０５がクリックされると、入力枠１９１〜２０１に入力された各種情報は、処理部７によって読み取られ、部品形式情報登録ＤＢに関連付けられて登録されると共に、処理部７は図１１に示す「部品接点情報登録」画面１９０を終了させ、図１０に示す「部品形式台帳登録」画面１５０を表示させる。なお、「終了」ボタン２０６は、図１１に示す「部品接点情報登録」画面１９０が表示された状態から、この「部品接点情報登録」画面１９０を終了させ、図１０に示す「部品形式台帳登録」画面１５０を表示させるためのボタンである。
【００６６】
図１０において、「接点情報」欄１７０にリスト表示された特定のポジションに関する接点情報を変更する場合には、「接点情報」欄１７０のリストの中で変更したい接点情報が表示された行にカーソルを合わせてクリックする。処理部７はそのクリック操作により選択された行の色を反転させる。図１０では、「ポジション」“０１”の行が選択されることにより反転している。このように選択された行が反転している状態で、「変更」ボタン１８１がクリックされると、処理部７は図１１に示す「部品接点情報登録」画面１９０を表示部９に表示させる。入力枠１９１〜２０１に表示された内容は、図１０で選択された行に表示された接点情報の内容と同じである。つまり、「部品接点情報登録」欄１９０において、継電器の電線との接点位置は、「ポジション名称」１９５“コイル  ＋側”で表示されるように、コイルの＋極側であることが示されている。継電器の「接続タイプ」１９６は“端子台接続”と示されているように、継電器は端子台に接続されて電線と接続されることが示されている。また、継電器に接続できる電線のサイズは、「接続可能電線サイズ」１９８，１９９に表示されているように、０．１０〜２．００の範囲であることが示されている。また、継電器に接続できる電線の本数は、「接続可能本数」２００に表示されているように、“２”本であることが示されている。その他の種々の内容が「部品接点情報登録」欄１９０に示されている。
【００６７】
ユーザは、図１１に示す「部品接点情報登録」画面１９０において、変更したい入力枠１９５〜２０１に、操作部８のマウスを用いてカーソルを合わせてクリックすることでその入力枠をアクティブにし、操作部８のキーボードで変更したい内容に書き換える。さらに、ユーザは「登録」ボタン２０５を操作部８のマウスを用いてクリックする。すると、「部品接点情報登録」画面１９０に入力した変更後の情報が、処理部７によって読み取られ、部品形式台帳登録ＤＢに登録されると共に、処理部７は図１１に示す「部品接点情報登録」画面１９０を終了させ、図１０に示す「部品形式台帳登録」画面１５０を表示部９に表示させる。
【００６８】
図１０において、「接点情報」欄１７０に表示されたリストの中で、特定のポジションの接点情報を削除する場合、ユーザは、削除したい接点情報がリスト表示された行をカーソルで選択して反転させる。さらに、ユーザは「削除」ボタン１８１を操作部８のマウスを用いてクリックする。すると、処理部７は、「接点情報」欄１７０から選択された行の接点情報を消去するとともに、選択された行の接点情報を部品形式台帳登録ＤＢから削除する。
【００６９】
また、図１０に示す「部品形式台帳登録」画面１５０の画面上側に表示されている「部品形式」１５２、「部品名称」１５３等で特定される電気部品の部品図を参照したいときは、「部品図表示」ボタン１８５をクリックする。すると、処理部７は部品形式台帳登録ＤＢを参照して該当する電気部品の部品図を読み出し、表示部９にその部品図を表示させる。この表示される部品図は、紙に印刷された電気部品の部品図をスキャナで読み取ってTIFFファイル等に電子ファイル化されたものである。部品図に仕様が記載されていれば、その仕様も表示部９に表示され参照される。
【００７０】
「部品形式台帳登録」画面１５０において、電気部品の接点情報の参照、追加、変更、削除、部品図表示等の作業を終えると、ユーザは「終了」ボタン１８６をクリックする。処理部７は、「終了」ボタン１８６のクリック操作信号を受け、図７に示す「台帳登録選択」メニュー画面１００を表示させる。
【００７１】
（１−ｃ）  「電線台帳登録」系画面
図１２に示す「電線台帳登録」画面２１０は、図７に示す「台帳登録選択」メニュー画面１００の「電線台帳登録」ボタン１０３をクリックすることにより表示される。「電線台帳登録」画面２１０において扱われる情報は、処理部７によって電線台帳登録ＤＢから読み出され、又は電線台帳登録ＤＢに登録される。この「電線台帳登録」画面２１０は、図２に示す表示階層の「電線台帳登録」２５に相当する。
【００７２】
「電線台帳登録」画面２１０の画面上側には、次の入力枠が表示される。
「電線区分」２１１：電線の区分（プルダウンメニューにより選択可能：必須項目：赤）
「電線種類略号」２１２：電線の種類に応じて付された略号（必須項目且つキー項目：青）
「電線種類名称」２１３：電線種類の名称（必須項目：赤）
「電線メーカ」２１４：電線を製造したメーカ
「仕様」２１５：電線の仕様を識別するコード
「記事」２１６：電線に関する特記事項
「参照ファイル」２１７：電線に関する情報が記載された参照ファイル名
【００７３】
ここで、「電線種類略号」２１２に参照したい電線種類略号を入力することができるが、「一覧」ボタン２２１をクリックすることで、電線台帳登録ＤＢに登録されている電線種類略号の一覧が表示され、その一覧から電線種類略号を選択できるようになっている。「一覧」ボタン２２１及び「入力クリア」ボタン２２２の機能は、図８に示す「名称台帳登録」１１０の「一覧」ボタン１１４及び「入力クリア」ボタン１１５と同様である。
【００７４】
「電線種類略号」２１２に電線種類略号が入力されEnterキーがクリックされることにより電線種類略号が確定すると、その電線種類略号に関連付けられて登録された各情報が電線台帳登録ＤＢから読み出され入力枠２１４〜２１７に表示される。さらに、「電線台帳登録」画面２１０の画面下側に表示された「電線詳細」欄２２５には、確定した電線種類略号に該当する電線に関する次の情報が電線台帳登録ＤＢから読み出されリスト表示される。
「サイズ名称」２２６：電線のサイズ（直径）を識別する記号
「外皮色」２２７：電線を被覆した外皮の色
「外径」２２８：電線の外径 [ｍｍ]
【００７５】
図１２に示されている画面例では、「電線区分」２１１が“シールド線”であること、「電線種類名称」２１３が「遮へい付  ２芯ビニル電線」であること等に該当する電線毎に、「電線詳細」欄２２５に、サイズ名称、外皮色、及び外径がリスト表示されている。
【００７６】
なお、入力枠２１１〜２１７に新規の情報を入力した後、「登録」ボタン２２３をクリックすると、処理部７はこれらの情報を関連付けて電線台帳登録ＤＢに登録する。登録された情報は、読み出しも可能である。
【００７７】
新たに電線詳細に関する情報等を登録する場合には、「追加」ボタン２６０を操作部８のマウスでクリックする。すると、処理部７は図１３に示す「電線詳細登録」画面２４０を表示部９に表示させる。この「電線詳細登録」画面２４０は、図２に示す表示階層の「電線詳細登録」２６に相当する。「電線詳細登録」画面２４０には、電線に関する次の入力枠が表示される。
「電線区分」２４１（図１２の入力枠２１１に対応）
「電線種類略号」２４２（図１２の入力枠２１２に対応）
「電線種類名称」２４３（図１２の入力枠２１３に対応）
「サイズ名称」２４４（図１２の表示列２２６に対応：必須項目：赤）
「計算用サイズ」２４５：配管・ダクトに収容される電線の占積率を計算するために用いる電線の断面積 [ｍｍ２]（必須項目：赤）
「外径」２４７（図１２の表示列２２８に対応：必須項目：赤）
「単位長さ当たりの電線質量」２４８：単位長さ当たりの電線の質量 [ｋｇ／ｋｍ]（必須項目：赤）
「記事」２４９：サイズ名称等に関する特記事項
【００７８】
入力枠２４１〜２４３には、図１２の「電線台帳登録」画面２１０において「追加」ボタン２３０がクリックされたときの対応する情報が表示され、入力枠２４４〜２４９に新規の情報を入力することができるようになっている。入力枠２４４〜２４９への入力後、「登録」ボタン２５０がクリックされると、入力枠２４１〜２４９に入力された各情報は、処理部７によって読み取られ、各情報同士が関連付けられて電線台帳登録ＤＢに登録される。図１３に示す画面例では、「電線区分」２４１は“シールド線”、「電線種類略号」２４２は“ＷＶ１０２Ｓ”、「電線種類名称」２４３は「遮へい付  ２芯ビニル電線」２４３、「外皮色」２４６は“灰”色と入力されている。また、各種数値データが、「サイズ名称」２４４、「計算用サイズ」２４５、「外径」２４７、「単位長さ当たりの電線質量」２４８に入力されている。
【００７９】
「電線詳細登録」画面２４０の画面下側に表示された「電線芯線色」欄２５２には、同画面２４０の画面上側に示された電線がシールド線又は多芯線である場合に、シールド線や芯線に関する次の情報が表示される。
「区分」２５３：電線を構成するシールドや芯線の区分
「芯線色／シールドＮｏ．」２５４：電線を構成する各芯線に被覆された外皮の色、又は電線を構成するシールドのシールド・ナンバー
「芯径」２５５：電線を構成するシールドの径あるいは芯線の直径
【００８０】
これら「区分」２５３、「芯線色／シールドＮｏ．」２５４、及び「芯径」２５５の情報は、互いに対応付けられて電線台帳登録ＤＢに登録されており、電線台帳登録ＤＢから処理部７によって読み取られて表示される。
【００８１】
また、入力枠２５７，２５８には次の情報が表示される。
「芯数」２５７：芯線の本数
「シールド数」２５８：シールドの数
【００８２】
これら「芯数」２５７及び「シールド数」２５８の数値も、電線台帳登録ＤＢに登録されており、電線台帳登録ＤＢから処理部７によって読み取られて表示される。なお、「芯数」２５７及び「シールド数」２５８の数値は、「電線芯線色」２５４に関するデータの追加・削除に応じて処理部７によって計算され、電線台帳登録ＤＢに登録される。なお、「芯数」２５７及び「シールド数」２５８の数値は、表示の都度、処理部７によってカウントされるようにしてもよい。
【００８３】
図１３に示す画面例は「遮へい付  ２芯ビニル電線」の例である。その２芯ビニル電線は、芯線２本とそれを遮蔽するシールドで構成される。したがって、「電線芯線色」欄２５２において、「芯数」２５７には“２”本と表示され、「シールド数」２５８には“１”と表示されている。また、「区分」２５３には、２芯ビニル電線を構成する“シールド”及び２つの“芯線”が表示されている。さらに、「区分」２５３の“シールド”に対応させて、「芯線色／シールドＮｏ．」２５４には“シールド”と表示され、「芯径」２５５には“３．６０”と表示されている。「区分」２５３の２つの“芯線”それぞれに対応させて、「芯線色／シールドＮｏ．」２５４には、“黒”・“白”と表示されている。また、「区分」２５３の２つの“芯線”それぞれに対応させて、「芯径」２５５それぞれに“２．５０”と表示されている。これらの情報から、「２芯ビニル電線」の２本の芯線はいずれも同じ２．５０の直径を有し、２本の芯線を区別できるように、一方の芯線には黒色の外皮が被覆され、他方の芯線には白色の外皮が被覆されていることがわかる。
【００８４】
電線を構成するシールド、芯線等の芯線色、芯径のデータは、追加、変更、あるいは削除することができる。「電線芯線色」欄２５２の「追加」ボタン２６０を操作部８のマウスでクリックすると、処理部７は図１４に示す「電線芯線色登録」画面２７０を表示部９に表示させる。この「電線芯線色登録」画面２７０は、図２に示す表示階層の「電線芯線色登録」２７に相当する。「電線芯線色登録」画面２７０には、電線に関する次の入力枠が表示される。
「電線区分」２７１（図１３の入力枠２４１に対応）
「電線種類略号」２７２（図１３の入力枠２４２に対応）
「電線種類名称」２７３（図１３の入力枠２４３に対応）
「サイズ名称」２７４（図１３の入力枠２４４に対応）
「計算用サイズ」２７５（図１３の入力枠２４５に対応）
「外皮色」２７６（図１３の入力枠２４６に対応）
「区分」２７７（プルダウンメニューにより選択可能：図１２の表示枠２５３に対応：必須項目：赤）
「芯線色／シールドＮｏ．」２７８（図１３の表示枠２５４に対応：必須項目：赤）
「芯径」２７９（図１３の表示枠２５５に対応：必須項目：赤）
「記事」２８０：芯線色等に関する特記事項
【００８５】
入力枠２７１〜２７６には、図１３の「電線詳細登録」画面２４０において「追加」ボタン１８０がクリックされた時に表示されていた対応する情報が予め表示され、入力枠２７７〜２８０に新規の情報を入力することができるようになっている。入力枠２７７〜２８０への入力後「登録」ボタン２８２がクリックされると、処理部７は入力枠２７１〜２８０に入力された各種情報を読み取り、これらの情報を関連付けて電線台帳登録ＤＢに登録すると共に、処理部７は、図１４に示す「電線芯線色登録」画面２７０を終了させ、図１３に示す「電線詳細登録」画面２４０を表示させる。この場合、「電線芯線色登録」画面２７０において追加された情報が「電線芯線色」欄２５２に反映され、新規の情報として表示される。なお、「終了」ボタン２８３は、図１４に示す「電線芯線色登録」画面２７０が表示された状態から、この「電線芯線色登録」画面２７０を終了させ、図１３に示す「電線詳細登録」画面２４０を表示させるためのボタンである。
【００８６】
図１３において、「電線芯線色」欄２５２にリスト表示された特定の電線芯線色に関する情報を変更する場合には、変更したい情報が表示された行にカーソルを合わせてクリックする。処理部７はそのクリック操作により選択された行の色を反転させる。図１３では、「区分」２５３“シールド”の行が選択され、反転している。このように選択された行が反転している状態で、「変更」ボタン２６１がクリックされると、そのクリック操作信号が操作部８から処理部７に出力され、処理部７は図１４に示す「電線芯線色登録」画面２７０を表示部９に表示させる。入力枠２７１〜２８０に表示された内容は、図１３で選択された行に表示された電線芯線色情報の内容と同じである。ユーザは、図１４に示された「電線芯線色登録」画面２７０において、変更したい入力枠２７７，２７９，２８０に、操作部８のマウスを用いてカーソルを合わせてクリックすることでその入力枠をアクティブにし、操作部８のキーボードで変更したい内容に書き換える。さらに、ユーザは「登録」ボタン２８２を操作部８のマウスを用いてクリックする。すると、処理部７は、「電線芯線色登録」画面２７０に入力した変更後の情報を読み取り、電線台帳登録ＤＢに登録すると共に、処理部７は、図１４に示す「電線芯線色登録」画面２７０を終了させ、図１３に示す「電線詳細登録」画面２４０を表示部９に表示させる。
【００８７】
また、図１３において、「電線芯線色」欄２５２にリスト表示された特定の電線芯線色情報を削除する場合には、ユーザは削除したい電線芯線色情報が表示された行をカーソルで選択して反転させる。さらに、ユーザは「削除」ボタン２６２を操作部８のマウスを用いてクリックする。すると、処理部７は、「電線芯線色」欄２５２から、選択された行の電線芯線色情報の表示を消去するとともに、その選択された行の電線芯線色情報を電線台帳登録ＤＢから削除する。
【００８８】
「電線詳細登録」画面２４０において、電線に関する情報の追加、変更、削除等の作業を終えると、ユーザは「終了」ボタン２６３をクリックする。すると、処理部７は、表示部９に対し、図１２に示す「電線台帳登録」画面２１０を表示させる。
【００８９】
図１２において、「電線詳細」画面２２５にリスト表示された特定の電線詳細情報を変更する場合には、変更したい情報が表示された行にカーソルを合わせてクリックする。するとその行が選択され、色が反転する。このように選択された行が反転している状態で、「変更」ボタン２３１をクリックすると、そのクリック操作信号が操作部８から処理部７に出力され、処理部７は図１３に示す「電線詳細登録」画面２４０を表示部９に表示させる。ユーザは、図１３に示された「電線詳細登録」画面２４０において、入力枠２４５，２４７，２４９の入力内容を変更することができる。変更後、ユーザによって「登録」ボタン２５０がクリックされると、変更後の内容が電線台帳登録ＤＢに登録される。
【００９０】
図１２に戻って、「電線詳細」欄２２５にリスト表示された特定の電線詳細情報を削除する場合には、ユーザは、「電線詳細」欄２２５のリストの中で削除したい電線詳細情報が表示された行をカーソルで選択して反転させる。さらに、ユーザは「削除」ボタン２３２を操作部８のマウスを用いてクリックする。すると、処理部７は、「電線詳細」欄２２５から、選択された行の電線詳細情報の表示を消去するとともに、その選択された行の電線詳細情報を電線台帳登録ＤＢから削除する。
【００９１】
また、図１２の「電線台帳登録」画面２１０の画面上側に表示される「電線区分」２１１、「電線種類名称」２１３等で特定される電線の仕様書を参照したいときは、「仕様書表示」ボタン２３３をクリックする。すると、処理部７は、電線台帳登録ＤＢを参照して電線の仕様書を読み出し、表示部９にその仕様書を表示させる。この表示される仕様書は、紙に印刷された電線の仕様書をスキャナで読み取ってTIFFファイル等に電子ファイル化されたものである。
【００９２】
図１２の「電線台帳登録」画面２１０において、電線に関する情報の参照、追加、変更、削除等の作業を終え、ユーザにより「終了」ボタン２３４がクリックされると、処理部７は、表示部９に対し、図７に示す「台帳登録選択」メニュー画面１００を表示させる。
【００９３】
（１−ｄ）  「配管・ダクト台帳登録」系画面
図１５に示す「配管・ダクト台帳登録」画面２９０は、図７に示す「台帳登録選択」メニュー画面１００の「配管・ダクト台帳登録」ボタン１０４をクリックすることにより表示される。「配管・ダクト台帳登録」画面２９０において扱われる情報は、処理部７によって配管・ダクト台帳登録ＤＢから読み出され、又は配管・ダクト台帳登録ＤＢに登録される。なお、「配管・ダクト台帳登録」画面２９０は、図２に示す表示階層の「配管・ダクト台帳登録」２８に相当する。
【００９４】
「配管・ダクト台帳登録」画面２９０には、次の入力枠が表示される。
「タイプ」２９１：配管・ダクトのタイプ、種類の名称（プルダウンメニューにより選択可能：必須項目：赤）
「形状記号」２９２：配管・ダクトの形状を表す記号（必須項目且つキー項目：青）
「呼称」２９３：配管・ダクトの呼称
「外径」２９４：配管の外径  [ｍｍ]
「内径」２９５：配管の内径  [ｍｍ]
「ブッシュ内径」２９６：配管のブッシュの内径 [ｍｍ]
「厚さ」２９７：配管・ダクトの肉厚  [ｍｍ]
「有効断面積」２９８：配管・ダクトに電線を収容できる有効断面積（必須項目：赤）
「定尺長」２９９：配管・ダクトの定尺長  [ｍｍ]
「単位長さ当たりの質量」３００：配管・ダクトの単位長さ当たりの質量[ｋｇ／ｍ]
「縦（外法）」３０１：ダクトの縦断面の外寸法
「横（外法）」３０２：ダクトの横断面の外寸法
「材質」３０３：配管・ダクトの材質
「許容占積率」３０４：配管・ダクトに電線を収容したときに許容できる電線の占積率（占積率閾値）  [％]
【００９５】
ここで、「形状記号」２９２に参照したい形状記号を入力することができるが、「一覧」ボタン３０６をクリックすることで、配管・ダクト台帳登録ＤＢに登録されている形状記号の一覧が表示され、その一覧から形状記号を選択できるようにもなっている。「一覧」ボタン３０６及び「入力クリア」ボタン３０７の機能は、図８に示す「名称台帳登録」１１０の「一覧」ボタン１１４及び「入力クリア」ボタン１１５と同様である。
【００９６】
入力枠２９１〜３０４に適宜情報を入力した後、「登録」ボタン３０８をクリックすると、処理部７はこれらの情報を関連付けて配管・ダクト台帳登録ＤＢに登録する。登録された情報は、読み出しも可能である。
【００９７】
ここで、「有効断面積」は、配管・ダクトの内径によって決定されるがブッシュ内径も考慮されてよい。「有効断面積」は、配管・ダクトを収容する電線の占積率を求めるために用いられる。また、「許容占積率」は収容される電線同士の間に空間的余裕があるように決められる。そして、「許容占積率」は、配管・ダクトに電線を収容した場合の占積率と比較するために用いられ、配管・ダクトに収容される電線が過剰でないかどうかが判定される。
【００９８】
「配管・ダクト台帳登録」画面２９０において、配管・ダクトに関する情報の入力、変更、登録等の作業を終えると、ユーザは「終了」ボタン３０９をクリックする。すると、処理部７は、表示部９に対し、図７に示す「台帳登録選択」画面１００を表示させる。
【００９９】
（１−ｅ）  「アイテム／機器名称台帳登録」系画面
図１６に示す「アイテム／機器名称台帳登録」画面３１１は、図７に示す「台帳登録選択」メニュー画面１００の「アイテム／機器名称台帳登録」ボタン１０５をクリックすることにより表示される。「アイテム／機器名称台帳登録」画面３１１において扱われる情報は、処理部７によってアイテム／機器名称台帳登録ＤＢから読み出され、アイテム／機器名称台帳登録ＤＢに登録される。「アイテム／機器名称台帳登録」画面３１１は、図２に示す表示階層の「アイテム・機器名称台帳登録」２９に相当する。
【０１００】
「アイテム・機器名称台帳登録」画面３１１の画面上側には、次の入力枠が表示される。
「顧客略号」３１２：鉄道車両供給先である顧客の略号（必須項目且つキー項目：青）
「アイテム略号」３１３：アイテム・機器の略号（必須項目且つキー項目：青）
「アイテム名称」３１４：アイテム・機器の名称（必須項目：赤）
「記事」３１５：アイテム・機器の特記事項
【０１０１】
「顧客略号」３１２の選択後、「アイテム略号」３１３に参照したいアイテム略号を入力することができるが、「一覧」ボタン３１６をクリックすることで、アイテム／機器名称台帳登録ＤＢに登録されている顧客略号及びアイテム略号の一覧が表示され、その一覧から顧客略号及びアイテム略号を選択できるようになっている。これにより、顧客略号によって特定される顧客で使用されるアイテムのアイテム略号を選択することができる。「一覧」ボタン３１６及び「入力クリア」ボタン３１７の機能は、図８に示す「名称台帳登録」１１０の「一覧」ボタン１１４及び「入力クリア」ボタン１１５と同様である。
【０１０２】
入力枠３１２〜３１５に適宜情報を入力した後、「登録」ボタン３１８をクリックすると、処理部７はこれらの情報を関連付けてアイテム／機器名称台帳登録ＤＢに登録する。登録された情報は、読み出しも可能である。
【０１０３】
「アイテム・機器名称台帳登録」画面３１１の画面下側に表示される「参照」画面３２０を利用し、アイテム略号又はアイテム名称をキーワードとして、アイテム・機器名称台帳登録ＤＢから情報を読み出すことができる。すなわち、「アイテム略号」３２１（必須項目：赤で表示される）の入力枠にアイテム略号を入力し、「アイテム名称」３２２（必須項目：赤で表示される）の入力枠にアイテム名称を操作部８のキーボード、マウスを用いて入力する。そして、「検索」ボタン３２３をクリックする。処理部７は「検索」ボタン３２３のクリック操作信号を受け、アイテム・機器名称台帳登録ＤＢを参照し、キーワードとして入力されたアイテム略号及びアイテム名称と一致する情報を画面枠３２４にリスト状に表示する。画面枠３１４には、「アイテム略号」３２５、「アイテム名称」３２６、及び「顧客略号」３２７の順に、アイテム・機器名称台帳登録ＤＢの情報がリスト表示される。これにより、同じアイテム略号及びアイテム名称が異なる顧客にわたって使用されているか否かが分かる。
【０１０４】
さらに、「終了」ボタン３２８がクリックされると、処理部７は、表示部９に対し、図７に示す「台帳登録選択」メニュー画面１００を表示させる。
【０１０５】
（２）  形式登録系画面
形式登録ＤＢ３が参照されて表示される形式登録系画面について説明する。図６において、操作部８のマウスにより「形式登録」ボタン９２がクリックされると、処理部７は、図１７に示すように形式一覧ＤＢに登録されたデータを選択する「形式登録」画面３３０を表示部９に表示させる。この「形式登録」画面３３０は、図３に示す表示階層の「形式一覧」３１に相当する。
【０１０６】
図１７の「形式登録」画面３３０の画面上側には、次の入力枠が表示される。
「形式」３３１：鉄道車両の提供先企業略号又は名称（プルダウンメニューにより選択可能：必須項目且つキー項目：青）
「形式」３３２：鉄道車両の提供先企業での車両の略号（必須項目且つキー項目：青）
「名称」３３３：車両の名称（必須項目：赤）
「記事」３３４：車両に関する特記事項
【０１０７】
入力枠３３１〜３３４に情報を入力する方法は、各入力枠３３１〜３３４が空欄の状態で、又は「形式」３３１のプルダウンメニューにより提供先企業の略号・名称を選択した状態で、「一覧」ボタン３３６をクリックし、表示された「形式一覧」画面３５０（図１８参照）において一覧表示された形式、名称、記事を選択する。あるいは、「形式」３３１のプルダウンメニューにより提供先企業の略号・名称を選択し、「形式」３３２に直接キーボードによって入力した状態でEnterキーを押すと形式登録ＤＢに登録された名称及び記事が入力枠３３３，３３４にそれぞれ表示される。なお、Enterキーが押下されると、「形式」３３１，３３２は確定するためロックされ入力不可状態となる。「入力クリア」ボタン３３７は、確定した「形式」３３１，３３２の情報を解除し、空欄にするためのボタンである。「入力クリア」ボタン３３７をクリックすることにより入力枠３３１〜３３４がクリアされ、新規の情報を入力することができる。また、入力枠３３１〜３３４の内容を登録するときは、「登録」ボタン３３８をクリックする。すると、処理部７は、入力枠３３１〜３３４の情報を形式登録ＤＢの形式一覧ＤＢに登録する。
【０１０８】
（２−ａ）  「形式一覧」画面
図１８に示す「形式一覧」画面３５０は、図１７の「形式登録」画面３３０の「一覧」ボタン３３６をクリックすることで表示される。この「形式一覧」画面３５０の画面上側には、車両に関する次の入力枠が表示される。
「形式」３５１：鉄道車両の提供先企業略号又は名称（プルダウンメニューにより選択可能：図１７の入力枠３３１に対応）
「形式」３５２：鉄道車両の提供先企業での車両の種別を識別する略号（図１７の入力枠３３２に対応）
「名称」３５３：車両の名称（図１７の入力枠３３３に対応）
【０１０９】
この画面では、入力枠３５１〜３５３に入力された情報によって、車両の形式、名称に関する情報が検索されるようになっている。すなわち、ユーザは、入力枠３５１〜３５３に検索したい「形式」や「名称」を、操作部８のキーボード、マウスを用いて入力する。そして、「検索」ボタン３５４をクリックする。すると、処理部７は、「検索」ボタン３５４のクリック操作信号を受け、形式一覧ＤＢを参照し、入力枠３５１〜３５３に入力された情報に該当する情報を表示枠３５６にリスト状に表示させる。このように形式一覧ＤＢが参照され表示枠３５６に表示される情報は次の情報である。
「形式」３５７（図１７の入力枠３３１，３３２に対応）
「名称」３５８（図１７の入力枠３３３に対応）
「記事」３５９（図１７の入力枠３３４に対応）
【０１１０】
「形式一覧」画面３５０における検索では、入力枠３５１〜３５３に全て入力されなくとも一部の情報で検索可能である。入力枠３５１〜３５３が空欄の場合、「検索」ボタン３５４がクリックされることで、処理部７は登録されている「形式」−「名称」−「記事」の情報すべてを表示枠３５６に表示させる。なお、図１８の表示枠３５６は、リスト表示の一例を示している。例えばこのリスト表示の一番上のリストでは、「形式」３５７“ＴＣＣ  １０００”は、略号“ＴＣＣ”で表される提供先企業の形式であり、「名称」３５８に表示されているように車両の名称は“東急車輛１０００系”であることが示されている。
【０１１１】
「形式一覧」画面３５０の表示枠３５７に表示された情報の中から、図１７の「形式」３３１，３３２、「名称」３３３，「記事」３３４として確定したい「形式」−「名称」−「記事」の行を操作部８のマウスでクリックして選択する。処理部７はそのクリック操作により選択された行の色を反転させる。この状態で「確定」ボタン３６１がクリックされると、処理部７は、図１８に示す「形式一覧」画面３５０を終わらせ、表示部９に対し、図１７に示す「形式登録」画面を表示させると共に、図１８の表示枠３５６で選択された「形式」、「名称」、「記事」を入力枠３３１，３３２，３３３，３３４に表示させる。
【０１１２】
図１８の表示枠３５６において、形式に関する情報を削除する場合は、削除したい形式に関する情報が表示された行をカーソルで選択して反転させる。さらに、ユーザは「削除」ボタン３６２を操作部８のマウスを用いてクリックする。すると、処理部７は表示枠３５６から、選択された行の形式に関する情報の表示を消去するとともに、選択された行の情報を形式一覧ＤＢから削除する。また、「終了」ボタン３６３は、図１８の「形式一覧」画面３５０を終了させ、図１７に示す「形式登録」画面３３０を表示させるためのボタンである。
【０１１３】
図１８に示す「形式一覧」画面３５０において、図１７の入力枠３３１〜３３４に入力される情報が確定されると、形式登録系画面（図１９〜図３４）において処理対象とする特定の提供先企業の車両が特定されることになる。
【０１１４】
（２−ｂ）  「車種登録」系画面
図１９に示す「車種登録一覧」画面３７０は、図１７に示す「形式登録」画面３３０の「車種登録」ボタン３４０がクリックされることにより表示される。「車種登録一覧」画面３７０において扱われる情報は、処理部７によって車種登録ＤＢから読み出され、又、車種登録ＤＢに登録される。この「車種登録一覧」画面３７０は、図３に示す表示階層の「車種登録一覧」３２に相当する。
【０１１５】
「車種登録一覧」画面３７０の画面上側には、図１７の入力枠３３１，３３２に入力された提供先企業の略語と車両の略号が表示される「形式」３７１と、図１７の入力枠３３３に入力された車両の名称が表示される入力枠３７２とが表示される。図１９に示すように、入力枠３７１には、図１７に示す入力枠３３１，３３２に入力されていた“ＴＣＣ  １０００”と表示され、入力枠３７２には、図１７に示す入力枠３３３に表示されていた“東急車輛  １０００”と表示されている。
【０１１６】
「車種」欄３７４には、「形式」３７１，３７２に表示される車両に属する車種に関する情報がリスト状に表示される。すなわち、処理部７は、車種登録ＤＢを参照し、「形式」枠３７１，３７２に表示される車両に属する車種の情報を読み取り、「車種」欄３７４に表示する。「車種」欄３７４には、次の情報が表示される。
「車種」３７５：車種を識別する略号
「記事」３７６：車種の用途・特徴等を表す特記事項
【０１１７】
ここで、「車種」３７５には、“東急車輛  １０００”系車両に属する車種「Ｔｓｄ」及び「Ｔｓｄ‘」が表示されている。車種名のダッシュ「’」の有無によって、「Ｔｓｄ」と「Ｔｓｄ‘」とで区別される車種の車両を構成する機器類は殆ど同じであるが、一部の電気機器が異なったり、電気機器の部品点数が異なったりすることが表されている。また、「記事」３７６によって、その車種の用途・特徴が表示される。「車種」Ｔｓｄは、「形式」３７２及び「記事」３７６に示されるように、「東急車輛  １０００系」の「トイレ付き車両」であることが示されている。「車種」Ｔｓｄ’は、「東急車輛  １０００系」であって「専務車掌室付き車両」であることが示されている。
【０１１８】
新たな車種を追加したい場合は、ユーザは「追加」ボタン３７８を操作部８のマウスでクリックする。すると、処理部７は、図２０に示す「車種登録」画面３９０を表示させる。
【０１１９】
車種情報について変更したい場合は、「車種」枠３７４のリストの中で変更したい車種情報の行に、操作部８のマウスを用いてカーソルを当て、クリックして選択する。選択された情報は反転表示される。さらに、ユーザは、「変更」ボタン３７９を操作部８のマウスでクリックする。すると、処理部７は、表示部９に対し、図２０に示す「車種登録」画面３９０を表示させる。このとき、各入力枠には、図１９の「車種」欄３７４で選択された車種情報が表示される。
【０１２０】
また、車種情報を削除する場合は、「車種」枠３７４のリストの中で削除したい車種情報の行に、操作部８のマウスを用いてカーソルを当て、クリックして選択する。選択された情報は反転表示される。さらに、ユーザは、「削除」ボタン３８６を操作部８のマウスでクリックする。すると、処理部７は、「車種」欄３７４から、選択された車種情報を消去するとともに、車種登録ＤＢから選択された車種情報を削除する。
【０１２１】
ユーザは、「車種登録一覧」画面３７０での作業を終了すると「終了」ボタン３８１をクリックする。すると、処理部７は、表示部９の「車種登録一覧」画面３７０を終了させ、表示部９に図１７に示す「形式登録」画面３３０を表示させる。
【０１２２】
図２０に示す「車種登録」画面３９０は、上述のように、図１９に示す「車種登録一覧」画面３７０の「追加」ボタン３７８又は「変更」ボタン３７９がクリックされた場合に、表示部９に表示される画面である。「車種登録」画面３９０は、図３に示す表示階層の「車種登録」３３に相当する。
【０１２３】
「車種登録」画面３９０の画面上側には、次の入力枠が表示される。
「形式」の入力枠３９１（図１９の入力枠３７１に対応）
「形式」の入力枠３９２（図１９の入力枠３７２に対応）
「車種」３９３（図１９の表示枠３７５に対応：必須項目：赤）
「記事」３９４（図１９の表示枠３７６に対応）
【０１２４】
図１９において「追加」ボタン３７８がクリックされた場合は、「車種登録一覧」画面３７０の「形式」３９１，３９２には、図１９の「形式」３７１，３７２と同じ情報が表示されるが、「車種」３９３及び「記事」３９４は新規の情報が入力できるように空欄である。一方、図１９において「変更」ボタン３７９がクリックされた場合は、「車種登録一覧」画面３７０の入力枠３９１，３９２には、図１９の入力枠３７１，３７２と同じ情報が表示される他、「車種」３９３及び「記事」３９４には、図１９の「車種」欄３７４で選択された「車種」３７５及び「記事」３７６の情報がそれぞれ表示される。
【０１２５】
さらに、「車種登録」画面３９０の画面中段には、「種別」欄３９６（必須項目：赤）が表示される。この「種別」３９６には、「車種登録」画面３９０の上側に表示された車種に属する種別が表示される。「種別」欄３９６には、次の情報が表示される。
「種別」３９７：種別を識別する略号
「内容」３９８：種別の用途・特徴を表す特記事項
【０１２６】
なお、図１９において「追加」ボタン３７８がクリックされた場合は、「種別」表示枠３９６の「内容」３９８は、新規の情報が入力できるように空欄である。一方、図１９において「変更」ボタン３７９がクリックされた場合は、図１９の「車種」欄３７４で選択された「車種」３７５に表示された車種に属する種別の略号と記事とが、図２０の「種別」表示枠の「内容」３９８にそれぞれ表示される。
【０１２７】
図２０に示す「車種登録」画面３９０は、図１９の「車種」３７４の「車種」を追加又は変更するために表示された画面である。例えば「種別」欄３９６の一番上には、種別「＃１」として、車種の略号「Ｔｓｄ１」、利用される鉄道路線として「東海道線用」と表示されている。車種情報を変更する場合は、変更する入力枠３９１〜３９８の情報を、操作部８のキーボード及びマウスを用いて変更し、「登録」ボタン３９９を操作部８のマウスでクリックする。すると、処理部７は、変更後の車種情報を関連付けて車種登録ＤＢに登録する。同様に、新規の車種、記事、種別を登録する場合には、入力枠３９３〜３９８に新規の情報を入力し、「登録」ボタン３９９を操作部８のマウスでクリックする。すると、処理部７は、新たに入力された車種情報を関連付けて車種登録ＤＢに登録する。
【０１２８】
また、「車種登録」画面３９０の画面下側には、「部位」欄４００が表示される。この「部位」欄４００には、「車種登録」画面３９０の上側に表示された車種を構成する部位が、車種登録ＤＢから処理部７によって読み取られリスト表示される。「部位」欄４００には、次の情報が表示される。
「部位記号」４０１：車種によって特定される車両を構成する部位を識別する記号
「部位名称」４０２：その部位の名称
「記事」４０３：その部位の特記事項
車種を構成する「部位」としては、前位床下、後位床下、前位出入台、後位出入台、洗面所、前位機械室等が例示される。
【０１２９】
部位に関する情報を追加する場合、ユーザは「追加」ボタン４０５を操作部８のマウスを用いてクリックする。すると、処理部７は、表示部９に対し図２１に示す「部位登録」画面４１０を表示させる。一方、部位情報を変更する場合は、「部位」欄４００に表示された部位情報のうち変更する部位情報のリストを操作部８のマウスを用いてクリックして選択する。選択された部位情報は反転表示される。さらに、ユーザは「変更」ボタン４０６を操作部８のマウスを用いてクリックする。すると、処理部７は、表示部９に対し図２１に示す「部位登録」画面４１０を表示させる。この場合、「部位登録」画面４１０の各欄には、選択された部位情報が表示される。なお、図２１に示す「部位登録」画面４１０の表示内容等については後述する。
【０１３０】
部位情報を削除する場合は、「部位」欄４００に表示された部位情報のうち削除する部位情報のリストを操作部８のマウスを用いてクリックして選択する。選択された部位情報は反転表示される。さらに、ユーザは「削除」ボタン４０７を操作部８のマウスを用いてクリックする。すると、処理部７は、「部位」欄４００から選択された部位情報を消去するとともに、車種登録ＤＢから選択された部位情報を削除する。
【０１３１】
ユーザは、「車種登録」画面３９０での作業を終了すると「終了」ボタン４０８をクリックする。すると、処理部７は、表示部９の「車種登録」画面３９０を終了させ、図１９に示す「車種登録一覧」画面３７０を表示部９に表示させる。
【０１３２】
図２１に示す「部位登録」画面４１０は、上述のように、図２０に示す「部位」欄４００の「追加」ボタン４０５又は「変更」ボタン４０５がクリックされた場合に、表示部９に表示される画面である。この「部位登録」画面４１０は、図３に示す表示階層の「部位登録」３４に相当する。
【０１３３】
「部位登録」画面４１０の画面上側には、次の入力枠が表示される。
「形式」の入力枠４１１（図２０の入力枠３９１に対応）
「形式」の入力枠４１２（図２０の入力枠３９２に対応）
「車種」４１３（図２０の入力枠３９３に対応）
表示枠４１４（図２０の入力枠３９４に対応）
「部位記号」４１５（プルダウンメニューにより選択可能：図２０の表示枠４０１に対応：必須項目：赤）
「部位」４１６（図２０の表示枠４０２に対応）
「記事」４１７（図２０の表示枠４０３に対応）
【０１３４】
図２０に示す「部位」欄４００において「追加」ボタン４０１がクリックされた場合、図２１の入力枠４１１〜４１４には、図２０において表示された対応する情報が表示される。入力枠４１５〜４１７は空欄となっており新規の情報を入力することができるようになっている。一方、「変更」ボタン４０６がクリックされた場合、図２１の入力枠４１１〜４１４には、図２０において表示された対応する情報が表示される他、図２１の入力枠４１５〜４１７には、図２０の「部位」欄４０１で選択された部位情報が表示される。これにより、図２１の入力枠４１５〜４１７をキーボードにより変更することができるようになっている。
【０１３５】
また、表示枠４１９には、「自社」チェック４２０及び「他社」チェック４２１が表示されている。これは、自社と他社との共同で鉄道車両を製造する場合に、入力枠４１１〜４１６で特定される車両の部位を製造する担当は、自社であるのかあるいは他社であるのかを示すもので、「自社」チェック４２０又は「他社」チェック４２１をクリックすることによりマーキングされる。
【０１３６】
ユーザは、入力枠４１５〜４１７及び表示枠４１９の情報を、操作部８のキーボード、マウスを用いて入力又は変更した後、「登録」ボタン４２３をクリックする。すると、処理部８は、そのクリック操作信号を受け、各入力枠４１１〜４１７及び表示枠４１９の情報を関連付けて、車種登録ＤＢに登録する。
【０１３７】
「部位登録」画面４１０の画面下側には、処理部７によって車種登録ＤＢから読み出された経路情報が「経路」欄４２５に表示される。経路とは電気機器間に接続される電線を敷設する車両内の経路のことである。「経路」欄に表示される情報は次の情報である。
「経路」４２６：電線を敷設する経路の略号
「形式記号」４２７：経路を識別する記号
「許容占積率」４２８：配管・ダクトに電線を収容したときに許容できる電線の占積率  [％]
「記事」４２９：経路に関する特記事項。特に、電線を接続するそれぞれの電気部品または端子
【０１３８】
例えば、「経路」画面４２５の最も上のリストには、電線を敷設する経路の「経路」４２６は略号“Ｄ０８１”、「形状記号」４２７は“Ｄ−ＳＵＳ−００１”、「許容占積率」４２８は６０[％]、「記事」４２９として電線に接続する経路は、「床中トイ（２位）」で特定される位置から“ＴＩＭＳ箱２”であることが表示されている。
【０１３９】
この「経路」欄４２５に表示される経路情報は、追加、変更、又は削除することができる。経路情報を追加する場合は、ユーザは「追加」ボタン４３１を操作部８のマウスでクリックする。すると処理部７は、表示部９に対し図２２に示す「経路登録」画面４４０を表示させる。経路情報を変更したい場合は、「経路」欄４２５に表示された経路情報のうち変更する経路情報のリストを操作部８のマウスを用いてクリックして選択する。選択された経路情報は反転表示される。さらに、ユーザは「変更」ボタン４３２を操作部８のマウスを用いてクリックする。すると、処理部７は、表示部９に対し図２２に示す「経路登録」画面４４０を表示させる。この場合、「経路登録」画面４４０の各欄には、選択された経路情報が表示される。
【０１４０】
経路情報を削除したい場合は、「経路」欄４２５に表示された経路情報のうち削除する経路情報のリストを操作部８のマウスを用いてクリックして選択する。選択された経路情報は反転表示される。さらに、ユーザは「削除」ボタン４３３を操作部８のマウスを用いてクリックする。すると、処理部７は、「経路」欄４２５から選択された経路情報を消去するとともに、車種登録ＤＢから選択された経路情報を削除する。
【０１４１】
ユーザは、「部位登録」画面４１０での作業を終了すると「終了」ボタン４３５をクリックする。すると、処理部７は、表示部９の「部位登録」画面４１０を終了させ、表示部９に図２０に示す「車種登録」画面３９０を表示させる。
【０１４２】
図２２に示す「経路登録」画面４４０は、上述のように、図２１に示す「経路」欄４２５の「追加」ボタン４３１又は「変更」ボタン４３２がクリックされた場合に、表示部９に表示される画面である。この「経路登録」画面４４０は、図３に示す表示階層の「経路登録」３５に相当する。
【０１４３】
「経路登録」画面４４０には、次の入力枠が表示される。
「形式」の入力枠４４１（図２１の入力枠４１１に対応）
「形式」の入力枠４４２（図２１の入力枠４１２に対応）
「車種」の入力枠４４３（図２１の入力枠４１３に対応）
「車種」の入力枠４４４（図２１の入力枠４１４に対応）
「部位記号」の入力枠４４５（図２１の入力枠４１５に対応）
「部位記号」の入力枠４４６（図２１の入力枠４１６に対応）
「経路名」４４７（図２１の表示枠４２６に対応：必須項目：赤）
「形状記号」４４８（図２１の表示枠４２７に対応：必須項目：赤）
「許容占有率」４４９（図２１の表示枠４２８に対応：必須項目：赤）
「記事」４５０（図２１の表示枠４２９に対応）
【０１４４】
図２１に示す「経路」欄４２５において、「追加」ボタン４３１がクリックされた場合、図２２の入力枠４４１〜４４６には図２１において対応する情報が表示され、図２２の入力枠４４７〜４５０は新規の情報を入力することができるように空欄となっている。一方、「変更」ボタン４３２がクリックされた場合、図２２の入力枠４４１〜４４６には図２１において対応する情報が表示される他、入力枠４４７〜４５０には、図２１の「経路」欄４２５で選択された対応する経路情報が表示される。
【０１４５】
ユーザは、これらの入力枠４４７〜４５０に、操作部８のキーボード及びマウスを用いて、新たな経路情報を入力又は変更し、「登録」ボタン４５２をクリックする。すると、処理部７は、入力枠４４１〜４５０に入力又は変更された経路情報を関連付けて車種登録ＤＢに登録する。
【０１４６】
「経路情報」画面４４０において、経路情報の追加、変更、登録等の作業が終了すると、ユーザは、「終了」ボタン４５３をクリックする。すると、処理部７は、「経路情報」画面４４０を終了させ、図２１に示す「部位登録」画面４１０に戻って表示させる。なお、「登録」ボタン４５２をクリックして入力した情報を登録する場合には、「終了」ボタン４５３をクリックしなくとも、図２１に示す「部位登録」画面４１０に戻って表示させるようになっている。また、図１７の「形式登録」画面３３０まで戻るには、各画面に表示される「終了」ボタンをクリックしていけばよい。
【０１４７】
なお、車種登録ＤＢにおいて登録される「形式記号」及び「許容占積率」は、配管・ダクト台帳登録ＤＢにおける「形式記号」及び「許容占積率」と対応して一致するように登録される。つまり、図１５に表示される「形状記号」２９２と、図２１に表示される「形状記号」４２７と、図２２に表示される「形状記号」４４８とはそれぞれ対応して一致するように、車種登録ＤＢ及び配管・ダクト台帳登録ＤＢに登録される。また、図１５に表示される「許容占積率」３０４と、図２１に表示される「許容占積率」４２８と、図２２に表示される「許容占積率」４４９とはそれぞれ対応して一致するように、車種登録ＤＢ及び配管・ダクト台帳登録ＤＢに登録される。したがって、図１５、図２１、又は図２２において、「形式記号」又は「許容占積率」の追加、変更、削除の操作が行われると、その操作に応じて、車種登録ＤＢ及び配管・ダクト台帳登録ＤＢにおいて、処理部７により「形式記号」又は「許容占積率」の追加、変更、削除の処理が行われる。
【０１４８】
（２−ｃ）  「工作号登録」系画面
図２３に示す「工作号登録」画面４６０は、図１７に示す「形式登録」画面３３０の「工作号登録」ボタン３４１がクリックされることにより表示される。「工作号登録」画面４６０において扱われる情報は、処理部７によって工作号登録ＤＢから読み出され、又、工作号登録ＤＢに登録される。この「工作号登録一覧」画面４６０は、図３に示す表示階層の「工作号登録一覧」３６に相当する。
【０１４９】
「工作号登録一覧」画面４６０の画面上側には、図１７の入力枠３３１，３３２に入力された提供先企業の略語と車両の略号が表示される「形式」４６１と、図１７の入力枠３３３に入力された車両の名称が表示される入力枠４６２とが表示される。また、「工作号登録一覧」画面４６０の「工作号」欄４６５には、「形式」の入力枠４６１，４６２に表示される車両に関するツナギ図等の図面に関し、工作号、版数等の履歴が表示される。すなわち、「工作号」欄４６５には、作成された図面ごとに、次の情報がリスト状に表示される。
「工作号」４６６：「形式」の入力枠４６２に表示される車両の工作号番号
「版数」４６７：図面の版数
「登録日」４６８：図面を社内手続上登録した日付
「記事」４６９：図面に関する特記事項
【０１５０】
新たな工作号情報を追加する場合は、ユーザは「追加」ボタン４７０を操作部８のマウスでクリックする。すると、処理部７は、そのクリック操作信号を受け、表示部９に対し、図２４に示す「工作号登録」画面４８０を表示させる。工作号情報について変更する場合は、「工作号」欄４６５のリストの中で変更したい工作号情報の行に、操作部８のマウスを用いてカーソルを当て、クリックして選択する。選択された情報は反転表示される。さらに、ユーザは、「変更」ボタン４７１を操作部８のマウスでクリックする。すると、処理部７は、図２４に示す「工作号登録」画面４８０を表示させる。このとき、各入力枠には、図２３の「工作号」欄４６５で選択された工作号情報が表示される。
【０１５１】
また、工作号情報を削除する場合は、「工作号」枠４６５のリストの中で削除したい工作号情報の行に、操作部８のマウスを用いてカーソルを当て、クリックして選択する。選択された情報は反転表示される。さらに、ユーザは、「削除」ボタン４７２を操作部８のマウスでクリックする。すると、処理部７は、「工作号」欄４６５から選択された工作号情報を消去するとともに、工作号登録ＤＢから選択された工作号情報を削除する。
【０１５２】
ユーザは、「工作号登録一覧」画面４６０での作業を終了すると「終了」ボタン４７３をクリックする。すると、処理部７は、表示部９の「工作号登録一覧」画面４６０を終了させ、表示部９に図１７に示す「形式登録」画面３３０を表示させる。
【０１５３】
図２４の「工作号登録」画面４８０は、上記のように図２３の「追加」ボタン４７０又は「変更」ボタン４７１がクリックされて表示される画面である。この「工作号登録」画面４８０は、図３に示す表示階層の「工作号登録」３７に相当する。
【０１５４】
「工作号登録」画面４８０の画面上側には、次の入力枠が表示される。
「形式」の入力枠４８１（図２３の入力枠４６１に対応）
「形式」の入力枠４８２（図２３の入力枠４６２に対応）
「工作号」４８３（図２３の表示枠４６６に対応：必須項目：赤）
「版数」４８４（図２３の４６７に対応）
「登録日」４８５（図２３の４６８に対応）
「記事」４８６（図２３の４６９に対応）
【０１５５】
図２４に示す「工作号登録」画面４８０が図２３に示す「工作号登録一覧」画面４６０の「追加」ボタン４７０のクリックによって表示された場合、「形式」４８１，４８２には図２３の「形式」４６１，４６２に表示された情報と同じ車両情報等が対応して表示される。その他の入力枠４８３〜４８５は、新規の情報を入力することができるように空欄となっている。一方、図２４に示す「工作号登録」画面４８０が図２３の「変更」ボタン４７１がクリックされて表示された場合、「形式」４８１，４８２には図２３の「形式」４６１，４６２に表示された情報と同じ車両情報等が対応して表示される他、入力枠４８３〜４８５には図２３の「工作号」欄４６５で選択された工作号情報が対応して表示される。
【０１５６】
さらに、「対象車種／改訂記号」４８８には、対象となる車種のうちいずれの車種であるかを、操作部８のマウスでマーキングするマーキング欄４８９，４９０が表示される。そして、その車種のツナギ図又は配線図を改訂する場合は、新たな改訂版数（０００１ａ、０００１ｂ、０００１ｃ、…）が付された図面を出図するため、図面を改訂する都度、図面を改訂する方の車種のマーキング枠（４８９、４９０）をマーキングする。すると処理部７は、マーキングされた枠の下に改訂版数を意味する改訂記号（ａ、ｂ、ｃ…）を入力する入力枠４９１を表示させる。したがって、その入力枠４９１に改訂記号を入力することができる。なお、車種のマーキング枠（４８９、４９０）にマーキングがされない限り改訂記号を入力する入力枠は表示されず、意図せずマーキングされないようになっている。
【０１５７】
また、「工作号登録」画面４８０の下側には、「使用機器訂正あり」に該当する場合にマーキングする欄４９２と、「版数確定」に該当する場合にマーキングする欄４９３とが表示される。それぞれの内容に該当する場合にマーキングされる。
【０１５８】
ユーザは、操作部８のキーボード及びマウスを用いて入力枠４８３，４８６〜４９３に新たな情報を入力し又は表示された情報を変更し終えると、「登録」ボタン４９５をクリックする。すると、処理部７は、そのクリック操作信号を受け、入力枠４８３，４８６〜４９３に入力された情報を取り込み、関連付けて工作号登録ＤＢへ登録すると共に、表示部９の画面を図２３の「工作号登録画面」４６０に戻す。
【０１５９】
なお、「終了」ボタン４９６は、「工作号登録」画面４８０が表示された状態で、表示部９の画面を図２３の「工作号登録画面」４６０に戻すためのボタンである。
【０１６０】
（２−ｄ）  「図番登録」系画面
図２５に示す「図面登録一覧」画面５００は、図１７に示す「形式登録」画面３３０の「図番登録」ボタン３４２がクリックされることにより表示される。「図面登録一覧」画面５００において扱われる情報は、処理部７によって図面登録ＤＢから読み出され、又、図面登録ＤＢに登録される。この「図面登録一覧」画面５００は、図３に示す表示階層の「図番登録一覧」３８に相当する。
【０１６１】
「図面登録一覧」画面５００の画面上側には、図１７の入力枠３３１，３３２に入力された提供先企業の略語と車両の略号とが表示される「形式」５０１と、図１７の入力枠３３３に入力された車両の名称が表示される入力枠５０２とが表示される。また、「形式」５０１，５０２の入力枠の下には、次の入力枠が表示される。
「工作号」５０３：「形式」５０１，５０２に表示される車両の工作号番号
「消しゴム訂正」マーキング欄５０４：削除履歴を付与しない図番データの抹消を行うときにマークする欄
「装置分類」５０５：装置の種類を識別する分類番号（必須項目：赤）
【０１６２】
これら入力枠５０４〜５０５の情報は、「図番登録一覧」画面５００で、操作部８のキーボード及びマウスを用いて、入力又は変更を行うことができる。入力枠５０４〜５０５への入力又は変更後、ユーザにより「登録」ボタン５０６がクリックされると、処理部７は、入力枠５０１〜５０５の情報を関連付けて図番登録ＤＢに登録する。
【０１６３】
また、「図番登録一覧」画面５００の画面中段には、「図番」欄５０８が表示される。この「図番」欄５０８には、「形式」５０１，５０２により特定される車両の製造に用いられるツナギ図に関する情報がリスト状に表示される。すなわち、「図番」欄５０８には、次の情報が表示される。
「装置番号」５０９：車両の製造に用いられる装置の番号
「図面番号」５１０：ツナギ図を識別する番号
「図面名」５１１：ツナギ図を識別する名称
「追加版数」５１２：ツナギ図の追加版数
「削除版数」５１３：ツナギ図の削除版数
【０１６４】
新たな図番情報を追加する場合は、ユーザは「追加」ボタン５１５を操作部８のマウスを用いてクリックする。すると、処理部７は、図２６に示す「図番登録」画面５３０を表示させる。図番情報について変更する場合は、「図番」欄５０８のリストの中で変更したい図番情報の行に、操作部８のマウスを用いてカーソルを当て、クリックして選択する。選択された情報は反転表示される。さらに、ユーザは、「変更」ボタン５１６を操作部８のマウスでクリックする。すると、処理部７は、図２６に示す「図番登録」画面５３０を表示させる。このとき、各入力枠には、図２６の「図番」欄５０８で選択された図番情報が表示される。
【０１６５】
また、図番情報を削除する場合は、「図番」枠５０８のリストの中で削除したい図番情報の行に、操作部８のマウスを用いてカーソルを当て、クリックして選択する。選択された情報は反転表示される。さらに、ユーザは、「削除」ボタン５１７を操作部８のマウスでクリックする。すると、処理部７は、「図番」欄５０８から選択された図番情報に削除フラグを付与し、「削除版数」枠５１３に現在作業中の版数を表示する。
【０１６６】
表示枠５１９，５２１及び「…」ボタン５２０は、表形式アプリケーションのファイルに記憶されたツナギ図・配線図に関するデータを本装置内の記憶装置から読み込み、本装置の図番登録ＤＢに登録するための表示枠である。すなわち、「…」ボタン５２０をクリックすると本装置の記録装置のディレクトリ構造が階層状に表示される。そして、任意のディレクトリを選択すると、そのディレクトリが表示枠５１９に表示されると共に、表示枠５２１には、選択されたディレクトリの中で図面のファイル形式の拡張子（例えばＣＳＶ形式）が付されたファイル名が表示される。ファイルが複数存在する場合は、表示枠５２１の右側にあるプルダウンメニューボタン５２２をクリックすることで、そのディレクトリに存在するすべての図面に関するファイル名が表示されるため、１つのファイルを選択して表示枠５２１に表示させることができる。このように特定のファイルを選択して「取込」ボタン５２３をクリックすると、処理部７は、選択されたファイル内に存在する図面に関する図面番号等の情報を図面登録ＤＢに取り込んで登録する。
【０１６７】
ユーザは、「図面登録一覧」画面５００での作業を終了すると「終了」ボタン５２４をクリックする。すると、処理部７は、表示部９の「図番登録一覧」画面５００を終了させ、表示部９に図１７に示す「形式登録」画面３３０を表示させる。
【０１６８】
図２６に示す「図番登録」画面５３０は、上述のように、図２５に示す「図番登録一覧」画面５００の「追加」ボタン５１５又は「変更」ボタン５１６がクリックされた場合に表示部９に表示される画面である。この「図番登録」画面５３０は、図３に示す表示階層の「図番登録」３９に相当する。
【０１６９】
「図番登録」画面５３０の画面上側には、次の入力枠が表示される。
「形式」の入力枠５３１（図２５の５０１に対応）
「形式」の入力枠５３２（図２５の５０２に対応）
「工作号」５３３（図２５の５０３に対応）
「追加版数」５３４（図２５の５１２に対応）
「削除版数」５３５（図２５の５１３に対応）
「図面番号」５３７（図２５の５１０に対応：必須項目：赤）
「装置番号」５３８（図２５の５０９に対応）
「図面名」５３９（図２５の５１１に対応）
「記事」５４０：ツナギ図に関する特記事項
【０１７０】
図２５の「追加」ボタン５１５がクリックされた場合、図２６の入力枠５３１〜５３４（「追加版数」５３４の付与は自動で行われる）には図２５に対応する情報が表示され、図２６の入力枠５３７〜５４０は新規の情報を入力することができるように空欄となっている。一方、「変更」ボタン５１６がクリックされた場合は、図２６の入力枠５３１〜５３４には図２５に対応する情報が表示される他、図２６の入力枠５３７〜５４０には図２５の「図番」欄５０８で選択された図番情報が対応して表示される。そして、入力枠５３８〜５４０の情報を、操作部８のキーボード又はマウスを用いて入力あるいは変更することができる。各入力枠への入力又は変更後、ユーザは「登録」ボタン５４２をクリックする。すると、処理部７は、入力枠５３１〜５４０の情報を関連付けて図番登録ＤＢに登録すると共に、表示部９の「図番登録」画面５３０を終了させ、表示部９に図２５に示す「図番登録一覧」画面５００を表示させる。
【０１７１】
なお、「終了」ボタン５４３は、「図番登録」画面５３０が表示されている状態で、この「図番登録」画面５３０を終了させ、図２５に示す「図番登録一覧」画面５００を表示させるためのボタンである。
【０１７２】
（２−ｅ）  「使用電線登録」系画面
図２７に示す「使用電線登録一覧」画面５５０は、図１７に示す「形式登録」画面３３０の「使用電線登録」ボタン３４３がクリックされることにより表示される。「使用電線登録一覧」画面５５０において扱われる情報は、処理部７によって使用電線登録ＤＢから読み出され、又、使用電線登録ＤＢに登録される。この「使用電線登録一覧」画面５５０は、図３に示す表示階層の「使用電線登録一覧」４０に相当する。
【０１７３】
「使用電線登録一覧」画面５５０の画面上側には、図１７の入力枠３３１，３３２に入力された提供先企業の略語と車両の略号が表示される「形式」５５１と、図１７の入力枠３３３に入力された車両の名称が表示される入力枠５５２とが表示される。また、この「形式」５５１，５５２の情報で特定される車両の製造に使用される電線に関する情報が、使用電線登録ＤＢから読み取られ「使用電線」欄５５５に表示される。この「使用電線」欄５５５には、次の情報が表示される。
「電線種類略号」５５６：電線の種類の略語
「記事」５５７：その電線に関する特記事項
【０１７４】
また、「電線使用量確認」５５９がクリックされると、処理部８は、図２８に示す「電線使用量確認」画面５７０を表示部９に表示させるとともに、使用電線登録ＤＢを参照し、電線ごとに各種情報を読み出し、表示部９に表示させる。
【０１７５】
ここで、図２８の「電線使用量確認」画面５７０について説明する。「電線使用量確認」画面５７０の画面上側には、図２７の入力枠５５１，５５２に対応して、「形式」５７１，５７２には、入力された提供先企業の略語と車両の略号、及び車両の名称がそれぞれ表示される。また、「形式」５７１，５７２の下側には、次の情報が使用電線登録ＤＢから読み出され表示される。
「工作号」５７３（図２３の表示枠４６６に対応）
「版数」５７４（図２３の表示枠４６７に対応）
【０１７６】
さらに、入力枠５７１〜５４の情報で特定される車両に使用される電線に関して、「電線使用量」欄５７６には、電線ごとに次の情報が表示される。なお、単位はメートル（ｍ）である。
「電線種類略号」５７７（図２７の表示枠５５６に対応）
「サイズ名称」５７８：電線のサイズ（直径）を表す記号
「外皮色」５７９：電線を被覆する外皮の色
「手配量」５８０：車両を製造するために手配（注文）する電線量（長さ）
「必要量」５８１：車両を製造するために必要となった電線量（長さ）
「使用量（目安）」５８２：車両を製造するために使用する目安の電線量（長さ）
「Ｔｓｄ」５８３：「形式」で特定される車両のうち、車種“Ｔｓｄ”を製造するために使用される目安の電線量（長さ）
「Ｔｓｄ‘」５８４：「形式」で特定される車両のうち、車種“Ｔｓｄ’”を製造するために使用される目安の電線量（長さ）
【０１７７】
ここで、「電線種類略号」５７７は、電線台帳登録ＤＢに登録され図１２に表示される「電線種類略号」２１２に対応する。「サイズ名称」５７８は、電線台帳登録ＤＢに登録され図１２に表示される「電線台帳登録」２２６に対応する。「外皮色」５７９は、電線台帳登録ＤＢに登録され図１２に表示される「外皮色」２２７に対応する。
【０１７８】
この「形式」５７１，５７２で特定される車両には、図１９に示される「車種登録一覧」３７０の「車種」欄３７４に表示されているように、「トイレ付き車両」の車種“Ｔｓｄ”と「専務車掌室付き車両」の車種“Ｔｓｄ‘”との２車種がある。したがって、「電線使用量」欄５７６には、車種「Ｔｓｄ」の電線使用量５８３と、車種「Ｔｓｄ’」の電線使用量５８４とが表示されている。この欄には、「工作号」“１１０１２”に採用される車両の電線使用量を入力することができる。また、スクロール５８５によって、「電線使用量」欄５７６の入力画面を横にスクロールし、各電線についてその他種々の情報を表示させることができる。
【０１７９】
同じ「形式」について車種が複数存在する場合のために、「製作両数」５８７には、その「車種」５８８が表示される表示枠と製作する両数が表示される表示枠５８９が設けられている。
【０１８０】
「電線使用量確認」画面５７０において各情報の入力、変更が終了すると、ユーザは「登録」ボタン５９０をクリックする。すると、処理部７は、そのクリック操作信号を受け、「電線使用量確認」画面５７０に入力された情報を読み取り、電線使用登録ＤＢに登録する。ユーザは、「電線使用量確認」画面５７０での作業を終了すると「終了」ボタン５９１をクリックする。すると、処理部７は、表示部９の「電線使用量確認」画面５９１を終了させ、表示部９に図２７に示す「使用電線登録一覧」画面５５０を表示させる。
【０１８１】
図２７に戻り、「使用電線登録一覧」画面５５０において、新たな使用電線に関する情報を追加する場合は、ユーザは「追加」ボタン５６０を操作部８のマウスでクリックする。すると、処理部７は、そのクリック操作信号を受け、表示部９に対し、図２９に示す「使用電線登録」画面６００を表示させる。使用電線情報について変更する場合は、図２７の「使用電線」枠５５５のリストの中で変更したい使用電線情報の行に、操作部８のマウスを用いてカーソルを当て、クリックして選択する。選択された情報は反転表示される。さらに、ユーザは、「変更」ボタン５６１を操作部８のマウスでクリックする。すると、処理部７は、表示部９に対し、図２９に示す「使用電線登録」画面６００を表示させる。このとき、各入力枠には、図２７の「使用電線」欄５５５で選択された使用電線情報が表示される。
【０１８２】
また、使用電線情報を削除する場合は、「使用電線」枠５５５のリストの中で削除したい使用電線情報の行に、操作部８のマウスを用いてカーソルを当て、クリックして選択する。選択された情報は反転表示される。さらに、ユーザは、「削除」ボタン５６２を操作部８のマウスでクリックする。すると、処理部７は、「使用電線」欄５５５から選択された使用電線情報を消去するとともに、使用電線登録ＤＢから、選択された使用電線情報を削除する。
【０１８３】
ユーザは、「使用電線登録一覧」画面５５０での作業を終了すると「終了」ボタン５６５をクリックする。すると、処理部７は、表示部９の「使用電線登録一覧」画面５５０を終了させ、表示部９に図１７に示す「形式登録」画面３３０を表示させる。
【０１８４】
図２９に示す「使用電線登録」画面６００は、上述のように、図２７に示す「使用電線登録一覧」画面５５０の「追加」ボタン５６０又は「変更」ボタン５６１がクリックされた場合に、表示部９に表示される画面である。この「使用電線登録」画面６００は、図３に示す表示階層の「使用電線登録」４２に相当する。「電線使用量確認」画面５７０の画面上側には、図２７の入力枠５５１に入力された提供先企業の略語と車両の略号とが表示される「形式」６０１と、図２７の入力枠５５２に入力された車両の名称が表示される入力枠６０２とが表示される。また、「形式」６０１，６０２の入力枠の下には、次の入力枠が表示される。
「電線種類略号」６０３（図２７の５５６に対応：必須項目且つキー項目：青）
表示枠６０４：電線の種類の名称
「記事」６０５：使用電線の特記事項
【０１８５】
なお、「使用電線登録」画面６００が図２７の「追加」ボタン５６０のクリックによって表示された場合、入力枠６０３〜６０５は新規の情報を入力することができるように空欄となっている。一方、「使用電線登録」画面６００が図２７の「変更」ボタン５６１のクリックよって表示された場合、入力枠６０３，６０５には図２７の「使用電線」欄５５５で選択された電線種類略号及び記事がそれぞれ表示される他、入力枠６０４には、その電線種類略号に対応する電線種類名称が使用電線登録ＤＢから読み出され表示される。
【０１８６】
さらに、表示枠６０７には、入力枠６０１〜６０５で特定される使用電線に関し、次の情報が使用電線登録ＤＢから読み出されリスト状に表示される。
「選」６０８：選択するマーキング欄
「サイズ名称」６０９：電線のサイズ（直径）を識別する記号
「外皮色」６１０：電線を被覆する外皮の色
「デフォルト電線長」６１１：配線に必要な電線の長さのデフォルト値
【０１８７】
この枠６０７に表示される「サイズ名称」６０９及び「外皮色」６１０は、図１２に示す「電線詳細」欄２２５に表示される「サイズ名称」２２６及び「外皮色」２２７に対応する。すなわち、処理部７は、電線台帳登録ＤＢを参照し、「電線種類略号」６０３に設定された電線種類略号に関連付けて登録された「サイズ名称」と「外皮色」を読み出し、図２９に示す表示枠６０７の「サイズ名称」６０９及び「外皮色」６１０にそれぞれリスト状に表示させる。そして、「サイズ名称」で特定される電線について、「デフォルト電線長」６１１にデフォルト電線長を入力することができる。
【０１８８】
ユーザは、表示枠６０７に表示される各種電線のうち、「形式」６０１，６０２で特定される車両を製造するために用いる電線を選択し、表示枠６０７の「選」枠６０８に操作部８のマウスを用いてマーキングを付ける。なお、「選」枠６０８を１回クリックするとその枠にマーキングが付けられ、同じ枠にさらに１回クリックすると枠からマーキングが解除されるようになっている。また、マーキングは赤で表示される。ユーザによって車両を製造するために使用される電線の「選」枠６０８にマーキングされた後、「登録」ボタン６１３が操作部８のマウスを用いてクリックされる。すると処理部７は、表示枠６０７の「デフォルト電線長」６１１に入力されたデフォルト電線長、及び「選」枠６０８のマーキング情報を、「サイズ名称」６０９に表示されたサイズ名称、及び「外皮色」６１０に表示された外皮色に対応させて、使用電線登録ＤＢに登録すると共に、表示部９の「使用電線登録」画面６００を終了させ、表示部９に図２７に示す「使用電線登録一覧」画面５５０を表示させる。
【０１８９】
また、「終了」ボタン６１４は、「使用電線登録」画面６００が表示されている状態から、この「使用電線登録」画面６００を終了させ、に図２７に示す「使用電線登録一覧」画面５５０を表示させるためのボタンである。
【０１９０】
なお、図２９の「使用電線登録」画面６００において、表示枠６０７で選択された電線の情報が、使用電線登録ＤＢから処理部８によって読み出され、図２７の「電線使用量確認」５５９をクリックして表示される図２８の「電線使用量」欄５７６に表示されることになる。したがって、図２９に示す「電線種類略号」６０３“ＷＶ１０２Ｓ”の使用電線として枠６０７で「選」枠６０８にマーキングされている３つの電線が、図２８の「電線使用量」欄５７６の「電線種類略号」５７７の“ＷＶ１０２Ｓ”に表示されている。
【０１９１】
（２−ｆ）  デフォルト電線登録ＤＢ
図３０に示す「デフォルト電線登録」画面６２０は、図１７に示す「形式登録」画面３３０の「デフォルト電線登録」ボタン３４４がクリックされて表示される画面である。「デフォルト電線登録」画面６２０において扱われる情報は、処理部７によってデフォルト電線登録ＤＢから読み出され、又、デフォルト電線登録ＤＢに登録される。この「デフォルト電線登録」画面６２０は、図３に示す表示階層の「デフォルト電線登録」４３に相当する。
【０１９２】
「デフォルト電線登録」画面６２０の画面上側には、図１７の入力枠３３１，３３２に入力された提供先企業の略語と車両の略号が表示される「形式」６２１と、図１７の入力枠３３３に入力された車両の名称が表示される入力枠６２２とが表示される。
【０１９３】
「デフォルト電線登録」画面６２０の表示枠６２３には、デフォルト電線登録ＤＢから読み出される次の情報が表示される。
「回路属性」６２４：電線が接続される電気部品・回路の属性
「電線種類略号」６２５：電線の種類を識別する略号
「サイズ名称」６２６：電線のサイズ（直径）を示す記号
「外皮色」６２７：電線を被覆する外皮の色
【０１９４】
ここで、「回路属性」６２４には、シールド回路、交流／直流回路、交流回路、光回路、高圧回路、直流回路、同軸回路、複合ケーブル等、種々の回路属性が表示され、それぞれの回路属性に該当する電線の情報として、電線種類略号、サイズ名称、及び外皮色がリスト状に入力、変更することができるようになっている。入力枠６２５〜６２７に電線に関する情報の入力、変更又は削除が行われた後、「登録」ボタン６２８がクリックされると、処理部７は、「デフォルト電線登録」画面６２０に入力、変更等された情報を読み取り、デフォルト電線登録ＤＢに登録する。「回路属性」６２４には、表示枠６２３に示される回路属性は、適切な電線を敷設するのに参考にされる。
【０１９５】
ユーザは、「デフォルト電線登録」画面６２０での作業を終了すると「終了」ボタン６２９をクリックする。すると、処理部７は、表示部９の「デフォルト電線登録」画面６２０を終了させ、表示部９に図１７に示す「形式登録」画面３３０を表示させる。
【０１９６】
（２−ｇ）  使用機器登録ＤＢ
図３１に示す「使用機器登録一覧」画面６３０は、図１７に示す「形式登録」画面３３０の「使用機器登録」ボタン３４５がクリックされることにより表示される。「使用機器登録一覧」画面６３０において扱われる情報は、処理部７によって使用機器登録ＤＢから読み出され、又、使用機器登録ＤＢに登録される。この「使用機器登録一覧」画面６３０は、図３に示す表示階層の「使用機器登録一覧」４４に相当する。
【０１９７】
「使用電線登録一覧」画面６２０の画面上側には、図１７の入力枠３３１，３３２に入力された提供先企業の略語と車両の略号が表示される「形式」６３１と、図１７の入力枠３３３に入力された車両の名称が表示される入力枠６３２とが表示される。また、「形式」６３１，６３２の下側には、次のデータが入力枠に表示され、使用機器登録ＤＢから読み出された情報が表示される。
「工作号」６３３：ツナギ図の工作号番号（図２３の「工作号」４６６に対応）
「消しゴム訂正」マーキング欄６３４：削除履歴を付与しない使用機器データの抹消を行うときにマークする欄
【０１９８】
また、「使用機器登録一覧」画面６３０には「使用機器」欄６３５が表示される。この「使用機器」欄６３５には、「形式」６３１，６３２により特定される車両の製造に用いられる使用機器であって「工作号」６３３により特定される工作号に使用される使用機器に関する次の情報が使用機器登録ＤＢから読み出されリスト状に表示される。
「機器名称」６３６：機器の名称
「機器名称略号」６３７：機器名称を識別する略号
「追番」６３８：同一機器略号を複数使用したいときに、機器名称略号と共に使用される番号
「Ｔｓｄ」６３９：車種「Ｔｓｄ」に使用されるかどうかの情報
「追加」６４０：追加版数
「削除」６４１：削除版数
【０１９９】
新たな使用機器に関する情報を追加する場合は、ユーザは「追加」ボタン６４３を操作部８のマウスを用いてクリックする。すると、処理部７は、そのクリック操作信号を受け、表示部９に対し、図３２に示す「使用機器登録」画面６５０を表示させる。使用機器の情報について変更する場合は、「使用機器」欄６３５のリストの中で変更したい使用機器情報の行に、操作部８のマウスを用いてカーソルを当て、クリックして選択する。選択された情報は反転表示される。さらに、ユーザは、「変更」ボタン６４４を操作部８のマウスでクリックする。すると、処理部７は、そのクリック操作信号を受け、表示部９に対し、図３２に示す「使用機器登録」画面６５０を表示させる。このとき、各入力枠には、図３１の「使用機器」欄６３５で選択された使用機器の情報が表示される。
【０２００】
また、使用機器の情報を削除する場合は、「使用機器」枠６３５のリストの中で削除したい使用機器の情報の行に、操作部８のマウスを用いてカーソルを当て、クリックして選択する。選択された情報は反転表示される。さらに、ユーザは、「削除」ボタン６４５を操作部８のマウスでクリックする。すると、処理部７は、「使用機器」欄６３５から選択された使用機器の情報に削除フラグを付与し、画面上から削除する。
【０２０１】
ユーザは、「使用機器登録一覧」画面６３０での作業を終了すると「終了」ボタン６４７をクリックする。すると、処理部７は、表示部９の「使用機器登録一覧」画面６３５を終了させ、図１７に示す「形式登録」画面３３０を表示部９に表示させる。
【０２０２】
図３２に示す「使用機器登録」画面６５０は、上述のように、図３１に示す「使用機器登録一覧」画面６３０の「追加」ボタン６４３又は「変更」ボタン６４４がクリックされた場合に、表示部９に表示される画面である。この「使用機器登録」画面６５０は、図３に示す表示階層の「使用機器登録」４５に相当する。
【０２０３】
「使用電線登録」画面６５０の画面上側には、図３１の入力枠６３１に入力された提供先企業の略語と車両の略号とが表示される「形式」６５１と、図３１の入力枠６３２に入力された車両の名称が表示される入力枠６５２とが表示される。また、「使用機器登録」画面６５０の画面上側には、次の入力枠が使用機器登録ＤＢから読み出され表示される。
「追加版数」６５３：追加された版数
「削除版数」６５４：削除された版数
「機器名略号」６５５：機器名の略号（必須項目：赤）
入力枠６５７：追番（図３１の表示枠６３８に対応）
表示枠６５８：機器名称（図３１の表示枠６３６に対応）
「部位」６５９：機器が設置される部位の略号（必須項目：赤）
表示枠６６０：機器が設置される部位の名称
「部品メーカ形式」６６１：部品メーカで付与された機器の形式
「部品メーカ図番」６６２：部品メーカで付与された機器の図番
「ユーザ図番」６６３：鉄道車両提供先企業の図番
「部品表照号番号」６６４：機器を参照する部品表の照合する番号
「参照ファイル」６６５：機器情報を参照するためのファイル名
「記事」６６７：機器に関する特記事項、部品メーカ名等
「内作」マーキング枠６６８：機器の電線接続（結線）を自社内で管理するか否かについての情報。
【０２０４】
ここで、「？」ボタン６５６は、機器を一覧するためのボタンであり、ボタン６５６をクリックすると、アイテム／機器名称台帳登録ＤＢに登録されたアイテム・機器名称一覧が表示され選択できるようになっている。
【０２０５】
また、「内作」マーキング枠６６８にマーキングされている場合は、その使用機器の結線を自社内で行い、その結線状況を自社で確認、管理することを示す。一方、マーキングされていない場合は機器メーカが結線を行い、その結線状況を確認、管理することを示す。処理部７は、「内作」マーキング枠６６８にマーキングされた場合は、使用電線登録ＤＢに「内作」と登録する。
【０２０６】
「使用機器登録」画面６５０が図３１の「追加」ボタン６４３のクリックによって表示された場合、「形式」６５１，６５２には図３１の「形式」６３１，６３２とそれぞれ同じ情報が表示され、他の入力枠６５５，６５７，６５９〜６６８は新規の情報を入力することができるように空欄となっている。「追加版数」６５３，「削除版数」６５４，「機器名称」６５８は、自動で表示されるようになっている。「使用機器登録」画面６５０が図３１の「変更」ボタン６４４のクリックによって表示された場合は、「形式」６５１，６５２に図３１の「形式」６３１，６３２とそれぞれ同じ情報が表示される他、入力枠６５３〜６５８には図３１の「使用機器」欄６３５で選択された使用機器の情報が表示される。また、入力枠６５９〜６６７の使用機器が設置される部位等の情報には、使用機器登録ＤＢに登録されている情報が表示される。表示された情報は適宜キーボードを使って変更することができる。
【０２０７】
「対象車種種別」枠６７０は、「形式」６５１，６５２で特定される車両に属する車種の中で、「機器名略号」６６５、機器名６５８等で特定される機器を使用する車種を登録するための画面枠である。「形式」“ＴＣＣ  １０００”・“東急車輛  １０００系”で特定される車両には、図２０において、「種別」欄３９６の「種別」３９７，「内容」３９８に表示されるように、「Ｔｓｄ１：東海道線用」（＃１）、「Ｔｓｄ２：高崎・宇都宮線用」（＃２）の複数の種別がある。このように、車種に複数の種別がある場合に、車種名６７４の横に並ぶマーキング枠６７６の中で、機器を使用する車種に該当する車種６７５のマーキング枠６７６に、マーキングを付ける。マーキングは操作部８のマウスを用いてクリックすることにより付される。また、「全クリア」ボタン６７１は、マーキング枠６７６をクリアにするためのボタンであり、「全対象」ボタン６７２は、マーキング枠６７６をすべて対象としてマーキングするためのボタンである。「対象車種種別」枠６７０でのマーキングを終えると、「登録」ボタン６７９をクリックする。すると、処理部７は、マーキングされた情報を使用機器登録ＤＢに登録する。
【０２０８】
なお、「参照登録」ボタン６７８は、図３２に表示されている情報を別の機器の使用機器登録情報としてコピーするためのボタンである。すなわち、「参照登録」ボタン６７８をクリックすると、「形式」及び「機器名略号」を選択するウィンドウが立ち上がり、この「形式」及び「機器名略号」を特定すると、処理部７は、入力枠６５８の「部位」から表示枠６８１に表示されている「対象アイテム／接続部」までの情報を指定された「形式」の「機器名略号」としての使用機器登録情報として登録する。
【０２０９】
また、「対象アイテム／接続部」枠６８１の画面上側には、次の情報が使用機器登録ＤＢから読み出され表示される。
「アイテム略号」６８２：入力枠６５５〜６５８で特定される使用機器を構成するアイテムの略号
「アイテム名称」６８３：そのアイテムの名称
「部品形式」６８４：そのアイテムの部品形式
【０２１０】
新たなアイテムに関する情報を追加する場合は、ユーザは「追加」ボタン６８６を操作部８のマウスを用いてクリックする。すると、処理部７は、図３３に示す「使用機器対象アイテム登録」画面７１０を表示部９に表示させる。アイテムの情報について変更する場合は、「対象アイテム／接続部」欄６８１の表示枠上側のリストの中で変更したいアイテムの情報の行に、操作部８のマウスを用いてカーソルを当て、クリックして選択する。選択された情報は反転表示される。さらに、ユーザは、「変更」ボタン６８７を操作部８のマウスでクリックする。すると、処理部７は、表示部９に対し、図３３に示す「使用機器対象アイテム登録」画面７１０を表示させる。このとき、各入力枠には、図３２の「対象アイテム／接続部」欄６８１の画面上側で選択されたアイテムの情報が表示される。
【０２１１】
また、アイテムの情報を削除する場合は、「対象アイテム／接続部」欄６８１の画面下側のリストの中で削除したいアイテムの情報の行に、操作部８のマウスを用いてカーソルを当て、クリックして選択する。選択された情報は反転表示される。さらに、ユーザは、「削除」ボタン６８８を操作部８のマウスでクリックする。すると、処理部７は、「対象アイテム／接続部」欄６８１の表示枠上側の欄から選択されたアイテムの情報を消去するとともに、使用機器登録ＤＢから、選択されたアイテムの情報を削除する。
【０２１２】
また、「対象アイテム／接続部」枠６８１の画面下側には、次の情報が使用機器登録ＤＢから読み出され表示される。
「接続部名称」６９０：アイテムの接続部の名称
「接続タイプ」６９１：その接続部のタイプ
「部品形式」６９２：その接続部の部品形式
「用途」６９３：その接続部の用途
【０２１３】
新たな接続部に関する情報を追加する場合は、ユーザは「追加」ボタン６９５を操作部８のマウスを用いてクリックする。すると、処理部７は、そのクリック操作信号を受け、表示部９に対し、図３４に示す「使用機器対象接続部登録」画面７３０を表示させる。接続部の情報について変更する場合は、「対象アイテム／接続部」欄６８１の表示枠下側のリストの中で変更したい接続部の情報の行に、操作部８のマウスを用いてカーソルを当て、クリックして選択する。選択された情報は反転表示される。さらに、ユーザは、「変更」ボタン６９６を操作部８のマウスでクリックする。すると、処理部７は、そのクリック操作信号を受け、表示部９に対し、図３４に示す「使用機器対象接続部登録」画面７３０を表示させる。このとき、各入力枠には、図３２の「対象アイテム／接続部」欄６８１の画面下側で選択された接続部の情報が表示される。
【０２１４】
また、接続部の情報を削除する場合は、「対象アイテム／接続部」欄６８１の表示枠下側のリストの中で削除したい接続部の情報の行に、操作部８のマウスを用いてカーソルを当て、クリックして選択する。選択された情報は反転表示される。さらに、ユーザは、「削除」ボタン６９７を操作部８のマウスでクリックする。すると、処理部７は、「対象アイテム／接続部」欄６８１の表示枠下側の欄から選択された接続部の情報を消去するとともに、使用機器登録ＤＢから、選択された接続部の情報を削除する。
【０２１５】
また、「対象アイテム／接続部」欄６８１に表示されているアイテム（機器）、接続部の部品図を参照したいときは、「部品図表示」ボタン６９９をクリックする。すると、その操作部８からクリック操作信号が処理部７に出力され、処理部７は、使用機器登録ＤＢを参照してアイテム又は接続部の部品図を読み出し、表示部９にその部品図を表示させる。この表示される部品図は、紙に印刷されたアイテム、接続部の部品図をスキャナで読み取ってＴＩＦＦファイル等の電子ファイル化されたものである。部品図に仕様が記載されていれば、その仕様も表示部９に表示される。
【０２１６】
ここで、使用機器登録ＤＢと部品形式台帳登録ＤＢとはリンクされており、部品図の電子ファイルは、使用機器登録ＤＢと部品形式台帳登録ＤＢとの間で共有されている。したがって、図３２に表示された「部品図表示」ボタン６９９をクリックすることによって使用機器登録ＤＢから読み取られて表示される部品図と、図１０に表示された「部品図表示」ボタン１８５をクリックすることによって部品形式台帳登録ＤＢから読み取られて表示される部品図とには、同じ電子ファイルを読み込んで表示されるものがある。
【０２１７】
図３３に示す「使用機器対象アイテム登録」画面７１０は、上述のように、図３２に示す「対象アイテム／接続部」６８１の「追加」ボタン６８６又は「変更」ボタン６８７がクリックされた場合に、表示部９に表示される画面である。この「使用機器対象アイテム登録」画面７１０は、図３に示す表示階層の「使用機器対象アイテム登録」４７に相当する。
【０２１８】
「使用機器対象アイテム登録」画面７１０には、次の入力枠が使用機器登録ＤＢから読み出され表示される。
「形式」の入力枠７１１（図３２の６５１に相当）
「形式」の入力枠７１２（図３２の６５２に相当）
「機器名略号」７１３：機器名の略号（図３２の６５５に対応）
入力枠７１４：追番（図３２の表示枠６５７に対応）
表示枠７１５：機器名称（図３２の表示枠６５８に対応）
「アイテム略号」７１６（図３２の表示枠６８２に対応：必須項目：赤）
表示枠７１７：アイテム名称（図３２の表示枠６８３に対応）
「部品形式」７１９（図３２の表示枠６８４に対応）
「部品名称」７２０：機器の部品名称
「記事」７２１：アイテムに関する特記事項
【０２１９】
「使用機器対象アイテム登録」画面７１０が表示される際に図３２の「追加」ボタン６８６がクリックされた場合は、入力枠７１１〜７１３には図３２の対応する入力枠の情報が表示され、他の入力枠は新規の情報を入力することができるように空欄となっている。また、「使用機器対象アイテム登録」画面７１０が表示される際に図３２の「変更」ボタン６８７がクリックされた場合は、入力枠７１１〜７２１には図３２の対応する入力枠の情報が表示され、入力枠７１９，７２１に情報を変更、入力することができる。なお、「？」ボタン７１６Ａは、図３２に示す「使用機器登録一覧」画面６５０の「？」ボタン６５６と同様に、アイテム／機器名称台帳登録ＤＢに登録されたアイテム・機器名称一覧を表示させアイテム・機器を選択するためのボタンである。また、「？」ボタン７１９Ａは、部品形式台帳ＤＢに登録された部品形式一覧を表示させ、部品形式を選択するためのボタンである。
【０２２０】
ユーザは、表示された入力枠７１１〜７２１に、使用機器の対象となるアイテムに関する情報を入力又は変更し、操作部８のマウスを用いて「登録」ボタン７２５をクリックする。すると、処理部７は、各入力枠７１１〜７２１に入力又は変更された情報を読み取り、それらの情報を使用機器登録ＤＢに登録すると共に、「使用機器対象アイテム登録」画面７１０を終了させ、図３２に示す「使用機器登録」画面６５０を表示させる。この「使用機器登録」画面６５０の各表示枠において表示される情報は、「使用機器対象アイテム登録」画面７１０において入力又は変更された情報を反映している。
【０２２１】
また、「終了」ボタン７２６は、「使用機器対象アイテム登録」画面７１０が表示されている状態で、図３２に示す「使用機器登録」画面６５０に戻って表示させるためのボタンである。
【０２２２】
図３４に示す「使用機器対象接続部登録」画面７３０は、上述のように、図３２に示す「対象アイテム／接続部」６８１の「追加」ボタン６９５又は「変更」ボタン６９６がクリックされた場合に、表示部９に表示される画面である。この「使用機器対象接続部登録」画面７３０は、図３に示す表示階層の「使用機器対象接続部登録」４６に相当する。
【０２２３】
「使用機器対象接続部登録」画面７３０には、次の入力枠が表示される。各入力枠には使用機器登録ＤＢから読み出された情報が表示される。
「形式」の入力枠７３１（図３２の６５１に相当）
「形式」の入力枠７３２（図３２の６５２に相当）
「機器名略号」７３３：機器名の略号（図３２の６５５に対応）
入力枠７３４：追番（図３２の表示枠６５７に対応）
表示枠７３５：機器名称（図３２の表示枠６５８に対応）
「接続タイプ」の「コネクタ」のマーキング欄７３７：接続部のタイプがコネクタであるときにマーキングする欄（接続タイプは必須項目であり赤で表示される）
「接続タイプ」の「端子台」のマーキング欄７３８：接続部のタイプが端子台であるときにマーキングする欄
「接続タイプ」の「アイテム」のマーキング欄７３９：接続部のタイプがアイテム直接続であるときにマーキングする欄
「接続部名称」７４１（図３２の表示枠６９０に対応：必須項目：赤）
「部品形式」７４２：接続部の部品形式（図３２の表示枠６９２に対応：必須項目：赤）
「部品名称」７４４：接続部の部品名称
「用途」７４５（図３２の入力枠６９３に対応）
【０２２４】
「使用機器対象接続部登録」画面７３０が表示される際に図３２の「追加」ボタン６９５がクリックされた場合は、入力枠７３１〜７３５には図３２の対応する入力枠の情報が表示され、他の入力枠は新規の情報を入力することができるように空欄となっている。また、「使用機器対象接続部登録」画面７３０が表示される際に図３２の「変更」ボタン６９６がクリックされた場合は、入力枠７３１〜７４５には図３２の対応する入力枠の情報が表示される。そして、入力枠７４２，７４５に情報を入力又は変更することができる。なお、「？」ボタン７４２Ａは、部品形式台帳ＤＢに登録された部品形式一覧を表示させ、部品形式を選択するためのボタンである。
【０２２５】
ユーザは、表示された入力枠７３１〜７４５に、使用機器の対象となるアイテムの接続部に関する情報を入力又は変更し、操作部８のマウスを用いて「登録」ボタン７４７をクリックする。すると、処理部７は、各入力枠７３１〜７４５に入力又は変更された情報を読み取り、それらの情報を使用機器登録ＤＢに登録すると共に、「使用機器対象接続部登録」画面７３０を終了させ、図３２に示す「使用機器登録」画面６５０を表示させる。この「使用機器登録」画面６５０の各表示枠において表示される情報は、「使用機器対象接続部登録」画面７３０において入力又は変更された情報を反映している。
【０２２６】
また、「終了」ボタン７４８は、「使用機器対象接続部登録」画面７３０が表示されている状態から、この「使用機器対象接続部登録」画面７３０を終了させ、図３２に示す「使用機器登録」画面６５０を表示させるためのボタンである。
【０２２７】
「使用機器登録」画面６５０での入力、変更等の作業が終了すると、「終了」ボタン７００がクリックされる。すると、処理部７は、「使用機器登録」画面６５０を終了させ、表示部９に図３１に示す「使用機器登録一覧」画面６３０を表示させる。さらに「終了ボタン」６４７がクリックされると、図１７の「形式登録」画面３３０が表示される。
【０２２８】
（３）配線データ入力系画面
図３５に示す「配線データ入力」選択メニュー画面７５０は、図６の「配線データ入力」ボタン９３をクリックすることによって表示される。この「配線データ入力」選択メニュー画面７５０は、図４に示す表示階層の「配線データ入力」５０に相当する。
【０２２９】
「配線データ入力」選択メニュー画面７５０の画面上側には、次の情報が配線データ入力ＤＢから処理部７によって読み込まれ表示される。
「形式」の入力枠７５１：鉄道車両の提供先企業略号又は名称（プルダウンメニューにより選択可能：図１７の入力枠３３１に対応：必須要件且つキー項目：青）
「形式」の入力枠７５２：鉄道車両の提供先企業での車両の種別を識別する略号（図１７の入力枠３３２：必須要件且つキー項目：青）
「名称」７５３：車両の名称（図１７の入力枠３３３に対応）
「工作号」７５４：「形式」の入力枠７５１，７５２に表示される車両の工作号番号
「消しゴム訂正」マーキング欄７５５：削除履歴を付与しない配線データの抹消を行うときにマークする欄
【０２３０】
「形式」７５１，７５２、及び「名称」７５３の入力方法は、図１７に示す「形式」３３１，３３２及び「名称」３３３に入力する方法と同様である。つまり「一覧」ボタン７５７をクリックすることにより「形式一覧」画面３５０（図１８参照）において一覧表示された「形式」、「名称」を選択することができる。「入力クリア」ボタン７５８は、確定した「形式」７５１，７５２の情報の解除状態を解除し、空欄にするためのボタンである。
【０２３１】
また、「形式」７５１，７５２、「名称」７５３、「工作号」７５４で特定される車両に関する種々の配線情報を表示させるため、「配線データ入力」選択メニュー画面７５０には、「ＦｒｏｍＴｏ情報登録」ボタン７６０、「電線廻し構成確認」ボタン７６１、「確認用線データ入力」ボタン７６２、「確認データ突合せ」ボタン７６３、「結線検索・登録」ボタン７６４、「系統検索・登録」ボタン７６５が表示される。これらのボタン７６０〜７６５は、図４に示す表示階層の符号５１，５５，５７，５９，６０，６３に相当する。
【０２３２】
（３−ａ）  「ＦｒｏｍＴｏ情報登録」系画面
図３６に示す「ＦｒｏｍＴｏ情報登録」画面７７０は、図３５に示す「配線データ入力」選択メニュー画面７５０の「ＦｒｏｍＴｏ情報登録」ボタン７６０がクリックされることで表示される。この「ＦｒｏｍＴｏ情報登録」画面７７０は、図４に示す表示階層の「ＦｒｏｍＴｏ情報登録」５１に相当する。ＦｒｏｍＴｏ情報登録ＤＢから読み出され「ＦｒｏｍＴｏ情報登録」画面７７０の画面上側には、次のデータが入力枠に表示される。なお、「ＦｒｏｍＴｏ情報登録」画面７７０に表示される情報は図３５の入力枠７５１〜７５４で特定される車両に関する情報である。図３５の入力枠７５１〜７５４の車両、工作号に関する情報は下記の「形式」７７１，７７２、「工作号」７７３に対応して表示される。
【０２３３】
「形式」の入力枠７７１：鉄道車両の提供先企業略号又は名称、及びその企業での車両の識別する略号（図３５の入力枠７５１，７５２に対応）
「形式」の入力枠７７２：鉄道車両の提供先企業での車両の名称（図３５の入力枠７５３に対応）
「工作号」７７３（図３５の入力枠７５３に対応）
「大」マーキング枠７７４：大画面サイズに切り替えるボタン（１９インチ画面（1280*1024ピクセル）用）
「中」マーキング枠７７５：中画面サイズに切り替えるボタン（1024*768ピクセル用）
「装置番号」７７７，７７８：配線図・ツナギ図に表れる装置を識別する番号
「図面番号」７７９：その装置の図面番号（必須項目且つキー項目：青）
表示枠７８０：その装置を表した図番名
「車種」７８２：「形式」７７１，７７２で特定される車両の車種（必須項目：赤）
「表示順序」の「起点アイテム」枠７８３：表示枠７９０において起点アイテム情報を表示させる表示順序
「表示順序」の「線番号」枠７８４：表示枠７９０において配線する電線の線番号を表示させる表示順序
「表示順序」の「終点アイテム」枠７８５：表示枠７９０において終点アイテム情報を表示させる表示順序
【０２３４】
ここで、「一覧」ボタン７８７は、入力枠７７７〜７８０内の内容で特定される装置を一覧表示するためのボタンである。この「一覧」ボタン７８７をクリックすることにより、図３７に示す「図番一覧」画面８５０が表示される。
【０２３５】
表示欄７９０には、次の情報がＦｒｏｍＴｏ情報登録ＤＢから読み出されリスト状に表示される。
「起点アイテム」７９１：配線の起点となるアイテム
「線番号」７９２：配線に用いられる電線の番号
「親番号」７９３：配線に用いられる電線の親電線の番号
「終点アイテム」７９４：配線の終点となるアイテム
「追加」７９８：追加版数
「削除」７９９：削除版数
【０２３６】
なお、「起点アイテム」７９１には２つの表示枠７９１ａ，７９１ｂが設けられ、ツナギ図に記載される起点アイテムの略号と名称とが表示されるようになっている。同様に、「終点アイテム」７９４にも２つの表示枠７９４ａ，７９４ｂが設けられ、ツナギ図に記載される終点アイテムの略号と名称とが表示されるようになっている。また、表示枠７９０内のリストにおいて、処理部７は、ＦｒｏｍＴｏ情報登録ＤＢ上、線番号が確定しているリスト及び機器が確定しているリストの背景を黄色く表示させ、系統が確定しているリストを青く表示させ、後述する入力枠８０１〜８３７に詳細な情報を表示させるために選択されたリストを赤く表示させる。また、表示欄７９０内の表はスクロールバー８００によってスクロールされるようになっている。
【０２３７】
表示欄７９０の下側には、表示欄７９０内においてマウスでクリックすることにより選択されたリストの中の電線に関する次の情報が表示されるようになっている。
「線番号」８０１（表示枠７９２に対応：必須項目：赤）
「回路属性」８０２：電線が使用される回路の属性、電線の種類（必須項目：赤）
「親線番号」８０３（表示枠７９３に対応）
入力枠８０５：電線種類の略号（必須項目且つキー項目：青）
入力枠８０６：電線のサイズ（直径）に対応して付されたサイズ名称
入力枠８０７：電線の外皮色
【０２３８】
「回路属性」８０２には、シールド回路、交流／直流回路、交流回路、光回路、高圧回路、直流回路、同軸回路、複合ケーブル等が表示される。
【０２３９】
なおここで、線番号は、シールド線や多芯線の芯線ごとに付される番号であるため、シールド線或いは多芯線には芯線の本数分、線番号を有することになる。また、シールド線及び多芯線には芯線が外見的に１本にまとめられているため、シールド線及び多芯線ごとに親線番号が付されている。一方、単線に対しては１つの線番号が付され、親線番号は付されない。したがって、シールド線或いは多芯線における線番号と親線番号との関係は、線番号が芯線に付される番号であるのに対し、親線番号は外見的に１本に見えるシールド線或いは多芯線に付される番号である。
【０２４０】
また、「？」ボタン８０８は、入力枠８０５〜８０７内の内容で特定される電線を検索するためのボタンである。この「？」ボタン８０８をクリックすることにより、図３８に示される「電線種類検索」画面８８０が表示される。
【０２４１】
「種別」８１０の横に配列されるマーキング枠８１０〜８１５には、＃１〜＃５で表される種別ごとに、入力枠８０１〜８０８によって特定される電線が使用されるか否かをマーキングする枠である。操作部８のマウスでクリックすることにより、「○」又は「×」のマーキングが付される。
【０２４２】
「電線手配」８１７では、入力枠８０１〜８０８で特定される電線の手配方法がマーキングされる。すなわち、「購入品」８１９は、電線を別途購入する場合にマーキングされる欄である。「機器付属」８２０は、機器に付属している場合にマーキングされる欄である。「メーカ支給品」８２１は、アイテムを支給するメーカから電線が支給される場合にマーキングされる欄である。「ユーザ支給品」８２２は、鉄道車両提供先のユーザから電線が支給される場合にマーキングされる欄である。
【０２４３】
「起点」画面枠８２４には、表示枠７９０のリストにおいて選択された「起点アイテム」−「線番号」−「終点アイテム」の関係のうち表示枠７９１の起点アイテムに関する次の情報が表示される。これらの入力枠では、文字を入力、変更することができる。
「アイテム名称」８２５（表示枠７９１ｂに対応：必須項目且つキー項目：青）
「アイテム略号」８２６（表示枠７９１ａに対応：必須項目且つキー項目：青）
「振替マーク」８２７
「記事」８２８：ＦｒｏｍＴｏ情報の電線に関する特記事項
【０２４４】
また、「？」ボタン８３０又は８３１をクリックすると、図３９に示す「アイテム名称一覧」画面９１０が表示される。これらの入力枠でも、文字を入力、変更することができる。
【０２４５】
「終点」画面枠８３４には、表示枠７９０のリストにおいて選択された「起点アイテム」−「線番号」−「終点アイテム」の関係のうち表示枠７９４の終点アイテムに関する次の情報が表示される。
「アイテム名称」８３５（表示枠７９４ｂに対応：必須項目且つキー項目：青）
「アイテム略号」８３６（表示枠７９４ａに対応必須項目且つキー項目：青）
「振替マーク」８３７
【０２４６】
また、「？」ボタン８３９又は８４０をクリックすると、図３９に示す「アイテム名称一覧」画面９１０が表示される。
【０２４７】
「起点アイテム」−「電線」−「終点アイテム」の情報について追加したい場合は、電線の情報に関する入力枠８０１〜８２２、起点アイテムの情報に関する入力枠８２５〜８２８、及び終点アイテムの情報に関する入力枠８３５〜８３７に対し、新規の情報を入力し、「追加」ボタン８４１をクリックする。この操作により、処理部７は、入力された新たな情報をＦｒｏｍＴｏ情報登録ＤＢに登録する。
【０２４８】
また、表示枠７９０に表示される「起点アイテム」−「電線」−「終点アイテム」の情報の中で変更したい情報がある場合、表示枠７９０中、変更する行を操作部８のマウスでクリックして選択する。すると、選択された「起点アイテム」−「電線」−「終点アイテム」の情報が、電線の情報に関する入力枠８０１〜８２２、起点アイテムの情報に関する入力枠８２５〜８２８、及び終点アイテムの情報に関する入力枠８３５〜８３７に表示される。その状態で、操作部８のキーボード及びマウスを用いて変更したい文字を変更し、あるいは「？」ボタン８０８，８３０，８３１，８３９又は８４０をクリックし、展開される各検索画面で適切な電線又はアイテムを選択する。変更後に「変更」ボタン８４２をクリックする。この操作により、処理部７は、変更された情報をＦｒｏｍＴｏ情報登録ＤＢに登録する。
【０２４９】
また、表示枠７９０に表示される「起点アイテム」−「電線」−「終点アイテム」の情報の中で削除したい情報がある場合、表示枠７９０中、削除する行を操作部８のマウスでクリックして選択し、「削除」ボタン８４２をクリックする。すると、選択された「起点アイテム」−「電線」−「終点アイテム」の情報が処理部７によって表示枠７９０から消去される。このとき、削除版数と追加版数とが同一である場合は、選択された「起点アイテム」−「電線」−「終点アイテム」の情報がＦｒｏｍＴｏ情報登録ＤＢから処理部７によって削除される。一方、版数が異なる場合、処理部７は、「起点アイテム」−「電線」−「終点アイテム」情報に削除フラグを付し、データ自体はＦｒｏｍＴｏ情報登録ＤＢにとどめておく。
【０２５０】
「図番／車種変更」８４５は、図番又は車種を変更する場合にクリックされる。「終了」ボタン８４６は、「ＦｒｏｍＴｏ情報登録」画面７７０での作業を終えたときにクリックされる。この「終了」ボタン８４６がクリックされると、処理部７は表示部９に対し、図３５に示す「配線図データ入力」選択メニュー画面７５０を表示させる。
【０２５１】
図３７に示す「図番一覧」画面８５０は、図３６の「ＦｒｏｍＴｏ情報登録」画面７７０において「一覧」ボタン７８７がクリックされたときに表示される画面であり、図３６の入力枠７７７〜７８０に装置番号、図面番号、図面名を入力するための画面である。「図番一覧」画面８５０は、図４に示す表示階層の「図面一覧」５２に相当する。「図番一覧」画面８５０は、の画面上側には次の入力枠が表示される。
「装置番号」８５１，８５２（図３６の入力枠７７７，７７８に対応）
「図番」８５３（図３６の入力枠７７９に対応）
「図面名」８５４（図３６の入力枠７８０に対応）
【０２５２】
なお、「小」マーキング枠８５６は画面を所定のサイズに比較的小さく表示するためのマーキング枠であり、「中」マーキング枠８５７は、画面を中程度の大きさに表示させるマーキング枠である。
【０２５３】
「検索」ボタン８６０は、入力枠８５１〜８５４に入力された情報に該当する情報を検索する場合に、操作部８のマウスでクリックされる。処理部８は、「検索」ボタン８６０がクリックされると、図番登録ＤＢを参照し、入力枠８５１〜８５４に入力された情報に該当する情報を読み取り、表示枠８６２にリスト状に表示させる。表示枠８６２に表示される情報は次の情報である。
「装置番号」８６２（図２５の入力枠５０５，表示枠５０９に対応）
「図番」８６３：図面番号（図２５の表示枠５１０）
「図面名」８６４：（図２５の表示枠５１１）
「入力本数」８６５
【０２５４】
なお、スクロールバー８６７によって、表示枠８６１に表示される情報をスクロールすることができる。
【０２５５】
図３７で示される例では、「装置番号」８５１の枠に“１６”と入力され「検索」ボタン８６０をクリックすることで検索した結果が表示枠８６１に表示されている。表示枠８６１に表示された「装置番号」は“１６−”で始まる装置番号の図面である。このように、入力枠８５１〜８５４のうち一部の入力枠に入力された情報から検索することもできる。
【０２５６】
「確定」ボタン８６９は、図３６の入力枠７７７〜７８０に表示させる際に、選択する情報を確定させるために用いられる。すなわち、ユーザは表示枠８６１にリスト表示される情報のうち、図３６の入力枠７７７〜７８０に表示させる情報を操作部８のマウスによってクリックして選択する。さらにユーザは「確定」ボタン８６９をクリックする。すると、図３６に入力枠７７７〜７８０に表示させる情報が、図３７の表示枠８６１で選択された情報に確定され、処理部７によってＦｒｏｍＴｏ情報登録ＤＢに登録されると共に、「図番一覧」画面８５０が終了され、図３６に示す「ＦｒｏｍＴｏ情報登録」画面７７０が表示される。「ＦｒｏｍＴｏ情報登録」画面７７０では、図３７の「図番一覧」画面８５０において確定された「装置番号」８６２、「図番」８６３、「図面名」８６４等が表示される。
【０２５７】
なお、「終了」ボタン８７０は、図３７に示す「図番一覧」画面８５０が表示されている状態で、この「図番一覧」画面８５０を終了させ、図３６に示す「ＦｒｏｍＴｏ情報登録」画面７７０を表示させるためのボタンである。
【０２５８】
図３８に示す「電線種類検索」画面８８０は、図３６の「ＦｒｏｍＴｏ情報登録」画面７７０において「？」ボタン８０８がクリックされたときに表示される画面である。処理部７は、「？」ボタン８０８がクリックされると、電線の種類等に関する次の入力枠が表示される。
「電線種類略号」８８１：電線種類の略号（図３６の表示枠８０５に対応）
「電線種類名称」８８２：電線種類の名称
「サイズ名称」８８３：電線のサイズを識別する記号（図３６の表示枠８０６に対応）
【０２５９】
なお、「小」マーキング枠８８５及び「中」マーキング枠８８６は、画面の大きさを小・中サイズに切り替えるボタンである。
【０２６０】
「検索」ボタン８８８は、入力枠８８１〜８８３に入力された情報に該当する情報を検索する場合に、操作部８のマウスでクリックされる。処理部８は、「検索」ボタン８８８がクリックされると、電線台帳登録ＤＢを参照し、入力枠８８１〜８８３に入力された情報に該当する情報を読み取り、表示枠８９０にリスト状に表示させる。入力枠８８１〜８８３のうち一部の入力枠に入力された情報から検索することもできる。表示枠８９０にリスト状に表示される情報は次の情報である。
「電線種類略号」８９１（図３６の表示枠８０５に対応）
「電線種類名称」８９２
「サイズ名称」８９３（図３６の表示枠８０６に対応）
「外皮色」８９４（図３６の表示枠８０７）
「記事」８９５：電線に関する特記事項
【０２６１】
なお、スクロールバー８９６によって、表示枠８９０に表示される表をスクロールすることができる。
【０２６２】
「確定」ボタン９００は、図３６の入力枠８０５〜８０７に表示させる際に、選択する情報を確定させるために用いられる。すなわち、ユーザは表示枠８９０にリスト表示される情報のうち、図３６の入力枠８０５〜８０７に表示させる情報を操作部８のマウスによってクリックして選択する。さらにユーザは「確定」ボタン９００をクリックする。すると、図３６に入力枠８０５〜８０７に表示させる情報が、図３８の表示枠８９０で選択された情報に確定され、処理部７によってＦｒｏｍＴｏ情報登録ＤＢに登録されると共に、図３８に表示された「電線種類検索」画面８８０が終了され、図３６に示す「ＦｒｏｍＴｏ情報登録」画面７７０が表示される。「ＦｒｏｍＴｏ情報登録」画面７７０では、図３８の「電線種類検索」画面８８０において確定された「電線種類略号」８９１、「電線種類名称」８９３、「サイズ名称」８９３、「外皮色」８９４等が表示される。
【０２６３】
また、「終了」ボタン９０１は、図３８に示す「電線種類検索」画面８８０が表示された状態で、この「電線種類検索」画面８８０を終了させ、図３６に示す「ＦｒｏｍＴｏ情報登録」画面７７０を表示させるためのボタンである。
【０２６４】
図３９に示す「アイテム名称一覧」画面９１０は、図３９の「ＦｒｏｍＴｏ情報登録」画面７７０において「？」ボタン８３０，８３１，又は８４０がクリックされたときに表示される画面である。「アイテム名称一覧」画面９１０には、アイテムに関する次の入力枠が表示される。
「アイテム略号」９１１（図３６の入力枠８２６，８３６に対応）
「アイテム名称」９１２（図３６の入力枠８２５，８３５に対応）
「顧客略号」９１３（図３５の入力枠７５１に対応）
【０２６５】
なお、「小」マーキング枠９１４及び「中」マーキング枠９１５は、画面の大きさを小・中サイズに合わせて切り替えるボタンである。
【０２６６】
「検索」ボタン９１８は、入力枠９１１〜９１３に入力された情報に該当する情報を検索する場合に、操作部８のマウスでクリックされる。処理部８は、「検索」ボタン９１８がクリックされると、アイテム／機器名称登録ＤＢを参照し、入力枠９１１〜９１３に入力された情報に該当する情報を読み取り、表示枠９２０にリスト状に表示させる。入力枠９１１〜９１３のうち一部の入力枠に入力された情報から検索することもできる。表示枠９２０にリスト状に表示される情報は次の情報である。
「アイテム略号」９２１（図３６の入力枠８２６，８３６に対応）
「アイテム名称」９２２（図３６の入力枠８２５，８３５に対応）
「顧客略号」９２３（図３５の入力枠７５１に対応）
「記事」９２４（図３６の入力枠８２８に対応）
【０２６７】
なお、スクロールバー９２５によって、表示枠９２０に表示される表をスクロールすることができる。
【０２６８】
「確定」ボタン９２８は、図３６の入力枠８２５〜８２８又は入力枠８３５〜８３７に表示させる際に、選択する情報を確定させるために用いられる。すなわち、ユーザは表示枠９２０にリスト表示される情報のうち、図３６の入力枠８２５〜８２８又は入力枠８３５〜８３７に表示させる情報を操作部８のマウスによってクリックして選択する。さらにユーザにより「確定」ボタン９２８がクリックされる。すると、図３６に入力枠８２５〜８２８又は入力枠８３５〜８３７に表示させる情報が、図３９の表示枠９２０で選択された情報に確定され、処理部７によってＦｒｏｍＴｏ情報登録ＤＢに登録される。それと共に、「アイテム名称一覧」画面９１０を終了させ、図３６に示す「ＦｒｏｍＴｏ情報登録」画面７７０を表示させる。「ＦｒｏｍＴｏ情報登録」画面７７０では、図３９の「アイテム名称一覧」画面９１０において確定された「アイテム略号」９２１、「アイテム名称」９２２等が表示される。なお、「？」ボタン８３０，８３１がクリックされて図３９が表示されていた場合は起点アイテムの情報として登録され、「？」ボタン８４０がクリックされて図３９が表示されていた場合は終点アイテムの情報として登録される。
【０２６９】
「アイテム名称台帳登録」ボタン９２７は、処理部７によって図１６に示す「アイテム／機器名称台帳登録」画面３１１を表示させるボタンである。この「アイテム／機器名称台帳登録」画面３１１を表示させることにより、新規なアイテム・機器の登録や一覧表示をすることができる。
【０２７０】
また、「終了」ボタン９２９は、「アイテム名称一覧」画面９１０が表示されている状態から、図３６に示す「ＦｒｏｍＴｏ情報登録」画面７７０に戻って表示させるためのボタンである。
【０２７１】
（３−ｂ）  「電線廻し構成確認」系画面
「電線廻し構成確認」系の画面は、線番号毎に、接続されている機器名、電線種類等が正しく電線を引き廻されている構成となっているかどうかを確認するための画面である。
【０２７２】
図４０に示す「電線廻し構成確認」画面９４０は、図３５に示す「配線データ入力」選択メニュー画面７５０の「電線廻し構成確認」ボタン７６１がクリックされて表示される画面である。この「電線廻し構成確認」画面９４０は、図４に示す表示階層の「電線廻し構成確認」５５に相当する。
【０２７３】
図４０に示す「電線廻し構成確認」画面９４０の画面上側には、「電線廻し構成確認」画面９４０の画面上側には、図３５の入力枠７５１，７５２に入力された提供先企業の略語と車両の略号とが表示される「形式」９４１と、図３５の入力枠７５３に入力された車両の名称が表示される入力枠９４２とが表示される。また、「形式」９４１，９４２の下側には、「工作号」９４３及び「車種」９４５の入力枠が表示される。この「車種」９４５では、入力枠９４１〜９４３で特定される車両に属する車種をプルダウンメニューにより選択することができるようになっている。この「車種」９４５は必須項目であり、項目名が赤く表示される。
【０２７４】
「検索」ボタン９４６は、入力枠９４１〜９４５に入力された情報で特定される車種の製造に使用される電線の線番号ごとに、その線番号に関連する情報をＦｒｏｍＴｏ情報登録ＤＢから読み取り、表示枠９４８に表示するためのボタンである。「検索」ボタン９４６がクリックされると、処理部７は、「検索」ボタン９４６のクリック操作信号を受け、ＦｒｏｍＴｏ情報登録ＤＢを参照し、次の情報をリスト表示する。
「線番号」９４９（図３６の表示枠７９２に対応）
「本数」９５０：線番号で識別される電線が使用される本数
「重複有無」９５１：同じ電線が重複して表示される電線の有無。有る場合に「有」と表示される。
「図番数」９５２：線番号で識別される電線が記載されている図の図番数
「代表図番設定有無」９５３：同じ電線が複数のツナギ図に渡って記載されている場合に、その電線が重複してＦｒｏｍＴｏ情報登録ＤＢに登録されていることを認識するために、複数のツナギ図のうち代表図が決められ、その代表図の図番が設定されているか否かの有無。有る場合に「有」と表示される。
【０２７５】
ここで、「本数」９５０に表示される線番号で識別される電線が使用される本数は、処理部７によって、ＦｒｏｍＴｏ情報登録ＤＢに登録されている同じ線番号がカウントされた本数である。なお、表示枠９４８は、スクロールバー９５５によってスクロールされるようになっている。また、電線の引き廻しに関して詳細な情報を表示させるために、「電線廻し詳細情報」ボタン９５７が表示される。「電線廻し詳細情報」ボタン９５７がクリックされると図４１に示す「電線廻し詳細情報」画面９６０が表示される。「終了」ボタン９９９は「電線廻し構成確認」画面９４０を終了させるときにクリックされる。処理部７は、「終了」ボタン９９９のクリック操作信号を受けると、図３６の「配線データ入力」画面７５０を表示部９に表示させる。
【０２７６】
図４１の「電線廻し詳細情報」画面９６０は、図４０の「電線廻し構成確認」画面９４０において「電線廻し詳細情報」ボタン９５７がクリックされたとき表示される画面である。「電線廻し詳細情報」画面９６０は、図４に示す表示階層の「電線廻し詳細情報」５６に相当する。
【０２７７】
「電線廻し詳細情報」画面９６０の画面上側には、図４０の入力枠９４１〜９４５，表示枠９４９に対応して、次の情報が各入力枠に表示される。
「形式」９６１（図４０の入力枠９４１に対応）
入力枠９６２：車両名（図４０の入力枠９４２に対応）
「工作号」９６３（図４０の入力枠９４３に対応）
「車種」９６６（図４０の入力枠９４５）
「線番号」９６７（図４０の表示枠９４９に対応：必須項目：赤）
【０２７８】
なお、図４０の表示枠９４８において「線番号」９４９の中で特定の線番号が選択されて図４１の「電線廻し詳細情報」画面９６０が表示された場合、「線番号」９６７にはその選択された線番号が表示される。「表示」ボタン９６９は、入力枠９６６で特定される車種において使用される電線のうち、「線番号」９６７で識別される電線に関連する情報を表示枠９８０に表示させるためのボタンである。すなわち、「表示」ボタン９６９がクリックされると、処理部７は、「表示」ボタン９６９のクリック操作信号を受け、ＦｒｏｍＴｏ情報登録ＤＢを参照して「線番号」９６７に関連する情報を読み取り、表示枠９８０にリスト表示する。
【０２７９】
「列項目」９７１は、表示枠９８０に表示される起点アイテム及び終点アイテムに関し、表示枠９８０に表示させる項目を選択する表示枠である。「列項目」９７１では、起点アイテム及び終点アイテムについて、「アイテム名称」「アイテム略号」「振替マーク」「部品形式」「機器名略号」のいずれかが選択可能となっている。「切替」ボタン９７８は、「列項目」９７１において選択項目を変更した場合にクリックされるボタンである。「切替」ボタン９７８がクリックされると、処理部７は、「列項目」９７１における変更後の選択項目を読み取り、その選択項目についての情報をＦｒｏｍＴｏ情報登録ＤＢから読み出し、表示枠９８０に表示させる。
【０２８０】
表示枠９８０には、「車種」９６６に表示された車種において使用され「線番号」９６９で識別される線番号に関連する情報がリスト状に表示される。ＦｒｏｍＴｏ情報登録ＤＢが参照され表示枠９８０に表示される情報としては次の情報である。
「線番号」９８１：入力枠９６７で表示される線番号（図４０の「線番号」９８１に対応、図３６の「線番号」７９２に対応）
「親線番号」９８２（図３６の入力枠７９３に対応）
「電線種類番号」９８３（図３６の入力枠８０５に対応）
「電線サイズ」９８４（図３６の入力枠８０６に対応）
「起点（機器名略号）」９８５：起点側の機器名略号（「列項目」９７１の「起点」で選択された項目）
「終点（アイテム略号）」９８７：終点アイテムの略号（「列項目」９７１の「終点」で選択された項目）
「終点（機器名略号）」９８８：終点アイテムの略号（「列項目」９７１の「終点」で選択された項目）
表示枠９９２：「車種」に属する種別（＃１〜５：図２０の表示枠３９６に対応）で使用されるか否かの情報
「図番」９９６（図３７の表示枠８６３に対応）
「代表図面」９９６：同じ配線が複数の図面に記載されている場合の代表する図面の番号
【０２８１】
なお、表示枠９８０では縦の罫線はカーソルのドラッグにより移動させることができ、この画面例では起点側のアイテム略号の欄は罫線の移動で隠れている。また、スクロールバー９９８によって、表示枠９８０に表示される情報をスクロールすることができる。
【０２８２】
また、処理部７は、ＦｒｏｍＴｏ情報登録ＤＢにおいて、同じ起点アイテム（起点機器）と同じ終点アイテム（終点機器）との間に配線される電線として同じ線番号が複数登録されており、かつ図番も同じであると判定すると、それらの情報は重複データとして、表示枠９８０には背景を赤にしてリスト状に表示する。図４１に示す画面例では表示枠９８０のＮｏ．４６〜４９が重複データであるとして、それらの情報の背景の色は赤色で表示されている。
【０２８３】
次に、「代表図面」９９６において代表図面を設定する手順を説明する。処理部７は、ＦｒｏｍＴｏ情報登録ＤＢにおいて、同じ起点アイテム（起点機器）と同じ終点アイテム（終点機器）との間に配線される電線として同じ線番号が重複して登録されているが、それらには異なる図番が登録されていると判定すると、そのリストの背景を黄色に表示させると共に、「代表図面」９９６のプルダウンメニューのメニューに、自己の図番以外の複数の図番を表示させる。図４１に示す画面例では、表示枠９８０内においてＮｏ．５０の「代表図面」９９６の逆三角マークがクリックされて、プルダウンメニュー９９６ａが展開され、そのプルダウンメニュー９９６ａに異なる複数の図番が表示されている。そこで、ユーザは代表図面を決定し、その代表図番が「図番」９９５に表示されているものを残し、「図番」９９５に代表図番とは異なる図番が表示されているリストのプルダウンメニュー（９９６ａ参照）を開く。さらに、開いたプルダウンメニューに表示された図番から代表図面の図番をクリックによって選択すると、プルダウンメニューが閉じ、「代表図番」９９６に選択された代表図番が表示される。そのうえで、「登録」ボタン１００３がクリックされると、処理部７は、選択された代表図番を表示枠９８１〜９９５に表示された情報と関連付けてＦｒｏｍＴｏ情報登録ＤＢに登録する。
【０２８４】
このようにＦｒｏｍＴｏ情報登録ＤＢに重複して登録されるのは、同じアイテム（機器）間の配線が複数のツナギ図又は配線図に記載されていることがあり、このようなツナギ図又は配線図を基に配線に関する情報が登録されるからである。
【０２８５】
「ＦｒｏｍＴｏ情報登録」ボタン１０００は、処理部７によって、図３６の「ＦｒｏｍＴｏ情報登録」画面７７０を表示部９に表示させるためのボタンである。「同一機器確認」ボタン１００１は、表示枠９８０のリストの中で、同じ起点機器及び同じ終点機器に接続される電線が表示されている場合に、処理部７によって、その電線に関する情報を画面の色とは異なる色（例えば、青色）に目立たせて表示させるボタンである。これにより、重複されて登録された電線の情報が容易に確認される。
【０２８６】
「終了」ボタン１００４は、処理部７によって、「電線廻し詳細情報」画面９６０を終了させ、図４０の「電線廻し構成確認」画面９４０を表示部９に表示させるためのボタンである。
【０２８７】
（３−ｃ）  「確認用線データ入力」系画面
図４２に示す「確認用データ入力」画面１０１０は、図３５に示す「配線データ入力」選択メニュー画面７５０の「確認用線データ入力」ボタン７６２がクリックされることにより表示される画面である。この「確認用データ入力」画面１０１０は、図４に示す表示階層の「ＦｒｏｍＴｏ情報登録」５７に相当する。
【０２８８】
「確認用データ入力」画面１０１０の画面上側には、図３５の入力枠７５１，７５２に入力された提供先企業の略語と車両の略号とが表示される「形式」１０１１と、図３５の入力枠７５３に入力された車両の名称が表示される入力枠１０１２と、図３５の入力枠７５４に入力された工作号が表示される「工作号」１０１３とが表示される。また、「形式」１０１１，１０１２の下側には、次の入力枠が表示される。
「機器名略号」１０１４：機器名の略号（必須項目且つキー項目：青）
入力枠１０１５：追番
入力枠１０１６：機器名
【０２８９】
なお、「大」マーキング枠１０１７及び「中」マーキング枠１０１８は、画面の大きさを大・中サイズに合わせて切り替えるボタンである。
【０２９０】
「一覧」ボタン１０１９は、処理部７の処理により図４３に示す「機器一覧」画面１０３０を表示部９に表示させるためのボタンである。「機器一覧」画面１０３０は機器名を検索するための画面である。図４３の「機器一覧」画面１０３０で検索された機器名のうち、選択した機器を、図４２の入力枠１０１４〜１０１６に設定することができるようになっている。
【０２９１】
図４２の表示枠１０２０には、入力枠１０１１〜１０１３によって特定される車両に使用される機器のうち、入力枠１０１４〜１０１６で特定される機器の電線接続に関する次の情報が確認用線データ入力ＤＢから読み出されリスト表示される。
「接続部名称」１０２１：機器の接続部の名称（図３２の表示枠６９０に対応）
「許容電線サイズ」１０２２：電気部品の接続部の端子に接続できる電線のサイズの上限（図１０の表示枠１７５に対応）
「接続可能本数」１０２３：機器の接続部のポジションに接続できる電線の本数
「ポジション」１０２４：接続部のポジションの位置（図１０の表示枠１７１に対応）
「線番号」１０２５：接続する電線を特定する番号
【０２９２】
「登録」ボタン１０２６は、処理部７によって、表示枠１０２０に入力された情報を確認用線データ入力ＤＢに登録させるためのボタンである。「取消」ボタン１０２７は、ロックされている機器名略号を解除させ、別の機器略号を指定するためのボタンである。「終了」ボタン１０２８は、処理部７によって、図４２に示す「確認用線データ入力」画面１０１０を終了させ、図３５に示す「配線データ入力」画面７５０を表示部９に表示させるためのボタンである。
【０２９３】
図４３に示す「機器一覧」画面１０３０は、図４２の「一覧」ボタン１０１９のクリックにより表示される画面である。「機器一覧」画面１０３０には次の入力枠が表示される。
「機器名略号」１０３１（図４２の入力枠１０１４に対応）
「機器名称」１０３５（図４２の入力枠１０１６に対応）
【０２９４】
なお、「小」マーキング枠１０３３及び「中」マーキング枠１０３４は、画面の大きさを小・中サイズに合わせて切り替えるボタンである。
【０２９５】
「検索」ボタン１０３２は、「機器名略号」１０３１，「機器名称」１０３５に入力された情報を、使用機器台帳登録ＤＢから検索して表示枠１０３７に表示させるためのボタンである。すなわち、処理部７は、「検索」ボタン１０３２のクリック操作信号を受けると、使用機器台帳登録ＤＢを参照し、「機器名略号」１０３１，「機器名称」１０３５に入力された情報を検索して、その情報に関連付けられた各種情報を読み出し、表示枠１０３７にリスト表示させる。検索の結果、表示枠１０３７に表示される情報は、次の情報である。
「機器名略号」１０３８（入力枠１０３１，図４２の入力枠１０１４に対応）
「追番」１０３９（図４２の入力枠１０１５に対応）
「機器名称」１０４０（図４２の入力枠１０１６に対応）
「入力」１０４１：機器名称が入力済みである場合に、「済み」と表示される。
【０２９６】
「確定」ボタン１０４５は、表示枠１０３７に表示された「機器名略号」−「追番」−「機器名称」の関係の情報のうち図４２に示す「確認用線データ入力画面」１０１０の入力枠１０１４，１０１５，１０１６に入力すべき情報をクリックして選択した後、選択した情報を実際に入力枠１０１４，１０１５，１０１６させるためのボタンである。
【０２９７】
「複写」ボタン１０４６は、確認用線データＤＢに登録された線番号を、表示枠１０３７に表示された機器とは別の機器に関連付けて複写するボタンである。すなわち、表示枠１０３７に表示された機器名略号にはその機器に接続される電線の線番号が関連付けられて登録されている。そこで、表示枠１０３７から機器名略号をクリックして「複写」ボタン１０４６をクリックすると、処理部７はその機器名略号で特定される機器に接続される電線と同じ電線の線番号を別の機器に接続される電線として登録する。
【０２９８】
「入力取消」ボタン１０４７は、表示枠１０３７に入力した情報を取り消すためのボタンである。「終了」ボタン１０４８は、処理部７によって「機器一覧」画面１０３０を終了させ、「確認用線データ入力」画面１０１０を表示部９に表示させるためのボタンである。
【０２９９】
（３−ｄ）  「確認データ突合せ」画面
図４４に示す「確認データ突合せ」画面１０５０は、図３５に示す「配線データ入力」選択メニュー画面７５０の「確認データ突合せ」ボタン７６３がクリックされて表示される画面である。この「確認データ突合せ」画面１０５０は、機器間、アイテム間における電線の結線情報が適正であるかどうかを確認するための画面であり、確認用線データ入力ＤＢ、ＦｒｏｍＴｏ情報登録ＤＢ、及び使用機器登録ＤＢが参照される。「確認データ突合せ」画面１０５０は、図４に示す表示階層の「確認データ突合せ」５９に相当する。
【０３００】
「確認データ突合せ」画面１０５０の画面上側には、図３５の入力枠７５１，７５２に入力された提供先企業の略語と車両の略号とが表示される「形式」１０５１と、図３５の入力枠７５３に入力された車両の名称が表示される入力枠１０５２と、図３５の入力枠７５４に入力された工作号が表示される「工作号」１０５３とが表示される。さらに、「形式」１０５１，１０５２で特定される車両に属する種別に関する情報であるかどうかがマーキングによって示される「車種種別」マーキング枠１０５４が表示される。
【０３０１】
「確認データ突合せ」画面１０５０の画面中央から下側にかけて「エラー結果」表示枠１０５７が表示される。「エラー結果」表示枠１０５７には、確認用データ入力ＤＢ及びＦｒｏｍＴｏ情報登録ＤＢから読み出される情報を含めて、次の情報が表示枠に表示される。
「Ｎｏ．」１０５８：リストナンバー
「機器名略号」１０５９（図４２の入力枠１０１４，図４３の入力枠１０３８に対応）
「追番」１０６０（図４３の入力枠１０３９，図４２の入力枠１０１５に対応）
「車種」１０６１（図３６の入力枠７８２に対応）
「種別」１０６２（図３６の８１０に対応）
「接続部名称」１０６３：（図４２の入力枠１０２１に対応）
「許容電線サイズ」１０６４：（図４２の入力枠１０２２に対応）
「接続可能本数」１０６５（図４２の入力枠１０２３に対応）
「ポジション」１０６６（図４２の入力枠１０２４に対応）
「線番号」１０６７（図４２の入力枠１０２５に対応）
「親線番号」１０６８（図３６の入力枠７９３に対応）
【０３０２】
また、「突合」ボタン１０５６がクリックされると、処理部７によって、ＦｒｏｍＴｏ情報登録ＤＢの情報、確認用データ入力ＤＢの情報、及び使用機器登録ＤＢの情報が照合され、配線や結線の情報が適正であるかどうかの判定が、「エラーコード」１０６９、「エラー内容」１０７０に表示される。「エラーコード」Ｗ００００１〜Ｗ００００６には次の「エラー内容」が対応する。
Ｗ００００１：「線番号結線情報に無し」
Ｗ００００２：「線番号ＦｒｏｍＴｏ情報に無し」
Ｗ００００３：「許容電線サイズ超過」
Ｗ００００４：「接続可能電線本数超過」
Ｗ００００５：「単独配線」
Ｗ００００６：「機器設定されていません」
【０３０３】
次にこれらのエラーを判定する処理フローを説明する。エラー判定は、エラーコードＷ００００６の判定から始められ、Ｗ００００１〜Ｗ００００５の判定が順に判定される。
【０３０４】
＜エラーコードＷ００００６のエラー判定＞
図４５は、処理部７（機器設定照合手段）によって行われるエラーコードＷ０００６の判定を示す処理フローである。この判定では、処理部７によって、ＦｒｏｍＴｏ情報登録ＤＢに起点アイテムとして登録されるアイテム名称及び終点アイテムとして登録されているアイテム名称と、使用機器登録ＤＢに登録されるアイテム名称とが照合され、アイテム名称の登録漏れが判定される。
【０３０５】
まず、処理部７は、ＦｒｏｍＴｏ情報登録ＤＢを参照し、起点アイテム名称及び終点アイテム名称を抽出する（Ｓ１０１）。さらに、処理部７は、使用機器登録ＤＢを参照し、使用機器に属するアイテム（内部アイテム）のアイテム名称を抽出する（Ｓ１０２）。そして、処理部７は、ＦｒｏｍＴｏ情報登録ＤＢに起点アイテム名称又は終点アイテム名称として登録されたアイテム名称が、使用機器登録ＤＢに登録されたアイテム名称の中に存在するかどうか照合する（Ｓ１０３）。照合の対象となったアイテム名称が、使用機器登録ＤＢに登録されたアイテム名称の中に存在しなかった場合（Ｎｏ）、エラーコードＷ００００６（「機器設定されていません」）に該当するエラー、すなわち使用機器登録ＤＢにアイテム名称が設定されていないと判定する（Ｓ１０４）。
【０３０６】
Ｓ１０３において照合の対象となったアイテム名称が使用機器登録ＤＢに登録されたアイテム名称の中に存在した場合（Ｙｅｓ）又はＳ１０４の判定後は次の処理に移り、ＦｒｏｍＴｏ情報登録ＤＢに起点アイテム名称又は終点アイテム名称として登録されたアイテムの中で、Ｓ１０３の判定が未確認（未判定）であるアイテムが存在するかどうか判定する（Ｓ１０５）。未確認のアイテムが存在する場合（Ｙｅｓ）、Ｓ１０３に戻り、ＦｒｏｍＴｏ情報登録ＤＢに起点アイテム名称又は終点アイテム名称として登録されたアイテム名称のうち次のアイテム名称を照合対象とし、Ｓ１０３〜Ｓ１０５の照合、判定を行っていく。そして、Ｓ１０５において、ＦｒｏｍＴｏ情報登録ＤＢに起点アイテム名称又は終点アイテム名称として登録されたアイテム名称すべてがＳ１０３における照合、判定され、未確認のアイテム名称が存在しなくなるまで、Ｓ１０３〜Ｓ１０５の処理を繰り返す。そして、Ｓ１０５において未確認のアイテム名称が存在しなくなると（Ｎｏ）、エラーコードＷ００００６のエラー判定を終了し、エラーコードＷ００００１のエラー判定に移行する。
【０３０７】
＜エラーコードＷ００００１のエラー判定＞
図４６は、処理部７（電線情報照合手段）によって行われるエラーコードＷ０００１の判定を示す処理フローである。この判定では、処理部７によって、使用機器登録ＤＢに登録される線番号と、ＦｒｏｍＴｏ情報登録ＤＢに登録される線番号とが照合される。その際、確認用線データ入力ＤＢに登録された使用機器とその使用機器に接続される電線の対応関係の情報に基づき、起点アイテムと使用機器との対応及び終点アイテムと使用機器との対応が参照される。この判定によって、確認用線データ入力ＤＢでの線番号の登録漏れが判定される。
【０３０８】
最初に処理部７は、ＦｒｏｍＴｏ情報登録ＤＢを参照し、起点アイテム名称、終点アイテム名称、及び線番号を抽出する（Ｓ２０１）。さらに、処理部７は、確認用線データ入力ＤＢを参照し、使用機器の線番号のデータを抽出すると共に、使用機器登録ＤＢを参照し、使用機器に属するアイテム（内部アイテム）のアイテム名称を抽出する（Ｓ２０２）。処理部７は、ＦｒｏｍＴｏ情報登録ＤＢに起点アイテム名称又は終点アイテム名称として登録されたアイテムに図４５に示すエラーコードＷ００００６の判定においてエラーが発生していると判定されたか否か判別する（Ｓ２０３）。判別の対象とされた起点アイテム又は終点アイテムに、エラーコードＷ００００６のエラーが発生していたと判別された場合（Ｙｅｓ）、後述するＳ２０７の処理に移行する。
【０３０９】
一方、判別の対象とされた起点アイテム又は終点アイテムに、エラーコードＷ００００６のエラーは発生していなかったと判別された場合（Ｎｏ）、その起点アイテム又は終点アイテムは、使用機器登録ＤＢ上「内作」登録されていない（図３２における「内作」マーキング枠６６８においてマーキングされていない）機器内で配線されるアイテムであるのか否か判定する。このＳ２０４の判定において、その起点アイテム又は終点アイテムが、「内作」登録されていない機器内で配線されるアイテムであると判定された場合（Ｙｅｓ）、Ｓ２０７の処理に移行する。一方、Ｓ２０４の判定において、起点アイテム又は終点アイテムは、「内作」登録されていない機器内で配線されるアイテムではないと判定された場合（Ｎｏ）、処理部７は、確認用線データ入力ＤＢを参照し、その起点アイテム又は終点アイテムが属している機器に関連付けられた確認線データとして、ＦｒｏｍＴｏ情報登録ＤＢに登録された線番号と同じ線番号が確認用線データ入力ＤＢに登録されているか否かを判定する（Ｓ２０５）。この判定は、図３６の「ＦｒｏｍＴｏ情報登録」画面７７０に示されている「起点アイテム」７９１と「終点アイテム」７９４との間に結線される電線の線番号が、図４２の「確認用データ入力」画面１０１０に示す「線番号」１０２４に、機器に応じて登録されているかどうかを判定する。このＳ２０５の判定において、ＦｒｏｍＴｏ情報登録ＤＢに登録された線番号と同じ線番号が確認用線データ入力ＤＢに登録されてないと判定された場合（Ｎｏ）、エラーコードＷ００００１（「機器に結線情報無し」）に該当するエラー、すなわち確認用線データ入力ＤＢに線番号が登録されていないと判定する（Ｓ２０６）。
【０３１０】
Ｓ２０５の判定においてＦｒｏｍＴｏ情報登録ＤＢに登録された線番号と同じ線番号が確認用線データ入力ＤＢに登録されていると判定された場合、又はＳ２０６の判定後は次の処理に移り、ＦｒｏｍＴｏ情報登録ＤＢに起点アイテム名称又は終点アイテム名称として登録されたアイテムの中で、Ｓ２０５の判定が未確認であるアイテムが存在するか否かが判定される（Ｓ２０７）。未確認のアイテムが存在する場合（Ｙｅｓ）、Ｓ２０３に戻り、ＦｒｏｍＴｏ情報登録ＤＢに起点アイテム名称又は終点アイテム名称として登録されたアイテムのうち次のアイテムを照合対象とし、Ｓ２０３〜Ｓ２０６の照合、判定を行っていく。このＳ２０３〜Ｓ２０６の処理は、未確認のアイテム名称が存在しなくなるまで繰り返し行われる。そして、Ｓ２０７において未確認のアイテム名称が存在しなくなると（Ｎｏ）、エラーコードＷ００００１のエラー判定を終了し、エラーコードＷ００００２〜Ｗ００００４のエラー判定に移行する。
【０３１１】
＜エラーコードＷ００００２〜Ｗ００００４のエラー判定＞
図４７及び図４８は、処理部７（電線情報照合手段、接続可能電線本数判定手段、接続可能電線本数判定手段、接続可能電線サイズ判定手段）によって行われるエラーコードＷ００００２〜Ｗ００００４の判定を示す処理フローである。
【０３１２】
エラーコードＷ００００２のエラー「線番号ＦｒｏｍＴｏ情報に無し」判定では、エラーコードＷ００００１の判定と同様に、処理部７によって、使用機器登録ＤＢに登録される線番号と、ＦｒｏｍＴｏ情報登録ＤＢに登録される線番号とが照合される。その際、確認用線データ入力ＤＢに登録された使用機器とその使用機器に接続される電線の対応関係の情報に基づき、起点アイテムと使用機器との対応及び終点アイテムと使用機器との対応が参照される。ただし、このエラーコードＷ００００２の判定によって、ＦｒｏｍＴｏ情報登録ＤＢでの線番号の登録漏れが判定される。
【０３１３】
エラーコードＷ００００３のエラー「許容電線サイズ超過」判定の際、処理部７は、確認用線データ入力ＤＢの特定の線番号に関連付けられて登録された許容電線サイズと、ＦｒｏｍＴｏ情報登録ＤＢにおいてその特定の線番号に関連付けて登録された電線サイズとの大小関係を判定し、電線サイズが許容電線サイズを超過又は、下限を下回っていた場合、エラーと判定する。
【０３１４】
エラーコードＷ００００４のエラー「接続可能電線本数超過」判定の際、処理部７は、確認用線データ入力ＤＢの特定の線番号に関連付けられて登録された接続可能本数を抽出し、ＦｒｏｍＴｏ情報登録ＤＢにおいてその特定の線番号が登録されたＦｒｏｍＴｏ情報の個数を算出し、そのＦｒｏｍＴｏ情報の個数と接続可能本数との大小関係を判定し、ＦｒｏｍＴｏ情報の個数が、許容電線サイズを考慮して、接続可能本数を超過しているとエラーとする。
【０３１５】
なお、エラーコードＷ００００３及びＷ００００４のエラー判定の場合、ＦｒｏｍＴｏ情報登録ＤＢのＦｒｏｍＴｏ情報及び確認用線データ入力ＤＢの機器／線情報それぞれに、使用機器登録ＤＢにおいて互いに関連付けられて登録された機器名称及びアイテム名称のいずれか一方が存在するＦｒｏｍＴｏ情報及び機器／線情報を対象とする。これにより、同じ機器を対象として、その機器に接続される電線の本数及び電線のサイズが判定されることになる。
【０３１６】
次に、図４７及び図４８を参照して、具体的にエラーコードＷ００００２〜Ｗ００００４の判定について説明する。まず、処理部７は、ＦｒｏｍＴｏ情報登録ＤＢを参照し、起点アイテム名称、終点アイテム名称、及び線番号を抽出する（Ｓ３０１）。さらに、処理部７は、確認用線データ入力ＤＢを参照し、機器名称、接続部名称、許容電線サイズ、接続可能本数、及び線番号を抽出すると共に、使用機器登録ＤＢを参照し、機器名称とその機器に属するアイテム（内部アイテム）のアイテム名称を抽出する（Ｓ３０２）。
【０３１７】
次に処理部７は、使用機器の確認用線データとして確認用線データ入力ＤＢに登録されている１つの線番号を取り上げ、その線番号と同じ線番号が、ＦｒｏｍＴｏ情報登録ＤＢに１本以上登録されているか否か判定する（Ｓ３０３）。このＳ３０３の判定において、確認用線データ入力ＤＢに登録されている線番号と同じ線番号が、ＦｒｏｍＴｏ情報登録ＤＢに１本も登録されていないと判定された場合（Ｎｏ）、エラーコードＷ００００２（「線番号ＦｒｏｍＴｏ情報に無し」）に該当するエラー、すなわちＦｒｏｍＴｏ情報登録ＤＢに線番号が登録されていないと判定する（Ｓ３０４）。そして、後述するＳ３０９の処理に移行する。
【０３１８】
Ｓ３０３の判定においてＦｒｏｍＴｏ情報登録ＤＢに線番号が１本以上確認された場合（Ｙｅｓ）、処理部７は、確認用線データ入力ＤＢに登録されている「接続可能本数」は、ＦｒｏｍＴｏ情報登録ＤＢに登録されている電線本数以上か否かを判定する（Ｓ３０５）。このＳ３０５の判定において、確認用線データ入力ＤＢに登録されている「接続可能本数」がＦｒｏｍＴｏ情報登録ＤＢに登録されている電線本数以上ではなかった場合、エラーコードＷ００００４（「接続可能電線本数超過」）に該当するエラー、すなわちＦｒｏｍＴｏ情報登録ＤＢに登録されている電線本数が確認用線データ入力ＤＢに登録されている「接続可能本数」（入力枠１０２２）を超えていたと判定する（Ｓ３０６）。そして、Ｓ３０９の処理に移行する。
【０３１９】
Ｓ３０５の判定において確認用線データ入力ＤＢに登録されている「接続可能本数」は、ＦｒｏｍＴｏ情報登録ＤＢに登録されている電線本数以上であった場合（Ｙｅｓ）、処理部７は、確認用線データ入力ＤＢに登録された線番号の「許容電線サイズ」に対して、ＦｒｏｍＴｏ情報登録ＤＢに電線サイズが超過しているか、又は下限より小さい電線が１本以上存在するか否かを判定する（Ｓ３０７）。このＳ３０７の判定において、「許容電線サイズ」に対して電線サイズが超過しているか、又は下限より小さい電線が１本以上存在していた場合（Ｙｅｓ）、エラーコードＷ００００３（「許容電線サイズ超過」）に該当するエラー、すなわち確認用線データ入力ＤＢに登録された線番号の「許容電線サイズ」（入力枠１０２１）に対して、ＦｒｏｍＴｏ情報登録ＤＢに電線サイズが超過又は下限を下回る電線が１本以上存在していたと判定する（Ｓ３０８）。そして、Ｓ３０９の処理に移行する。
【０３２０】
Ｓ３０７の判定において「許容電線サイズ」を超過又は下限より小さい電線の存在はなかったと判定された場合（Ｓ３０９）、Ｓ３０４の判定、Ｓ３０６の判定、又はＳ３０８の判定された後は次の処理に移り、確認用線データ入力ＤＢに登録された確認用線データの中で、Ｓ３０３、Ｓ３０５、Ｓ３０７の判定が未確認である線データが存在するか否かが判定される（Ｓ３０９）。未確認の線データが存在する場合（Ｙｅｓ）、Ｓ３０３に戻り、確認用線データ入力ＤＢに登録された線データうち次の線データを照合対象とし、Ｓ３０３〜Ｓ３０８の判定を行っていく。このＳ３０３〜Ｓ３０８の処理は、未確認の線データが存在しなくなるまで繰り返し行われる。そして、Ｓ３０９において未確認の線データが存在しなくなると（Ｎｏ）、エラーコードＷ００００２〜Ｗ００００４のエラー判定を終了し、エラーコードＷ００００５のエラー判定に移行する。
【０３２１】
＜エラーコードＷ００００５のエラー判定＞
次に、エラーコードＷ００００５「単独配線」について、簡単な配線モデルを示す図４９を参照して説明し、そのうえで、エラーコードＷ０００５の処理フローを図５０及び図５１を参照して説明する前に、「単独配線」について説明する。
【０３２２】
図４９の配線モデルは、ある特定の線番号１００の電線が配線されている使用機器の配線状況を示しており、「単独配線」エラーが生じている配線モデルである。すなわち、使用機器Ａの内部において、アイテムａとアイテムｎとは線番号１００の電線により結線されている（配線ア）。また、使用機器Ａのアイテムａと使用機器Ｂのアイテムｂとは線番号１００の電線で結線されている（配線イ）。さらに、使用機器Ａのアイテムｎと使用機器Ｃのアイテムｃとは線番号１００の電線で結線されている（配線ウ）。また、使用機器Ｄの内部において、アイテムｄとアイテムｘとは線番号１００の電線で結線されている（配線エ）。使用機器Ｅの内部では、アイテムｅとアイテムｙとは線番号１００の電線で結線されている（配線オ）。さらに、使用機器Ｄ内のアイテムｘと使用機器Ｅ内のアイテムｙとは線番号１００の電線で結線されている（配線カ）。
【０３２３】
ここで、同じ線番号であれば、その電線に伝送される電気信号はほぼ同じである。同じ線番号の電線が複数本使用される場合、それらの電線にほぼ同種の電気を流す意図で、電線が配線される。そのため、同じ線番号の複数本の電線は、アイテムを介して連続して配線されるのが通常である。ここで図４９に示す配線モデルを見ると、使用機器Ａ，Ｂ，Ｃでは、アイテムｂからアイテムｃまでアイテムａ及びアイテムｎを介して線番号１００の電線が配線されている（配線ア〜ウ：使用機器Ａ，Ｂ，Ｃにおいて使用されている線番号１００の電線をグループ１の電線群と呼ぶ）。使用機器Ｄ，Ｅでは、アイテムｄからアイテムｅまでアイテムｘ及びアイテムｙを介して線番号１００の電線が配線されている（配線エ〜カ：使用機器Ｄ，Ｅにおいて使用されている線番号１００の電線をグループ２の電線群と呼ぶ）。しかし、グループ１の電線群とグループ２の電線群とは同じ線番号でありながらアイテムを介して連続して配線されていない。このような配線状況をユーザに対してエラーとして知らせるのがエラーコードＷ００００５のエラーである。
【０３２４】
この配線モデルを参照して、判定方法を簡単に説明する。図５０は、配線ア〜配線カの配線ごとに起点アイテム及び終点アイテムと、それらが属する起点機器及び終点機器をリスト表示した図である。この図において、まず、配線アの起点機器又は終点機器のどちらかと同じ起点機器又は終点機器である配線をグループ１とする。この場合、配線アの起点機器及び終点機器はいずれも使用機器Ａであるので、起点機器又は終点機器のどちらかが使用機器Ａである配線イ及び配線ウは、グループ１の配線である。したがって、配線ア〜配線ウで使用される電線はグループ１の電線群である。
【０３２５】
次に、グループ分けされていない配線エに着目し、配線エの起点機器又は終点機器のどちらかと同じ起点機器又は終点機器である配線を探す。配線エの起点機器及び終点機器はいずれも使用機器Ｄであるので、起点機器又は終点機器のいずれかが使用機器Ｄである配線を探すと、配線カが発見される。この配線カは未だグループ分けされていないため、配線エ及び配線カを新たなグループ２とする。さらに、未だグループ分けされていない配線オに着目し、配線オの起点機器又は終点機器のどちらかと同じ起点機器又は終点機器である配線を探す。配線オの起点機器及び終点機器は使用機器Ｅであるため、起点機器又は終点機器のいずれかが使用機器Ｅである配線を探す。すると配線カの終点機器がＥであることが知れる。配線カは既にグループ２に分けられているため、配線オを配線カと同じグループ２とする。このようにして配線エ〜配線カはグループ２であり、配線エ〜配線カで使用される電線はグループ２の電線群である。
【０３２６】
結果として線番号１００の電線の配線に関し、２以上のグループに分けられたため、同じ線番号である複数本の電線がアイテムを介して連続して配線されていないと判定される。このようにして単独配線エラーが判定される。なお、この方法では最初にアイテム名を使用機器名に置き換えて行っているが、この置き換えは「内作」登録されていない使用機器（図３２の「内作」マーキング枠６６８においてマーキングされていない）に属するアイテムに対して適用される。「内作」登録されているものは、自社で配線を確認する必要があるため、アイテム名を使用機器名に置き換えることなくこの判定を行う。そのことにより、「内作」登録されている使用機器についても同様に、単独配線エラー判定を行うことができる。
【０３２７】
以上の判定方法の説明を踏まえ、図５１及び図５２の処理フローを参照して、処理部７（配線判定手段）によって行われるエラーコードＷ００００５の判定を説明する。
【０３２８】
処理部７は、ＦｒｏｍＴｏ情報登録ＤＢを参照し、起点アイテム名称、終点アイテム名称、及び線番号を抽出する（Ｓ４０１）。さらに、処理部７は、使用機器登録ＤＢを参照し、使用機器にあるアイテム（内部アイテム）のアイテム名称を抽出する（Ｓ４０２）。処理部７は、ＦｒｏｍＴｏ情報登録ＤＢの１つの線番号に着目し（Ｓ４０３）、着目した線番号が接続される起点アイテム又は終点アイテムには、「内作」登録されていない（図３２における「内作」マーキング枠６６８においてマーキングされていない）機器内で電線と接続されるアイテムが存在するか否か判定する（Ｓ４０４）。このＳ４０４の判定において、その起点アイテム又は終点アイテムが、「内作」登録されていない機器内のアイテムと判定した場合（Ｙｅｓ）、その機器に関連付けられたアイテム及び線番号に関するデータ（ＦｒｏｍＴｏ情報）を判定対象から除外して以降の処理が進められる（Ｓ４０５）。これにより他社でチェックされる配線をエラー判定の対象から除外することができる。さらに、Ｓ４０４の判定において、着目した線番号が接続される起点アイテム又は終点アイテムには、「内作」登録されていない機器内のアイテムではないと判定した場合（Ｎｏ）、又はＳ４０５の処理後、処理部７は、着目した線番号について、ＦｒｏｍＴｏ情報登録に登録された情報が２本以上存在するか否かを判定する（Ｓ４０６）。Ｓ４０６の判定において、着目した線番号についてＦｒｏｍＴｏ情報登録に登録された情報が複数存在しなかった場合（Ｎｏ）、着目線番号を次の線番号とし（Ｓ４０７）、処理部７はＳ４０３〜Ｓ４０６の処理を行う。
【０３２９】
Ｓ４０５の判定において、ＦｒｏｍＴｏ情報登録に、着目した線番号が複数本登録されていた場合（Ｙｅｓ）、処理部７は、本判定のために「内作」登録されていない機器に対して、ＦｒｏｍＴｏ情報登録ＤＢの起点アイテム名又は終点アイテム名を機器名に置き換える（Ｓ４０８）。ここで処理部７は、「内作」登録されている機器についてはアイテム名を機器名に置き換えることなく処理を進める。そのため、アイテム名と機器名とがＦｒｏｍＴｏ情報に混在する場合がある。また、「内作」する機器のアイテムについては、アイテム単位で単独配線エラーの判定が行われることになる。
【０３３０】
次に、処理部７は、線番号が同じ複数のＦｒｏｍＴｏ情報（Ｓ４０６参照）の中で、一つのＦｒｏｍＴｏ情報に着目し、その着目したＦｒｏｍＴｏ情報の起点アイテム（起点機器）又は終点アイテム（終点機器）と同じ起点アイテム（起点機器）又は終点アイテム（終点機器）を有するＦｒｏｍＴｏ情報が、着目した以外のＦｒｏｍＴｏ情報の中に存在するか否か判定する（Ｓ４０９）。この判定の結果、存在が確認された場合（Ｙｅｓ）、処理部７は、該当するＦｒｏｍＴｏ情報に着目し（Ｓ４１０）、その該当するＦｒｏｍＴｏ情報の中で既にグループ分けされてグループのフラグが付されたＦｒｏｍＴｏ情報が存在するか否か判定する（Ｓ４１１）。なお、グループ分けは、異なるグループナンバーを付すことで行われる。
【０３３１】
Ｓ４１１において、グループのフラグが付されたＦｒｏｍＴｏ情報は存在しなかった場合（Ｎｏ）、又はＳ４０９における判定でＮｏの判定であった場合、処理部７は、Ｓ４０９の判定基準に該当したＦｒｏｍＴｏ情報に対し、新たなグループ分けのためのグループフラグを付す（Ｓ４１２）。なお、グループフラグのナンバーとしては、１、２、３…と順に整数の番号が付される。一方、Ｓ４１１において、グループのフラグが付されたＦｒｏｍＴｏ情報が存在した場合（Ｙｅｓ）、処理部７は、そのフラグナンバーと同じナンバーを、他のグループのフラグが付されていないＦｒｏｍＴｏ情報に付す（Ｓ４１３）。
【０３３２】
Ｓ４１２又はＳ４１３においてグループ分けフラグをＦｒｏｍＴｏ情報に付すと、処理部７は、他のＦｒｏｍＴｏ情報の中で、グループ分けフラグを付されていないＦＴ情報は存在するか否か判定する（Ｓ４１４）。そして、グループ分けフラグを付されていないＦｒｏｍＴｏ情報が存在する場合（Ｙｅｓ）、処理部７は、別グループを形成する線番号を検索するため、グループ分けフラグが付されていないＦｒｏｍＴｏ情報に着目（Ｓ４１５）してＳ４０９に戻り、Ｓ４０９〜Ｓ４１４の処理を繰り返す。このようにして、処理部７は、グループ分けフラグを付されていないＦｒｏｍＴｏ情報が存在しなくなるまで、Ｓ４０９〜Ｓ４１４の処理を繰り返す。
【０３３３】
処理部７は、Ｓ４１４においてグループ分けフラグを付されていないＦｒｏｍＴｏ情報が存在しないと判定すると（Ｎｏ）、グループ分けされた結果、グループ分けフラグから複数のグループが存在するか否か判定する（Ｓ４１６）。その結果、複数のグループが存在すると判定した場合、処理部７はＳ４０６において着目した線番号に関し、エラーコードW00005の「単独配線エラー」と判定する（Ｓ４１７）。
【０３３４】
Ｓ４０３〜Ｓ４１７では、一つの線番号に着目してエラーコードＷ００００５の「単独配線エラー」を判定した。そこで、処理部７は、未確認の線番号が存在するか否かを判定し（Ｓ４１８）、未確認の線番号が存在する場合（Ｙｅｓ）、Ｓ４０３に戻り、未確認の線番号の中から次の一つの線番号に着目し、Ｓ４０３〜Ｓ４１７の処理を繰り返す。このようにして、処理部７は、未確認の線番号が存在しなくなるまでＳ４０３〜Ｓ４１７の処理を繰り返し、各線番号の「単独配線エラー」を判定する。Ｓ４１８において未確認の線番号が存在しなくなると、処理部７は、Ｓ４１７において「単独配線エラー」と判定した線番号を抽出（Ｓ４１９）し、処理を終了する。
【０３３５】
Ｗ００００１〜Ｗ００００５全てのエラー判定が終了すると、処理部７は、データの突合せごとに判定されたエラーコードとエラー内容を、「エラー結果」１０５７の表示枠「エラーコード」１０６９及び「エラー内容」１０７０に表示させる。ユーザは、「確認データ突合せ」画面１０５０に表示された「エラー内容」１０７０を参照し、エラーを解消すべく、配線図及びツナギ図を確認しつつ、適宜画面を開き登録すべき情報を入力、変更、登録する操作を行う。
【０３３６】
「エラースルー」１０７１は、エラーごとに、表示枠１０６９，１０７０に表示されたエラー内容がユーザによって了解され、特段の見直しを要しない場合にユーザによってマーキングされる。マーキングは操作部８のマウスを用いてクリックされることにより行われる。「エラースルー」１０７１にマーキングされた情報は、再度「突合」１０５６がクリックされることによりデータが突合されエラー判定が行われても、処理部７によって表示枠１０５７に表示されないよう処理される。
【０３３７】
スクロールバー１０７３は、「エラー結果」表示枠１０５７に表示される情報をスクロールするために表示される。
【０３３８】
「登録」ボタン１０７５は、処理部７によって、「エラースルー」１０７１の情報を確認データ突合せＤＢに登録させるためのボタンである。また、「終了」ボタン１０７６は、処理部７によって「確認データ突合せ」画面１０５０を終了させ、「配線データ入力」画面７５０を表示させるためのボタンである。
【０３３９】
（３−ｅ）  「結線検索・確認」系画面
図５３に示す「結線検索・確認」画面１０８０は、「確認データ突合せ」画面１０５０でのデータ突合せの結果、エラーと判定された原因となった確認用線データ入力ＤＢ及びＦｒｏｍＴｏ情報登録ＤＢに登録された情報を修正した後に、機器又はアイテムの接続部に接続された電線の他端はどの機器又はアイテムの接続部に接続されているのかを確認する等のために用いられる。「結線検索・確認」画面１０８０は、図３５に示す「配線データ入力」選択メニュー画面７５０の「結線検索・確認」ボタン７６４がクリックされることにより表示される。この「結線検索・確認」画面１０８０は、図４に示す表示階層の「結線検索・確認」６０に相当する。
【０３４０】
「結線検索・確認」画面１０８０の画面上側には、図３５の入力枠７５１，７５２に入力された提供先企業の略語と車両の略号とが表示される「形式」１０８１と、図３５の入力枠７５３に入力された車両の名称が表示される入力枠１０８２と、図３５の入力枠７５４に入力された工作号が表示される「工作号」１０８３とが表示される。「大」マーキング枠１０８５及び「中」マーキング枠１０８６は、画面の大きさを大サイズ又は中サイズに合わせて切り替えるボタンである。入力枠１０８１，１０８２，１０８３の下側には、次の入力枠が表示される。
「車種」１０８８：「形式」１０８１，１０８２で特定される車両の車種（プルダウンメニューにより選択可能：必須項目：赤）
「機器名略号」１０９０：検索の対象とする機器名略号
「機器名称」１０９１：検索の対象とする機器名称
「確定」マーキング枠１０９３：結線情報が確定された機器を検索対象とする場合にマーキングする枠
「未確定」マーキング枠１０９４：結線情報が未確定の機器を検索対象とする場合にマーキングする枠
【０３４１】
「検索」ボタン１０９７は、「形式」１０８１，１０８２及び「工作号」１０８３で特定される車両であって、入力枠１０８８〜１０９４に入力された情報に該当する機器に関する結線情報を処理部７によって、確認用線データ入力ＤＢが参照され、表示枠１０９９に表示させるためのボタンである。表示枠１０９９には、次の情報がリスト状に表示される。
「選」１１００：リストされた情報を選択するマーキング
「機器名略号」１１０１：機器名の略号
「追番」１１０２：同一機器略号を複数使用したいときに、機器名称略号と共に使用される番号
「機器名称」１１０３：機器の名称
「車種」１１０４：車両の車種
「種別」１１０５：車種の種別
「外部結線」１１０６：入力枠１１０１，１１０３で特定される機器に外部結線が施される場合に「○」とマーキングされる。
「内部結線」１１０７：入力枠１１０１，１１０３で特定される機器に内部結線が施される場合に「○」とマーキングされる。
「確定」１１０８：結線情報が確定された場合に「確定」と表示される。
「追加」７９８：追加版数
「削除」７９９：削除版数
【０３４２】
表示枠１０９９内の表は、スクロールバー１１１２によってスクロールされるようになっている。
【０３４３】
「外部結線登録」ボタン１１１４は、処理部７によって確認用線データ入力ＤＢ及びＦｒｏｍＴｏ情報登録ＤＢから外部結線に関する情報を読み出させ、その情報を図５４に示す「外部結線登録」画面１１２０に合わせて表示させるためのボタンである。「内部結線登録」ボタン１１１５は、処理部７によって確認用線データ入力ＤＢ及びＦｒｏｍＴｏ情報登録ＤＢから内部結線に関する情報を読み出させ、その情報を図５５に示す「内部結線登録」画面１１５０に合わせて表示させるためのボタンである。なお、図３２の「使用機器登録」画面６５０において「内作」６６８のマーキングがされている使用機器の情報が存在している場合、その使用機器の情報が「内部結線登録」画面１１５０に表示される対象となる。
【０３４４】
「確定」ボタン１１１７は、表示枠１０９９に表示された結線情報を「確定」させるためのボタンであり、「解除」ボタン１１１８は、結線情報の「確定」を解除するためのボタンである。また、「終了」ボタンは、処理部７によって「結線検索・確認」画面１０８０を終了させ、図３５に示す「配線データ入力」画面７５０を表示させるためのボタンである。
【０３４５】
図５４に示す「外部結線登録」画面１１２０は、図５３に示す「結線検索・確認」画面１０８０の「外部結線登録」ボタン１１１４がクリックされることによって表示される画面である。「外部結線登録」画面１１２０は、図４に示す表示階層の「外部結線登録」６１に相当する。
【０３４６】
「外部結線登録」画面１１２０の画面上側には、図５３の入力枠１０８１に入力された提供先企業の略語と車両の略号とが表示される「形式」１１２１と、図５３の入力枠１０８２に入力された車両の名称が表示される入力枠１１２２と、図５３の入力枠１０８３に入力された工作号が表示される「工作号」１１２３とが表示される。「大」マーキング枠１１２４及び「中」マーキング枠１１２５は、画面の大きさを大サイズ又は中サイズに合わせて切り替えるボタンである。また、入力枠１１２１〜１１２５の下側には、機器及び車種を特定するための次の入力枠が表示される。
「機器」の入力枠１１２７：機器名略号（図５３の表示枠１１０１に対応）
「機器」の入力枠１１２８：追番（図５３の表示枠１１０２に対応）
「機器」の入力枠１１２９：機器名称（図５３の表示枠１１０３に対応）
「車種」の入力枠１１３０：車種（図５３の表示枠１１０４に対応）
【０３４７】
表示枠１１３５には、入力枠１１２７〜１１３０によって特定される機器に関し、次の外部結線情報がＦｒｏｍＴｏ情報登録ＤＢ及び確認用線データ入力ＤＢから読み取られリスト状に表示される。
「接続部名称」１１３６：入力枠１１２７〜１１２９で特定される機器の接続部の名称
「ポジション」１１３７：接続部にある接続ピンの位置
「線番号」１１３８：配線される電線の線番号
「電線種類−サイズ名称−芯線色−シールドＮｏ．−行先アイテム−名称」１１３９：表示枠１１３８に表示される線番号で特定される電線の電線種類、サイズ名称、芯線色、シールドＮｏ．、行先アイテム名称（電線の他端が接続されるアイテムの名称）
【０３４８】
なお、「単線表示」ボタン１１３２は、処理部７によってＦｒｏｍＴｏ情報登録ＤＢが参照される際に、ＦｒｏｍＴｏ情報登録ＤＢにおいて、該当する線番号又はポジションに対して１つのＦｒｏｍＴｏ情報（「起点アイテム」−「線番号」−「終点アイテム」）が登録されている情報を選択させ、表示枠１１３５に表示させるためのボタンである。一方、「単線非表示」ボタン１１３３は、処理部７によってＦｒｏｍＴｏ情報登録ＤＢが参照される際に、ＦｒｏｍＴｏ情報登録ＤＢにおいて、該当する線番号又はポジションに対して２つ以上のＦｒｏｍＴｏ情報（「起点アイテム」−「線番号」−「終点アイテム」）が登録されている情報を選択させ、表示枠１１３５に表示させるためのボタンである。「単線非表示」ボタン１１３３をマーキングしたうえで表示枠１１３５に結線情報を表示させることで、１つのポジションに対して複数のＦｒｏｍＴｏ情報が登録されている結線情報がわかるので、ＦｒｏｍＴｏ情報を１つに選択することができる。
【０３４９】
「仮登録」ボタン１１４１は、「電線種類−サイズ名称−芯線色−シールドＮｏ．−行先アイテム−名称」１１３９の表示枠において、１つのポジションに対し、２以上の「電線種類−サイズ名称−芯線色−シールドＮｏ．−行先アイテム−名称」のパターンを選択するも、編集作業途中でそれまで行った選択を一時的に保存するためのボタンである。この「仮登録」ボタン１１４１によって、仮登録されている外部結線は図５３の「外部結線」１１０６に三角印が表示される。また、「登録」ボタン１１４２は、１つのポジションに対して「電線種類−サイズ名称−芯線色−シールドＮｏ．−行先アイテム−名称」１１３９にある選択肢を全て表示させた後に、いずれかの選択肢の情報を登録するためのボタンである。なお、この２つの「仮登録」ボタン１１４１，「登録」ボタン１１４２は、結線情報が未確定のものがある場合に表示されるようになっている。「終了」ボタン１１４３は、処理部７によって「外部結線登録」画面１１２０を終了させ、図５３の「結線検索・確認」画面１０８０を表示させるためのボタンである。
【０３５０】
図５５に示す「内部結線登録」画面１１５０は、図５３に示す「結線検索・確認」画面１０８０の「内部結線登録」ボタン１１１５がクリックされることによって表示される画面である。この「内部結線登録」画面１１５０は、図４に示す表示階層の「内部結線登録」６２に相当する。
【０３５１】
「内部結線登録」画面１１５０の画面上側には、「外部結線登録」画面１１２０と同様に、図５３の入力枠１０８１に入力された提供先企業の略語と車両の略号とが表示される「形式」１１５１と、図５３の入力枠１０８２に入力された車両の名称が表示される入力枠１１５２と、図５３の入力枠１０８３に入力された工作号が表示される「工作号」１１５３とが表示される。「大」マーキング枠１１５５及び「中」マーキング枠１１５６は、画面の大きさを大サイズ又は中サイズに合わせて切り替えるボタンである。また、入力枠１１２１〜１１２５の下側には、機器及び車種を特定するために次の入力枠が表示される。
「機器」の入力枠１１５８：機器名略号（図５３の表示枠１１０１に対応）
「機器」の入力枠１１５９：追番（図５３の表示枠１１０２に対応）
「機器」の入力枠１１６０：機器名称（図５３の表示枠１１０３に対応）
「車種」１１６１（図５３の表示枠１１０４に対応）
【０３５２】
表示枠１１６３には、入力枠１１５８〜１１６０によって特定される機器に関し、次の内部結線情報がＦｒｏｍＴｏ情報登録ＤＢ及び確認用線データ入力ＤＢから読み取られリスト状に表示される。
「順序−接続部名称−ポジション」１１６４：起点アイテムの順序、接続部名称、及びポジション
「線番号」１１６５：配線される電線の線番号
「親線番号」１１６６：表示枠１１６５に表示される電線の親線の線番号
「電線種類」１１６７：配線される電線の種類
「サイズ名称」１１６８：電線のサイズを識別する記号
「芯線色−シールドＮｏ．」１１６９：電線の芯線の色とシールドＮｏ
「順序−接続部名称−ポジション」１１７０：終点アイテムの順序、接続部名称、及びポジション
【０３５３】
ここで、結線情報が未確定のものがある場合には、図５４における「仮登録」ボタン１１４１，「登録」ボタン１１４２と同じ機能を有する「仮登録」ボタン及び「登録」ボタンが、「終了」ボタン１１７２に表示される。そして、内部結線情報を、仮登録又は登録することができるようになっている。「終了」ボタン１１７２は、処理部７によって「内部結線登録」画面１１７２を終了させ、図５３の「結線検索・確認」画面１０８０を表示させるためのボタンである。
【０３５４】
（３−ｆ）  「系統検索・登録」系画面
図５６に示す「系統検索・登録」画面１１８０は、系統検索・登録ＤＢに登録された情報が読み込まれ表示される画面である。この「系統検索・登録」画面１１８０は、図５３に示す「結線検索・確認」画面１０８０において結線情報が確定された情報について、その結線情報に登録された電線がどのような経路に配線されるかを系統検索・登録ＤＢに登録するための画面である。「系統検索・登録」画面１１８０では、起点アイテム（機器）、終点アイテム（機器）及び回路属性が同じ電線であれば同一の経路に配線されるものとみなされ、系統検索・登録ＤＢに登録される。また、「系統検索・登録」画面１１８０は、配線経路の途中に配管、電線管やダクト等、電線を配線するためには断面積の制約がある箇所について配線された電線の断面積が配管やダクトの断面積に占める割合、つまり占積率の検証にも用いられる。
【０３５５】
図５６に示す「系統検索・登録」画面１１８０は、図３５に示す「配線データ入力」選択メニュー画面７５０の「系統検索・登録」ボタン７６５がクリックされることにより表示される画面である。この「系統検索・登録」画面１１８０は、図４に示す表示階層の「系統検索・登録」６３に相当する。
【０３５６】
「系統検索・登録」画面１１８０の画面上側には、図３５の入力枠７５１，７５２に入力された提供先企業の略語と車両の略号とが表示される「形式」１１８１と、図３５の入力枠７５３に入力された車両の名称が表示される入力枠１１８２と、図３５の入力枠７５４に入力された工作号が表示される「工作号」１１８３とが表示される。「大」マーキング枠１１８９及び「中」マーキング枠１１９０は、画面の大きさを大サイズ又は中サイズに合わせて切り替えるボタンである。さらに、入力枠１１８１〜１１８３の画面下側には、次のデータが表示される。
「車種」１１８５：入力枠１１８１，１１８２で特定される車両に属する車種（プルダウンメニューにより選択可能：必須項目：赤）
「回路属性」１１８６，１１８７：電線が接続される電気部品・回路の属性
「着目部位」１１９２，１１９３：電線の配線状況を確認するために着目する機器が配置される部位
「着目機器」１１９５：着目部位に配置される着目機器の略号
入力枠１１９６：「着目機器」１１９５の追番
入力枠１１９７：「着目機器」１１９５の機器名
「？」ボタン１１９８：着目機器を「アイテム名称一覧」（図３９参照）から検索するためのボタン
「相手側部位」１２００，１２０１：着目機器が電線を介して接続される相手側の機器が配置される部位
「相手側機器」１２０３：着目機器が電線を介して接続される相手側の機器の略号
入力枠１２０４：「相手側機器」１２０３の追番
入力枠１２０５：「相手側機器」１２０５の機器名
「？」ボタン１２０６：相手側機器を「アイテム名称一覧」（図３９参照）から検索するためのボタン
「未登録」マーキング枠１２０８：系統番号が「未登録」であることを検索条件とするためのマーキング枠
「登録済」マーキング枠１２０９：系統番号が「登録済」であることを検索条件とするためのマーキング枠
「系統名」１２１１，１２１２：部位内において検索する系統の範囲を入力する枠（「登録済」マーキング枠１２０９がマークされたときにのみ表示される）
【０３５７】
「検索」ボタン１２１４は、入力枠１１８１〜１１８３で特定される車両のうち、入力枠１１８５で特定される車種のうち、入力枠１１８６〜１２１２に表示された情報に該当する配線情報を、処理部７によって系統検索・登録ＤＢから検索させ、表示枠１２１５に表示させるためのボタンである。検索の結果、表示枠１２１５には、次の情報がリスト状に表示される。
「選」１２１６：リストされた情報を選択するマーキング
「系統名」１２１７：部位内において電線が配線される系統を示す記号
「着目機器名略号」１２１８：着目した機器の略号
「着目機器追番」１２１９：着目した機器の追番
「着目機器名称」１２２０：着目した機器の名称
「着目接続部」１２２１：着目した機器の接続部
「着目部位」１２２２：着目した部位
「回路属性」１２２３：電線が接続される電気部品・回路の属性
「相手側機器名略号」１２２４：着目機器が電線を介して接続される相手側の機器の略号
【０３５８】
その他、「相手側機器追番」「相手側機器名称」等が表示される。また、スクロールバー１２２６，１２２７は、表示枠１２１６に表示される情報をスクロールするために表示される。
【０３５９】
表示枠１２１６下側にある「全て選択」ボタン１２２９は、表示枠１２１５に表示されている情報をすべて選択し、「選」マーキング枠１２１６のすべてにマーキングするためのボタンである。「全クリア」ボタン１２３０は「選」マーキング枠１２１６をすべてクリアするためのボタンである。いずれも、処理部７がクリック操作を受けて処理する。この「選」マーキング枠１２１６は「系統名」１２１７に系統番号を採番する系統を選択する際にマーキングされる他、「取消」ボタン１２３２、「確定」ボタン１２３７、又は「解除」ボタン１２３８と併用される。つまり、「選」マーキング枠１２１６がマーキングされた系統が「取消」ボタン１２３２をクリックされることで系統名が消去されるように処理部７によって処理される。また、「選」マーキング枠１２１６がマーキングされた系統が「確定」ボタン１２３７をクリックされることでその系統情報が確定され、系統検索・登録ＤＢに登録されるように処理部７によって処理される。「選」マーキング枠１２１６がマーキングされた系統が「解除」ボタン１２３８をクリックされることでその系統情報の確定が解除されるように処理部７によって処理される。
【０３６０】
「系統参照・分割」ボタン１２３３は、図５７又は図７７に示す「系統参照・分割」画面１２４０を表示させるためのボタンである。「経路登録」ボタン１２３４は、図５８に示す「系統経路登録」画面１２８０を表示させるためのボタンである。また、「詳細情報」ボタン１２３５は、図５９に示す「詳細情報」画面１３１０を表示させるためのボタンである。
【０３６１】
「終了」ボタン１２３９は、処理部７によって「系統検索・登録」画面１１８０を終了させ、図３５に示す「配線データ入力」画面７５０を表示させるためのボタンである。
【０３６２】
図５６は、「登録済」１２０９がマークされた場合の「系統検索・登録」画面１１８０であったが、図７６は、「未登録」ボタン１２０８がマークされた場合の「系統検索・登録」画面である。図７６に示すように、「未登録」マーキング枠１２０８がマークされたときには、入力枠「系統頭文字」１２１０Ａ、入力枠「開始番号」１２１０Ｂ、「採番」ボタン１２１０Ｃが表示される。これらの１２１０Ａ〜１２１０Ｃの使用方法について説明する。まず、入力枠１１９２，１１９５等への入力により、車種、着目機器等で採番したい機器を絞り込み、「系統頭文字」１２１０Ａに系統名の頭文字を、「開始番号」１２１０Ｂに開始番号を入力し、「採番」ボタン１２１０Ｃをクリックする。すると、処理部７は、「系統頭文字」１２１０Ａ及び入力枠「開始番号」１２１０Ｂに入力された系統名を系統検索登録ＤＢから検索し、表示枠１２１５に検索されたリストを表示する。その表示状態で、「選」欄１２１６にチェックを入れ、「登録」ボタン１２３６をクリックすると、処理部７によって選択された情報が採番されることになる。
【０３６３】
図５７又は図７７に示す「系統参照・分割」画面１２４０は、図５６に示す「系統検索・登録」画面１１８０の「系統参照・分割」ボタン１２３３がクリックされることによって表示される画面である。この「系統参照・分割」画面１２４０は、図４に示す表示階層の「系統参照・分割」６４に相当する。
【０３６４】
「系統参照・分割」画面１２４０の画面上側には、図５６の「系統検索・登録」画面１１８０に対応して次の情報が系統検索・登録ＤＢから読み取られ表示される。
「形式」の入力枠１２４１（図５６の入力枠１１８１に対応）
「形式」の入力枠１２４２（図５６の入力枠１１８２に対応）
「工作号」１２４３（図５６の入力枠１１８３に対応）
「大」マーキング枠１２４５：画面の大きさを大サイズに合わせて切り替えるボタン
「中」マーキング枠１２４６：画面の大きさを中サイズに合わせて切り替えるボタン
「系統名」１２４８：車両内の系統名（図５６の表示枠１２１７に対応）
「車種」１２４９：「形式」１２４１，１２４２で特定される車両に属する車種（図５６の入力枠１１８５に対応）
「着目機器」１２５０：電線の配線状況を確認するために着目する機器の略号（図５６の入力枠１１９５，表示枠１２１８に対応）
「着目機器」１２５１：着目機器の追番（図５６の入力枠１１９６，表示枠１２１９に対応）
「着目機器」１２５２：着目機器の名称（図５６の入力枠１１９７，表示枠１２２０に対応）
「相手側機器」１２５５：着目機器が電線を介して接続される相手側の機器の略号（図５６の入力枠１２０３，表示枠１２２４に対応）
「相手側機器」１２５６：相手側機器の追番（図５６の入力枠１２０４に対応）
「相手側機器」１２５７：相手側機器の名称（図５６の入力枠１２０５に対応）
【０３６５】
「系統参照・分割」画面１２４０の画面中段の表示枠１２６０には、配線情報が表示される。すなわち、入力枠１２４１〜１２４９で特定される車種、系統であって、入力枠１２５０〜１２５２で特定される着目機器から入力枠１２５５〜１２５７で特定される相手側機器に配線される電線の系統情報として、系統検索・登録ＤＢから読み出され表示枠１２６０に表示される情報は、次の情報である。
「選」１２６１：リストされた情報を選択するマーキング
「線番号」１２６２：着目機器に接続される線の線番号
「親線番号」１２６３：接続される線の親線の線番号
「着目接続部」１２６４：電線が接続される着目機器の接続部
「着目ポジション」１２６５：電線が接続される着目接続部内のポジション（ピン）の位置
「電線種類」１２６６：配線される電線の種類
「電線サイズ」１２６７：電線のサイズを識別する名称
「相手側接続部」１２６８：電線が接続される相手側機器の接続部
「相手側ポジション」１２６９：電線が接続される相手側接続部内のポジション（ピン）の位置
「追加」１２７０：追加版数
「削除」１２７１：削除版数
【０３６６】
ここで、系統が未確定である場合、「系統参照・分割」画面１２４０の画面下段には、「系統分割」マーキング枠１２７３及び「系統移動」マーキング枠１２７４が表示される。系統を分割するときは、「系統分割」マーキング枠１２７３をマーキングする。すると、「分割先系統名」選択枠１２７５が表れる。そして、系統を分割したい配線情報の「選」１２６１にマーキングしたうえ、「分割先系統名」選択枠１２７５で分割したい先の系統名を指定し、「登録」ボタン１２７７をクリックする。すると、処理部７は、選択された配線情報を指定された系統名へ分割する。作業終了後は、「終了」ボタン１２７８をクリックすることにより、図５６に示す「系統検索・登録」画面１１８０に戻る。
【０３６７】
一方、系統を移動する場合について、図７７を参照して説明する。この操作は、既に系統番号が登録されているもののうち、他の系統へ移動させたい時に行われる。したがって、起点／終点機器名が同一であることが条件となる。まず、「系統移動」マーキング枠１２７４をマーキングする。すると、「移動先系統名」選択枠１２７６が表れる。この「移動先系統名」選択枠１２７６には、処理部７によって、移動可能な系統名がプルダウンメニューに表示されるため、その中から移動先の系統名を指定する。さらに、移動させたい配線情報の「選」１２６１をマーキングし、「登録」ボタン１２７７をクリックする。すると、処理部７は、選択された配線情報を指定された系統名へ移動させる。作業終了後は、「終了」ボタン１２７８をクリックすることにより、図５６に示す「系統検索・登録」画面１１８０に戻る。
【０３６８】
図５８に示す「系統経路登録」画面１２８０は、図５６に示す「系統検索・登録」画面１１８０の「経路登録」ボタン１２３４がクリックされることによって表示される画面である。「系統経路登録」画面１２８０は、図４に示す表示階層の「系統経路登録」６５に相当する。「系統経路登録」画面１２４０の画面上側には、図５６に対応して次の情報が系統検索・登録ＤＢから処理部７によって読み取られ各入力枠に表示される。
「形式」の入力枠１２８１：提供先企業の略語と車両の略号（図５６の入力枠１１８１に対応）
「形式」の入力枠１２８２：車両の名称（図５６の入力枠１１８２に対応）
「工作号」１２８３：工作号（図５４の入力枠１１８３に対応）
「系統名」１２８５：車両内の系統名（図５６の表示枠１２１７に対応）
「車種」１２８６：車両に属する車種（図５６の入力枠１１８５に対応）
【０３６９】
また、入力枠１２８１〜１２８６の下側には、機器及び車種を特定するために次の入力枠が表示される。
「起点機器の設定」欄１２８７：起点機器を設定する欄（必須項目：赤）
マーキング欄１２８８：入力枠１２８９，１２９０に表示される機器を起点機器として設定するマーキング欄
マーキング欄１２９１：入力枠１２９２，１２９３に表示される機器を起点機器として設定するマーキング欄
「部位」１２９５，１２９６：車両内の部位（必須項目：赤）
「経路名」１２９７：部位内の経路の名称（必須項目：赤）
【０３７０】
表示枠１３００には、入力枠１２８１〜１２９７で特定される車両、系統、車種、起点機器における部位及び経路に関する情報が、処理部７によって系統検索・登録ＤＢから読み取られ表示される。表示枠１３００に表示される情報は次の情報である。
「順序」１３０１：経路の順序
「経路名」１３０２：電線を敷設する経路の略号
「記事」１３０３：経路を識別する情報等、経路に関する特記事項
「部位」１３０４：部位の名称
【０３７１】
「終了」ボタン１３０５は、処理部７に「系統経路登録」画面１２８０を終了させ、図５６に示す「系統検索登録」画面１１８０を表示させるためのボタンである。
【０３７２】
図５９に示す「詳細情報」画面１３１０は、図５６に示す「系統検索・登録」画面１１８０の「詳細情報」ボタン１２３５がクリックされて表示される画面である。この「詳細情報」画面１３１０は、図４に示す表示階層の「詳細情報」６６に相当する。「詳細情報」画面１３１０の画面上側には、図５６に対応して次の情報が系統検索・登録ＤＢから処理部７によって読み取られ各表示枠に表示される。
「形式」の表示枠１３１１：提供先企業の略語と車両の略号（図５６の入力枠１１８１に対応）
「形式」の表示枠１３１２：車両の名称（図５６の入力枠１１８２に対応）
「工作号」１３１３：工作号（図５６の入力枠１１８３に対応）
「系統名」１３１８：車両内の系統名（図５６の表示枠１２１７に対応）
「車種」１３１９：車両に属する車種（図５６の入力枠１１８５に対応）
「着目機器」１３２１：着目する機器の略号（図５６の入力枠１１９５，表示枠１２１８に対応）
「着目機器」１３２２：着目機器の追番（図５６の入力枠１１９６，表示枠１２１９に対応）
「着目機器」１３２３：着目機器の名称（図５６の入力枠１１９７，表示枠１２２０に対応）
「相手側機器」１３２５：着目機器が電線を介して接続される相手側の機器の略号（図５６の入力枠１２０３，表示枠１２２４に対応）
「相手側機器」１３２６：相手側機器の追番（図５６の入力枠１２０４に対応）
「相手側機器」１３２７：相手側機器の名称（図５６の入力枠１２０５に対応）
【０３７３】
なお、「大」マーキング枠１３１５及び「中」マーキング枠１３１６は、画面の大きさを大サイズ又は中サイズに合わせて切り替えるボタンである。
【０３７４】
入力枠１３１１〜１３２７で特定される車種、車種、系統の着目機器と相手側機器との間の配線に関する配線情報として、系統検索・登録ＤＢから読み出され表示枠１３３０に表示される情報は、次の情報である。
「選」１３３１：リストされた情報を選択するマーキング
「線番号」１３３２：着目機器に接続される線の線番号
「親線番号」１３３３：接続される線の親線の線番号
「着目接続部」１３３４：電線が接続される着目機器の接続部
「着目ポジション」１３３５：電線が接続される着目接続部内のポジションの位置
「電線種類」１３３６：配線される電線の種類
「電線サイズ」１３３７：電線のサイズを識別する名称
「相手側接続部」１３３８：電線が接続される相手側機器の接続部
「相手側ポジション」１３３９：電線が接続される相手側接続部内のポジション（ピン）の位置
【０３７５】
「複合名称」表示枠１３４５は、ツイストケーブルや複合ケーブルなど、１本の電線に複数の芯線を有する電線に関する情報を一覧表示させ、あるいは登録するために用いられる。一覧表示させるための要件として次の入力枠が表示される。
「名称」１３４６：電線の名称（必須要件：赤）
「条件」１３４７：電線の条件（必須要件：赤）
「購入品」マーキング欄１３４９：電線を購入する場合にマーキングする欄
「機器付属」マーキング欄１３５０：電線が機器に付属している場合にマーキングする欄
「メーカ支給品」マーキング欄１３５１：電線が電気部品メーカから支給される場合にマーキングする欄
「ユーザ支給品」マーキング欄１３５２：車両提供先のユーザから支給される場合にマーキングする欄
「内作」マーキング欄１３５３：自社内で電線のツイスト作業を行う場合にマーキングする欄
【０３７６】
これらの入力枠に一覧表示させるための要件を入力し、「一覧」ボタン１３５５をクリックする。すると、処理部７は、系統検索・登録ＤＢを参照し要件に該当する電線を読み出して、既に登録されている複合ケーブルやツイストケーブルの情報をリスト状に表示させる。リスト表示される一覧表では、同じ電線に含まれる複数の芯線等を１つの電線として取り扱うように登録する操作ボタンがあり、その操作ボタンによって操作された電線を関連付けて系統検索・登録ＤＢに登録されるようになっている。
【０３７７】
表示枠１３６０には、処理部７によって演算された各経路における占積率が表示される。この表示枠１３６０に表示される情報は次の情報である。
「経路名」１３６１：経路の名称
「電線断面積合計」１３６２：経路に敷設される各電線の断面積の合計
「経路断面積」１３６３：経路（配管・ダクト）の断面積
表示枠１３６４：種別（＃１〜＃５）ごとの占積率
【０３７８】
ここで、各経路における占積率の見方について説明する。図５９の画面例では、表示枠１３１２〜１３２７及び表示枠１３３０に示すように、着目機器であるブレーキ制御装置ＢＣＵと相手側機器である遮断器盤ＮＦＢＰとの間には２本の電線が配線される。これらの電線の線番号は１２１８ａ及び２８８であり、着目機器の接続部（着目接続部）はＣＮ１、相手側機器の接続部（相手側接続部）はＴＢ２である。また、線番号１２１８ａ，２８８の着目機器のポジションはそれぞれ０５，０３であり、相手側機器のポジションはそれぞれ１３，０２である。さらに、表示枠１３６０に示すように、着目機器であるブレーキ制御装置ＢＣＵと相手側機器である遮断器盤ＮＦＢＰとの間の系統には、４つの経路Ｐ００３，Ｄ０８２，Ｄ０８４，ＵＰ２９４が存在し、それぞれの経路に配管又はダクトが配置される。
【０３７９】
図６０は、図５９の画面例に示される配線状況を簡単にモデル化した配線モデル図である。図６０に示すように、ブレーキ制御装置ＢＣＵと遮断器盤ＮＦＢＰとの間には、線番号１２１８ａ，２８８の２本の電線が配線されている。線番号１２１８ａの電線は、ブレーキ制御装置ＢＣＵの接続部ＣＮ１の０５ポジションから遮断器盤ＮＦＢＰの接続部ＴＢ２の１３ポジションまで、４つの経路Ｐ００３，Ｄ０８２，Ｄ０８４，ＵＰ２９４を通って配線されている。線番号２８８の電線は、ブレーキ制御装置ＢＣＵの接続部ＣＮ１の０３ポジションから遮断器盤ＮＦＢＰの接続部ＴＢ２の０２ポジションまで、４つの経路Ｐ００３，Ｄ０８２，Ｄ０８４，ＵＰ２９４を通って配線されている。また、各経路Ｐ００３，Ｄ０８２，Ｄ０８４，ＵＰ２９４の配管又はダクトには、この他の装置例えば装置Ａ、装置Ｂなど種々の機器から配線された電線が収容されている。したがって、各経路の配管又はダクトに収容される電線の本数も異なっており、各経路の配管又はダクトの占積率も異なる。
【０３８０】
表示枠１３６０では、１つの系統における各経路の電線断面積の合計が表示枠１３６２に表示され、各経路の経路断面図が表示枠１３６３に表示され、各経路の占積率が車種ごとに表示枠１３６４に表示されるのである。
【０３８１】
この占積率の演算について図６１のフローチャートを参照して説明する。まず、系統名、経路名、形状記号、許容占積率を抽出する（Ｓ５０１）。すなわち、処理部７（占積率演算手段、比較手段）は、図５９に表示される「系統名」（入力枠１３１８）及び「経路名」（入力枠１３６１）を系統検索・登録ＤＢ（電線収容情報データベース）から読み取り、車種登録ＤＢから読み取った「経路名」に対応付けられて登録された「形状記号」（図２１の入力枠４２７、図２２の入力枠４４８参照）及び「許容占積率」（図２１の入力枠４２８、図２２の入力枠４４９参照）を抽出する。
【０３８２】
次に、処理部７は、系統検索・登録ＤＢを参照して、系統名毎に登録されたＦｒｏｍＴｏ情報から線番号及び電線種類名称を抽出すると共に、電線台帳登録ＤＢ（電線情報データベース）を参照して電線種類名称に対応して登録された計算用サイズ（電線の断面積）を抽出する（Ｓ５０２）。さらに、処理部７は、系統名毎に登録されたＦｒｏｍＴｏ情報を経路名別に分け、経路ごとに、電線種類名称から各種電線種類それぞれの本数を算出する（Ｓ５０３）。そして処理部７は、経路ごとに算出された各種電線種類の本数と、各電線種類の計算用サイズ（電線の断面積）を基に、その経路に配置される配管・ダクトに収容される電線の総面積を算出する。
【０３８３】
次に、処理部７は、車種登録ＤＢを参照して、経路に関連して登録されている配線・ダクトの形状記号を読み取り（図２２、入力枠４４７，４４８参照）、さらに配管ダクト台帳登録ＤＢ（電線収容路データベース）を参照して、その形状記号に関連付けられて登録されている配管・ダクトの有効断面積を抽出する（Ｓ５０５）。さらに処理部７は、次の式（１）に示すように、電線の総面積及び配管・ダクトの有効断面積に基づいて経路の占積率を求める。
経路の占積率[％]＝(電線の総面積)÷(配管・ダクトの有効断面積)×100  （１）
【０３８４】
処理部７は、求めた経路の占積率と許容占積率とを比較し、経路の占積率が許容占積率以下であるか否か判定する（Ｓ５０７）。経路の占積率が許容占積率以下ではなかった場合（Ｎｏ）、経路の占積率は許容占積率をオーバーしていると判定し、系統検索・登録ＤＢに記憶し（Ｓ５０８）、Ｓ５０９へ進む。この判定結果は後述する占積率のリスト出力において利用され、占積率を赤く表示することで警告表示される。なお、Ｓ５０７において、経路の占積率が許容占積率以下であった場合（Ｙｅｓ）は、そのままＳ５０９へ進む。
【０３８５】
Ｓ５０９において、処理部７は、経路の占積率が算出されていない経路が存在するか否か判定する。経路の占積率が算出されていない経路が存在した場合（Ｙｅｓ）、Ｓ５０５に戻り、その経路についての占積率を求めるためＳ５０５〜５０８の処理が繰り返される。このようにして、経路の占積率が算出されていない経路が存在しなくなるまでＳ５０５〜５０８の処理は繰り返されて終了する。このようにして、算出された各経路の占積率は、図５９の表示枠１３６４に表示される。
【０３８６】
（４）リスト出力系画面
「リスト出力」系画面は、各データベースに登録された情報をリスト状に表示させる画面であり、形式に関する情報をリスト表示する画面、及び台帳に関する情報をリスト表示する画面がある。「リスト出力」系画面を表示させるには、図６のメインメニュー画面において、「リスト出力」ボタン９４をクリックする。すると、処理部７は、そのクリック操作信号を受け、図６２に示す「リスト出力」選択メニュー画面１３７０を表示させる。この「リスト出力」選択メニュー画面１３７０は図５に示す表示階層の「リスト出力」７０に相当する。「リスト出力」選択メニュー画面１３７０の「形式関連」を選択するメニュー欄１３７１には、リスト出力させる条件として車両を特定する「形式」１３７２（鉄道車両の提供先企業略号），１３７３（車両を識別する略号）、「版数」１３７４，「車種」１３７５の入力枠が表示されている。「形式関連」１３７１のリスト出力を表示させるときには、入力枠１３７２〜１３７５に必要な情報を入力し、任意のメニューをクリックする。以下、各画面について説明する。
【０３８７】
（４−ａ）  「配線図リスト出力」画面
図６３に示す「配線図リスト出力」画面１４００は、図６２に示す「リスト出力」選択メニュー画面１３７０の「配線図リスト」ボタン１３８０をクリックすることにより表示される。この「配線図リスト出力」画面１４００は、図５に示す表示階層の「配線図リスト」７１に相当する。「配線図リスト出力」画面１４００には、処理部７によって形式登録ＤＢの配線図リストＤＢから読み出される配線図に関する情報が表示される。「配線図リスト出力」画面１４００の画面上側には、次の情報が表示される。
「形式」の入力枠１４０１：鉄道車両の提供先企業略号（図６２の入力枠１３７２に対応：必須項目：赤）
「形式」の入力枠１４０２：車両を識別する略号（図６２の入力枠１３７３に対応）
「形式」の入力枠１４０３：車両の名称
「車種」１４０４：車両に属する車種（必須項目且つキー項目：青）
「帳票名称」１４０５：配線図が管理される帳票の名称
「図面番号」１４０６：配線図に付される図面番号
「注意事項」１４０８：配線図に関する注意事項
「配布先」１４１０：配線図を配布する先
「部数」１４１１：配布する配線図の部数
【０３８８】
さらに表示枠１４１３には、入力枠１４０３〜１４０６で特定される配線図に関して、次の情報が処理部７によって配線図リストＤＢから読み出され、リスト状に表示される。
「工作号」１４１４：配線図の工作号
「出図年月日」１４１５：配線図を出図した年月日
「版数」１４１６：配線図の版数
「訂正記号」１４１７：配線図の訂正に関する記号
「記事」１４１８：配線図に関する特記事項
「承認」１４１９：配線図の承認者名
「審査」１４２０：配線図の審査者名
「作成」１４２１：配線図の作成者名
【０３８９】
リスト表示させる配線図情報として、表示枠１４１３に表示された配線図の履歴から最新の配線図情報を選択することができ、過去の配線図情報を選択することもできる。
【０３９０】
「社名変更」ボタン１４２３は、配線図リストを表示させる上で、社名を変更するためのボタンである。「出力」ボタン１４２６は、「配線図リスト出力」画面１４００に表示された情報を紙面印刷させるためのボタンである。すなわち、「出力」ボタン１４２６がクリックされると、処理部７は「配線図リスト出力」画面１４００に表示された情報をプリンターに出力しプリンターに印刷を指示する。「プレビュー」ボタン１４２５は、「出力」ボタン１４２６によって紙印刷する前に、印刷イメージを表示部９に表示させるためのボタンである。なお、印刷するにあたって、表示枠１４１３の「承認」１４１９、「審査」１４２０、「作成」１４２１に氏名を表示させて印刷する場合には、「履歴に名前を表示」マーキング欄１４２４にマーキングする。「キャンセル」ボタン１４２７は、「出力」ボタン１４２６をクリックしたことによるプリンターへの印刷指示をキャンセルするためのボタンである。
【０３９１】
「終了」ボタン１４２８は、「配線図リスト出力」画面１４００を終了させ、図６２に示す「リスト出力」メニュー選択画面１３７０を表示させるためのボタンである。
【０３９２】
（４−ｂ）  「線番号順リスト出力」画面
図６４に示す「線番号順リスト出力」画面１４３０は、図６２に示す「リスト出力」選択メニュー画面１３７０の「線番号順リスト」ボタン１３８１をクリックすることにより表示される。この「線番号順リスト出力」画面１４３０は、図５に示す表示階層の「線番号順リスト」７２に相当する。「線番号順リスト出力」画面１４３０には、処理部７によって形式登録ＤＢから読み出される次の情報が表示される。
「形式」の入力枠１４３１：鉄道車両の提供先企業略号（図６２の入力枠１３７２に対応：必須項目：赤）
「形式」の入力枠１４３２：車両を識別する略号（図６２の入力枠１３７３に対応）
「形式」の入力枠１４３３：車両の名称
「版数」１４３４：配線図の版数（必須項目：赤）
「車種」１４３５：車両に属する車種（必須項目：赤）
「線番号」１４３６：電線の番号
【０３９３】
また、入力枠１４３８は、リスト表示させたデータを格納するファイル先を、ディレクトリを含めて入力する欄である。「…」ボタン１４３９は、そのディレクトリを選択するために、コンピュータのディレクトリ構造を階層状に表示させるためのボタンである。
【０３９４】
「出力」ボタン１４４１は、入力枠１４３１〜１４３６に入力された電線に該当する電線を線番号順にリスト表示させるためのボタンである。「出力」ボタン１４４１がクリックされると、処理部７は形式登録ＤＢを参照し登録された線番号を読み取り、読み取った線番号に関連する情報のファイルを作成する。作成されたファイルの情報は、電線の確認や確認データ突合せ（図４４参照）においてエラーが発生した接続情報の確認に参照される。
【０３９５】
「終了」ボタン１４４２は、「線番号順リスト出力」画面１４３０を終了させ、図６２に示す「リスト出力」メニュー選択画面１３７０を表示させるためのボタンである。
【０３９６】
（４−ｃ）  「機器毎線番号順リスト出力」画面
図６５に示す「機器毎線番号順リスト出力」画面１４５０は、図６２に示す「リスト出力」選択メニュー画面１３７０の「機器毎線番号順リスト」ボタン１３８２をクリックすることにより表示される。この「機器毎線番号順リスト出力」画面１４５０は、図５に示す表示階層の「機器毎線番号順リスト」７３に相当する。「機器毎線番号順リスト出力」画面１４５０には、処理部７によって形式登録ＤＢから読み出される次の情報が表示される。
「形式」の入力枠１４５１：鉄道車両の提供先企業略号（図６２の入力枠１３７２に対応：必須項目：赤）
「形式」の入力枠１４５２：車両を識別する略号（図６２の入力枠１３７３に対応）
「形式」の入力枠１４５３：車両の名称
「版数」１４５４：配線図の版数（必須項目：赤）
「車種」１４５５：車両に属する車種（必須項目：赤）
「機器」１４５６，１４５７，１４５８：機器の略号、追番、名称
【０３９７】
また、入力枠１４６０はリスト表示させたデータを格納するファイル先を、ディレクトリを含めて入力する欄である。「…」ボタン１４６１は、そのディレクトリを選択するために、コンピュータのディレクトリ構造を階層状に表示させるためのボタンである。
【０３９８】
「出力」ボタン１４６３は、入力枠１４５１〜１４５８に入力された車両の車種に使用される機器に接続される電線を線番号順にリスト表示させるためのボタンである。「出力」ボタン１４６３がクリックされると、処理部７は形式登録ＤＢを参照し該当する線番号を読み取り、読み取った線番号に関連する情報のファイルを作成する。作成されたファイルの情報は、機器毎に接続される電線の確認や確認データ突合せ（図４４参照）においてエラーが発生した接続情報の確認に参照される。
【０３９９】
「終了」ボタン１４６４は、「機器毎線番号順リスト出力」画面１４５０を終了させ、図６２に示す「リスト出力」メニュー選択画面１３７０を表示させるためのボタンである。
【０４００】
（４−ｄ）  「経路別占積率リスト出力」画面
図６６に示す「経路別占積率リスト出力」画面１４７０は、図６２に示す「リスト出力」選択メニュー画面１３７０の「経路別占積率リスト」ボタン１３８３をクリックすることにより表示される。この「経路別占積率リスト出力」画面１４７０は、図５に示す表示階層の「経路別占積率リスト」７４に相当する。「経路別占積率リスト出力」画面１４７０には、次の情報が表示される。
「形式」の入力枠１４７１：鉄道車両の提供先企業略号（図６２の入力枠１３７２に対応：必須項目：赤）
「形式」の入力枠１４７２：車両を識別する略号（図６２の入力枠１３７３に対応）
「形式」の入力枠１４７３：車両の名称
「版数」１４７４：配線図の版数（必須項目：赤）
「車種」１４７５：車両に属する車種（必須項目：赤）
【０４０１】
また、入力枠１４７７は、リスト表示させたデータを格納するファイル先を、ディレクトリを含めて入力する欄である。「…」ボタン１４７８は、そのディレクトリを選択するために、コンピュータのディレクトリ構造を階層状に表示させるためのボタンである。
【０４０２】
「出力」ボタン１４８０は、入力枠１４７１〜１４７５に入力された情報によって特定される車種において、経路毎に占積率をリスト状に表示させるためのボタンである。「出力」ボタン１４８０がクリックされると、処理部７は、図６１に示すフローチャートに従って演算された占積率が登録される系統検索・登録ＤＢを参照し、特定され車種における各配管・ダクトの占積率を読み出し、読み取った配管・ダクトの占積率データのファイルを作成する。この占積率データは設計の検証に役立ち、事前に過剰配線を防止するための資料となる。
【０４０３】
図６７は、「経路別占積率リスト出力」画面１４７０の「出力」ボタン１４８０がクリックされて作成されたファイルの経路別占積率リストの出力結果である。出力条件は、「経路別占積率リスト出力」画面１４７０の入力枠１４７１〜１４７５に示すように、車両は“東急車輛  １０００系車両”、「版数」は“０００１”、「車種」は“Ｔsd“である。図６７に示すように経路別占積率リストには、次の情報が、系統検索・登録ＤＢから読み取られ印刷される。
「部位名」１４８０Ａ
「経路名」１４８０Ｂ
「記事」１４８０Ｃ：経路の起点・終点を示している
「種別」１４８０Ｄ
「電線面積」１４８０Ｅ：経路に配線される各電線の断面積の合計
「配管・ダクト」１４８０Ｆ：経路に設置される配管又はダクトの断面積
「占積率（％）」１４８０Ｇ：配管又はダクトの断面積に対する各電線の断面積の合計の割合
表示列１４８０Ｈ：配管又はダクトの断面積に対する電線毎の断面積の割合
【０４０４】
なお、処理部７（占積率出力手段）は、「占積率（％）」１４８０Ｇにおける占積率が許容占積率を越えている場合、その占積率を越えていない占積率の表示色と異なる色で表示、印刷させる。例えば、許容占積率以内の占積率は黒字、許容占積率を超えている占積率は赤字で目立つように表示、印刷させるとよい。このように許容占積率を超えている占積率を処理部７によって報知されることで、ユーザに配線の再検討を促すことができる。
【０４０５】
図６６に戻り、「終了」ボタン１４８１は、「経路別占積率リスト出力」画面１４７０を終了させ、図６２に示す「リスト出力」メニュー選択画面１３７０を表示させるためのボタンである。
【０４０６】
（４−ｅ）  「使用電線長・質量リスト出力」画面
図６８に示す「使用電線長・質量リスト出力」画面１４９０は、図６２に示す「リスト出力」選択メニュー画面１３７０の「使用電線長・質量リスト」ボタン１３８４をクリックすることにより表示される。この「使用電線長・質量リスト出力」画面１４９０は、図５に示す表示階層の「使用電線長・質量リスト」７５に相当する。使用電線登録ＤＢから処理部７によって読み取られ「使用電線長・質量リスト出力」画面１４９０に表示される情報として、次の情報が表示される。
「形式」の入力枠１４９１：鉄道車両の提供先企業略号（図６２の入力枠１３７２に対応：必須項目：赤）
「形式」の入力枠１４９２：車両を識別する略号（図６２の入力枠１３７３に対応）
「形式」の入力枠１４９３：車両の名称
「版数」１４９４：配線図の版数（必須項目：赤）
「車種」１４９５：車両に属する車種
「電線種類・サイズ・色」１４９７：電線の種類、サイズ名、及び電線を被覆する外皮の色
【０４０７】
また、入力枠１４９８は、リスト表示させたデータを格納するファイル先を、ディレクトリを含めて入力する欄である。「…」ボタン１４９９は、そのディレクトリを選択するために、コンピュータのディレクトリ構造を階層状に表示させるためのボタンである。
【０４０８】
「出力」ボタン１５０１は、入力枠１４９１〜１４９５に入力された情報に該当する電線の電線長・質量をリスト状に表示させるためのボタンである。すなわち、「出力」ボタン１５０１がクリックされると、処理部７は使用電線登録ＤＢを参照し、入力枠１４９１〜１４９５に入力された情報によって特定される車種、電線種類・サイズ、色に該当する電線の電線長・単位長さ当たりの質量の情報を読み出し、ファイルを作成する。このファイルには、目安となる使用量（使用長さ）（図２８の表示枠５８２参照）とその長さを有する電線の質量も合わせて記憶される。この情報は設計の検証に資する。
【０４０９】
「終了」ボタン１５０２は、「使用電線長・質量リスト出力」画面１４９０を終了させ、図６２に示す「リスト出力」メニュー選択画面１３７０を表示させるためのボタンである。
【０４１０】
（４−ｆ）  「使用電線リスト出力」画面
図６９に示す「使用電線リスト出力」画面１５１０は、図６２に示す「リスト出力」選択メニュー画面１３７０の「使用電線リスト」ボタン１３８５をクリックすることにより表示される。この「使用電線リスト出力」画面１５１０は、図５に示す表示階層の「使用電線リスト」７６に相当する。「使用電線リスト出力」画面１５１０に表示される情報は次の情報である。
「形式」の入力枠１５１１：鉄道車両の提供先企業略号（図６２の入力枠１３７２に対応）
「形式」の入力枠１５１２：車両を識別する略号（図６２の入力枠１３７３に対応）
「形式」の入力枠１５１３：車両の名称
【０４１１】
また、入力枠１５１４は、リスト表示させたデータを格納するファイル先を、ディレクトリを含めて入力する欄である。「…」ボタン１５１５は、そのディレクトリを選択するために、コンピュータのディレクトリ構造を階層状に表示させるためのボタンである。
【０４１２】
「出力」ボタン１５１７は、入力枠１５１１〜１５１３に入力された情報によって特定される車両に使用される電線をリスト状に表示させるためのボタンである。すなわち、「出力」ボタン１５１７がクリックされると、処理部７は使用電線登録ＤＢを参照し、入力枠１５１１〜１５１３に入力された情報によって特定される車種に使用される電線を読み取り、表形式のウィンドウを立ち上げリスト状に表示させる。「終了」ボタン１５１８は、「使用電線リスト出力」画面１５１０を終了させ、図６２に示す「リスト出力」メニュー選択画面１３７０を表示させるためのボタンである。
【０４１３】
（４−ｇ）  「機器名テーブルリスト出力」画面
図７０に示す「機器名テーブルリスト出力」画面１５２０は、図６２に示す「リスト出力」選択メニュー画面１３７０の「機器名テーブルリスト」ボタン１３８６をクリックすることにより表示される。この「機器名テーブルリスト出力」画面１５２０は、図５に示す表示階層の「機器名テーブルリスト」７７に相当する。「機器名テーブルリスト出力」画面１５２０に表示される情報は次の情報である。
「形式」の入力枠１５２１：鉄道車両の提供先企業略号（図６２の入力枠１３７２に対応：必須項目：赤）
「形式」の入力枠１５２２：車両を識別する略号（図６２の入力枠１３７３に対応）
「形式」の入力枠１５２３：車両の名称
「版数」１５２４：配線図の版数（必須項目：赤）
【０４１４】
また、入力枠１５２６は、リスト表示させたデータを格納するファイル先を、ディレクトリを含めて入力する欄である。「…」ボタン１５２７は、そのディレクトリを選択するために、コンピュータのディレクトリ構造を階層状に表示させるためのボタンである。
【０４１５】
「出力」ボタン１５３０は、特定の車両の配線図において使用される機器、アイテムの名称等をリスト状に表示させるためのボタンである。すなわち、「出力」ボタン１５３０がクリックされると、処理部７は使用機器登録ＤＢを参照し、表形式のウィンドウを立ち上げ、入力枠１５２１〜１５２３で特定される車両で入力枠１５２４に示される版数の配線図において使用される機器、アイテムの略号、名称を読み出して、ファイルを作成する。これら情報は、特定の車両に使用される機器、アイテムを確認するために表示される。
【０４１６】
「終了」ボタン１５３０は、「機器名テーブルリスト出力」画面１５２０を終了させ、図６２に示す「リスト出力」メニュー選択画面１３７０を表示させるためのボタンである。
【０４１７】
（４−ｈ）  「部品形式リスト出力」画面
図７１に示す「部品形式リスト出力」画面１５４０は、図６２に示す「リスト出力」選択メニュー画面１３７０の「台帳関連」１３９０側に表示された「部品形式リスト」ボタン１３９１をクリックすることにより表示される。この「部品形式リスト出力」画面１５４０は、図５に示す表示階層の「部品形式リスト」７８に相当する。「部品形式リスト出力」画面１５４０に表示される情報は次の情報である。
「部品グループ」１５４１，１５４２
「回路属性」１５４３，１５４４
【０４１８】
また、入力枠１５４５は、リスト表示させたデータを格納するファイル先を、ディレクトリを含めて入力する欄である。「…」ボタン１５４６は、そのディレクトリを選択するために、コンピュータのディレクトリ構造を階層状に表示させるためのボタンである。
【０４１９】
「出力」ボタン１５４８は、入力枠１５４１〜１５４４に入力された部品グループ、回路属性に該当する部品情報をリスト状に表示させるためのボタンである。すなわち、「出力」ボタン１５４８がクリックされると、処理部７は部品形式登録ＤＢを参照し、入力枠１５４１〜１５４４に入力された部品グループ、回路属性に該当する部品情報を読み出し、読み出した情報を記憶するファイルを作成する。これらの情報は、主に部品グループ毎の部品情報の比較に役立つ。
【０４２０】
「終了」ボタン１５１８は、「使用電線リスト出力」画面１５１０を終了させ、図６２に示す「リスト出力」メニュー選択画面１３７０を表示させるためのボタンである。
【０４２１】
（４−ｉ）  「ユーザ別アイテム略号リスト出力」画面
図７２に示す「ユーザ別アイテム略号リスト出力」画面１５５０は、図６２に示す「リスト出力」選択メニュー画面１３７０の「ユーザ別アイテム略号リスト」ボタン１３９２をクリックすることにより表示される。この「ユーザ別アイテム略号リスト出力」画面１５５０は、図５に示す表示階層の「ユーザ別アイテム略号リスト」７９に相当する。「ユーザ別アイテム略号リスト出力」画面１５５０には、車両提供先である顧客の「顧客略号」１５５１の入力枠（必須項目：赤）が表示される。
【０４２２】
また、入力枠１５５２は、リスト表示させたデータを格納するファイル先を、ディレクトリを含めて入力する欄である。「…」ボタン１５５３は、そのディレクトリを選択するために、コンピュータのディレクトリ構造を階層状に表示させるためのボタンである。
【０４２３】
「出力」ボタン１５５５は、顧客ごとにその顧客の車両に使用されるアイテム、機器の略号、名称をリスト状に表示させるためのボタンである。すなわち、「出力」ボタン１５５５がクリックされると、処理部７はアイテム／機器名称登録ＤＢを参照し、表形式のウィンドウを立ち上げ、入力枠１５５１に入力された顧客略号に関連付けられたアイテムや機器の略号及び名称を読み出し、読み出した情報を記憶するファイルを作成する。これらの情報は、アイテムあるいは機器に関する新規の略号を登録する際に、先に登録された既存の略号と重複して登録しないようにするために参照される。
【０４２４】
「終了」ボタン１５５６は、「ユーザ別アイテム略号リスト出力」画面１５５０を終了させ、図６２に示す「リスト出力」メニュー選択画面１３７０を表示させるためのボタンである。
【０４２５】
（４−ｊ）  「電線管・ダクトリスト出力」画面
図７３に示す「電線管・ダクトリスト出力」画面１５７０は、図６２に示す「リスト出力」選択メニュー画面１３７０の「電線管・ダクトリスト」ボタン１３９３をクリックすることにより表示される。この「電線管・ダクトリスト出力」画面１５７０は、図５に示す表示階層の「配管・ダクトリスト」８０に相当する。「電線管・ダクトリスト出力」画面１５７０には、「配管・ダクトタイプ」１５７１，１５７２の入力枠が表示される。
【０４２６】
また、入力枠１５７４は、リスト表示させたデータを格納するファイル先を、ディレクトリを含めて入力する欄である。「…」ボタン１５７５は、そのディレクトリを選択するために、コンピュータのディレクトリ構造を階層状に表示させるためのボタンである。
【０４２７】
「出力」ボタン１５７７は、入力枠１５７１，１５７２に入力された配線・ダクトタイプに該当する電線管（配管）・ダクトをリスト状に表示させるためのボタンである。すなわち、「出力」ボタン１５７７がクリックされると、処理部７は配管・ダクト台帳登録ＤＢを参照し、入力枠１５７１，１５７２に入力された配線・ダクトタイプに該当する電線管（配管）・ダクトを読み出し、読み出した情報を記憶するファイルを作成する。これらの情報は、主に配管・ダクト台帳登録に登録されている電線管（配管）・ダクト情報を確認するために参照にされる。
【０４２８】
「終了」ボタン１５７８は、「電線管・ダクトリスト出力」画面１５７０を終了させ、図６２に示す「リスト出力」メニュー選択画面１３７０を表示させるためのボタンである。
【０４２９】
（４−ｋ）  「電線仕様書リスト出力」画面
図７４に示す「電線仕様書リスト出力」画面１５８０は、図６２に示す「リスト出力」選択メニュー画面１３７０の「電線仕様書リスト」ボタン１３９４をクリックすることにより表示される。この「電線仕様書リスト出力」画面１５８０は、図５に示す表示階層の「電線仕様書リスト」８１に相当する。「電線仕様書リスト出力」画面１５８０には、仕様を表示する電線種類を入力する「電線種類」１５８１，１５８２の入力枠が表示される。
【０４３０】
入力枠１５８４は、リスト表示させたデータを格納するファイル先を、ディレクトリを含めて入力する欄である。「…」ボタン１５８５は、そのディレクトリを選択するために、コンピュータのディレクトリ構造を階層状に表示させるためのボタンである。
【０４３１】
「出力」ボタン１５８７は、電線種類ごとにその電線の外形形状等の仕様をリスト状に表示させるためのボタンである。すなわち、「出力」ボタン１５８７がクリックされると、処理部７は電線台帳登録ＤＢを参照し、表形式のウィンドウを立ち上げ、入力枠１５８１、１５８２に入力された電線種類に該当する電線の外形形状等の仕様を読み出し、読み出した情報を記憶するファイルを作成する。これらの情報は、電線台帳登録ＤＢに登録された電線に関する仕様等の情報を確認するために参照される。
【０４３２】
「終了」ボタン１５８８は、「電線仕様書リスト出力」画面１５８０を終了させ、図６２に示す「リスト出力」メニュー選択画面１３７０を表示させるためのボタンである。
【０４３３】
（４−Ｌ）  「ＣＮ／端子配列リスト出力」画面
図７５に示す「ＣＮ／端子配列リスト出力」画面１５６０は、図６２に示す「リスト出力」選択メニュー画面１３７０の「ＣＮ／端子配列リスト」ボタン１３８７をクリックすることにより表示される。この「ＣＮ／端子配列リスト出力」画面１５６０は、図５に示す表示階層の「ＣＮ／端子配列リスト」８２に相当する。「ＣＮ／端子配列リスト出力」画面１５６０に表示される情報は次の情報である。
「形式」の入力枠１５６１：鉄道車両の提供先企業略号（図６２の入力枠１３７２に対応：必須項目：赤）
「形式」の入力枠１５６２：車両を識別する略号（図６２の入力枠１３７３に対応）
「形式」の入力枠１５６３：車両の名称
「車種」１５６４：車両に属する車種（必須項目：赤）
「機器」１５６５，１５６６，１５６７：機器の略号、追番、名称
【０４３４】
入力枠１５６９は、リスト表示させたデータを格納するファイル先を、ディレクトリを含めて入力する欄である。「…」ボタン１５７０は、そのディレクトリを選択するために、コンピュータのディレクトリ構造を階層状に表示させるためのボタンである。
【０４３５】
「出力」ボタン１５７２は、入力枠１５６１〜１５６７に入力された情報で特定される車両、車種の機器が有するコネクタ、端子を識別する名称をリスト表示させるためのボタンである。すなわち、「出力」ボタン１５７２がクリックされると、処理部７は使用機器登録ＤＢを参照し該当する機器が有するコネクタ、端子として登録されたコネクタ名、端子名を読み取り、読み出した情報を記憶するファイルを作成する。これらの情報は、機器毎にコネクタ、端子の確認のために参照される。
【０４３６】
「終了」ボタン１５７３は、「ＣＮ／端子配列リスト出力」画面１５６０を終了させ、図６２に示す「リスト出力」メニュー選択画面１３７０を表示させるためのボタンである。
【０４３７】
以上、本発明を実施形態に基づき具体的に説明したが、本発明は上記実施形態に限定されるものではない。例えばデータベースの構造は、上記実施形態で示した台帳登録ＤＢ、形式登録ＤＢ、配線データ入力ＤＢといった３つのデータベースに大別された構造でなくともよく、１つの設計支援ＤＢに総ての情報が重複登録なく、まとめられた構造であってもよく、或いは別の構成で分割されたデータベースであってもよい。また、各データベースは異なる複数のコンピュータに分散され、いずれのコンピュータによっても又はいずれかのコンピュータによって上記実施形態に示した処理を行うことができるように本装置を構成してもよい。
【０４３８】
また、機器とアイテムとを同一視できるような輸送機械を対象とするような場合、アイテムに関する登録を省略し、機器単位でデータベースを構成してもよい。この場合、ＦｒｏｍＴｏ情報登録ＤＢには、起点機器と終点機器との間に配線される電線に関する情報等を登録しておく。そして、エラー「線番号結線情報に無し」（Ｗ００００１）及び「線番号ＦｒｏｍＴｏ情報に無し」（Ｗ００００２）の判定の際には、処理部によって、確認用線データ入力ＤＢにおいて特定の機器名略号に関連付けられて登録される線番号と、ＦｒｏｍＴｏ情報登録ＤＢにおいてその特定の機器名略号と同じ機器名略号に関連付けられて登録される線番号とを照合させるとよい。これにより、確認用線データ入力ＤＢ又はＦｒｏｍＴｏ情報登録ＤＢでの線番号の登録漏れが判定される。
【０４３９】
また、エラー「許容電線サイズ超過」（Ｗ００００３）の判定の際には、処理部７は、確認用線データ入力ＤＢの特定の線番号に関連付けられて登録された接続可能サイズと、ＦｒｏｍＴｏ情報登録ＤＢにおいてその特定の線番号に関連付けられて登録された電線サイズとの大小関係を判定するとよい。また、エラー「接続可能電線本数超過」（Ｗ００００４）の判定の際には、処理部７は、確認用線データ入力ＤＢの特定の線番号に関連付けられて登録された接続可能本数を抽出し、ＦｒｏｍＴｏ情報登録ＤＢにおいてその特定の線番号が登録されたＦｒｏｍＴｏ情報の個数を算出し、そのＦｒｏｍＴｏ情報の個数と接続可能本数との大小関係を判定するとよい。
【０４４０】
また、エラー「単独配線」（Ｗ００００５）の判定の際、処理部７は、特定の線番号が登録されたＦｒｏｍＴｏ情報を抽出し、その抽出されたＦｒｏｍＴｏ情報を基に、機器を介して連続して電線が配線されるＦｒｏｍＴｏ情報毎にグループ分けを行い、複数にグループ分けされるか否かを判定するとよい。
【０４４１】
また、上記実施形態では、占積率を演算する際に使用された電線の断面積としては、登録された計算用サイズが用いられたが、処理部７によって電線の直径から断面積を算出させてもよい。さらに、上記実施形態では、輸送機械として鉄道車両を例に挙げたが、これに限らず、船舶、航空機、トレーラ等の輸送機械であってもよい。
【図面の簡単な説明】
【０４４２】
【図１】本発明に係る輸送機械設計支援装置の機能ブロック図である。
【図２】図１に示す輸送機械設計支援装置の台帳登録に関する画面の階層構造を示す図である。
【図３】図１に示す輸送機械設計支援装置の形式登録に関する画面の階層構造を示す図である。
【図４】図１に示す輸送機械設計支援装置の配線データ入力に関する画面の階層構造を示す図である。
【図５】図１に示す輸送機械設計支援装置のリスト出力に関する画面の階層構造を示す図である。
【図６】図１に示す輸送機械設計支援装置のメインメニュー画面を示す図である。
【図７】図６に示すメインメニュー画面の台帳登録ボタンが選択されて表示される台帳登録選択メニュー画面を示す図である。
【図８】図７に示す台帳登録選択メニュー画面の名称台帳登録が選択されて表示される名称台帳登録画面を示す図である。
【図９】図８に示す名称台帳登録画面の追加・変更ボタンが選択されて表示される略号／名称登録画面を示す図である。
【図１０】図７に示す台帳登録選択メニュー画面の部品形式台帳登録ボタンが選択されて表示される部品形式台帳登録画面を示す図である。
【図１１】図１０に示す部品形式台帳登録画面の追加・変更ボタンが選択されて表示される部品接点情報登録画面を示す図である。
【図１２】図７に示す台帳登録選択メニュー画面の電線台帳登録ボタンが選択されて表示される電線台帳登録画面を示す図である。
【図１３】図１２に示す電線台帳登録画面の追加・変更ボタンが選択されて表示される電線詳細登録画面を示す図である。
【図１４】図１２に示す電線詳細登録画面の追加・変更ボタンが選択されて表示される電線芯線色登録画面を示す図である。
【図１５】図７に示す台帳登録選択メニュー画面の配管・ダクト台帳登録ボタンが選択されて表示される配管・ダクト台帳登録画面を示す図である。
【図１６】図７に示す台帳登録選択メニュー画面のアイテム／機器名称台帳登録ボタンが選択されて表示されるアイテム／機器名称台帳登録画面を示す図である。
【図１７】図６に示すメインメニュー画面の形式登録ボタンが選択されて表示される形式登録画面を示す図である。
【図１８】図１７に示す形式登録画面の一覧ボタンが選択されて表示される形式一覧画面を示す図である。
【図１９】図１７に示す形式登録画面の車種登録ボタンが選択されて表示される車種登録一覧画面を示す図である。
【図２０】図１９に示す車種登録一覧画面の追加・変更ボタンが選択されて表示される車種登録画面を示す図である。
【図２１】図２０に示す車種登録画面の追加・変更ボタンが選択されて表示される部位登録画面を示す図である。
【図２２】図２１に示す部位登録画面の追加・変更ボタンが選択されて表示される経路登録画面を示す図である。
【図２３】図１７に示す形式登録画面の工作号登録ボタンが選択されて表示される工作号登録一覧画面を示す図である。
【図２４】図２３に示す工作号登録一覧画面の追加・変更ボタンが選択されて表示される工作号登録画面を示す図である。
【図２５】図１７に示す形式登録画面の図番登録ボタンが選択されて表示される図面登録一覧画面を示す図である。
【図２６】図２５に示す図面登録一覧画面の追加・変更ボタンが選択されて表示される図番登録画面を示す図である。
【図２７】図１７に示す形式登録画面の使用電線登録ボタンが選択されて表示される使用電線登録一覧画面を示す図である。
【図２８】図２７に示す使用電線登録一覧画面の電線使用量確認ボタンが選択されて表示される電線使用量確認画面を示す図である。
【図２９】図２７に示す使用電線登録一覧画面の追加・変更ボタンが選択されて表示される使用電線登録画面を示す図である。
【図３０】図１７に示す形式登録画面のデフォルト電線登録ボタンが選択されて表示されるデフォルト電線登録画面を示す図である。
【図３１】図１７に示す形式登録画面の使用機器登録ボタンが選択されて表示される使用機器登録一覧画面を示す図である。
【図３２】図３１に示す使用機器登録一覧画面の追加・変更ボタンが選択されて表示される使用機器登録画面を示す図である。
【図３３】図３２に示す使用機器登録画面のアイテムに関する追加・変更ボタンが選択されて表示される使用機器対象アイテム登録画面を示す図である。
【図３４】図３２に示す使用機器登録画面の接続部に関する追加・変更ボタンが選択されて表示される使用機器対象接続部登録画面を示す図である。
【図３５】図６の配線データ入力ボタンが選択されて表示される配線データ入力選択メニュー画面を示す図である。
【図３６】図３５に示す配線データ入力選択メニュー画面のＦｒｏｍＴｏ情報登録ボタンが選択されて表示されるＦｒｏｍＴｏ情報登録画面を示す図である。
【図３７】図３６に示すＦｒｏｍＴｏ情報登録画面の一覧ボタンが選択されて表示される図面一覧画面を示す図である。
【図３８】図３６に示すＦｒｏｍＴｏ情報登録画面の電線種類に関する検索ボタンが選択されることで表示される電線種類検索画面を示す図である。
【図３９】図３６に示すＦｒｏｍＴｏ情報登録画面のアイテムに関する検索ボタンが選択されることで表示されるアイテム名称一覧画面を示す図である。
【図４０】図３５に示す配線データ入力選択メニュー画面の電線廻し構成確認ボタンが選択されて表示される電線廻し構成確認画面を示す図である。
【図４１】図４０に示す電線廻し構成確認画面の電線廻し詳細情報ボタンが選択されて表示される電線廻し詳細情報画面を示す図である。
【図４２】図３５に示す配線データ入力選択メニュー画面の確認用線データ入力ボタンが選択されて表示される確認用データ入力画面を示す図である。
【図４３】図４２に示す確認用データ入力画面の一覧ボタンが選択されて表示される機器一覧画面を示す図である。
【図４４】図３５に示す配線データ入力選択メニュー画面の確認データ突合せボタンが選択されて表示される確認データ突合せ画面を示す図である。
【図４５】エラーコードＷ０００６の判定を示す処理フローである。
【図４６】エラーコードＷ０００１の判定を示す処理フローである。
【図４７】エラーコードＷ０００２〜Ｗ０００４の判定を示す処理フローの前半部を示す図である。
【図４８】エラーコードＷ０００２〜Ｗ０００４の判定を示す処理フローの後半部を示す図である。
【図４９】車両内の概略的な配線モデルを示す図である。
【図５０】図４９に示す配線モデルにおける単独配線エラーの判定を説明するための表である。
【図５１】エラーコードＷ０００５の判定を示す処理フローの前半部を示す図である。
【図５２】エラーコードＷ０００５の判定を示す処理フローの後半部を示す図である。
【図５３】図３５に示す配線データ入力選択メニュー画面の結線検索・確認ボタンが選択されて表示される結線検索・確認画面を示す図である。
【図５４】図５３に示す結線検索・確認画面の外部結線登録ボタンが選択されて表示される外部結線登録画面を示す図である。
【図５５】図５３に示す結線検索・確認画面の内部結線登録ボタンが選択されて表示される内部結線登録画面を示す図である。
【図５６】図３５に示す配線データ入力選択メニュー画面の系統検索・登録ボタンが選択されて表示される系統検索・登録画面を示す図であり、登録済ボタンがマーキングされたときの画面である。
【図５７】図５６に示す系統検索・登録画面の系統参照・分割ボタンが選択されて表示される系統参照・分割画面を示す図であり、系統分割ボタンがマーキングされたときの画面である。
【図５８】図５６に示す系統検索・登録画面の経路登録ボタンが選択されて表示される系統経路登録画面を示す図である。
【図５９】図５６に示す系統検索・登録画面の詳細情報ボタンが選択されて表示される詳細情報画面を示す図である。
【図６０】車両内の概略的な配線モデルを示す図である。
【図６１】占積率の演算処理フローを示すチャートである。
【図６２】図６に示すメインメニュー画面のリスト出力ボタンが選択されて表示されるリスト出力選択メニュー画面を示す図である。
【図６３】図６２に示すリスト出力選択メニュー画面の配線図リスト・ボタンが選択されて表示される配線図リスト出力画面を示す図である。
【図６４】図６２に示すリスト出力選択メニュー画面の線番号順リスト・ボタンが選択されて表示される線番号順リスト出力画面を示す図である。
【図６５】図６２に示すリスト出力選択メニュー画面の機器毎線番号順リスト・ボタンが選択されて表示される機器毎線番号順リスト出力画面を示す図である。
【図６６】図６２に示すリスト出力選択メニュー画面の経路別占積率リスト・ボタンが選択されて表示される経路別占積率リスト出力画面を示す図である。
【図６７】図６６に示す経路別占積率リスト出力画面の出力ボタンが選択されて印刷された経路別占積率リストの出力結果を示す図である。
【図６８】図６２に示すリスト出力選択メニュー画面の使用電線長・質量リスト・ボタンが選択されて表示される使用電線長・質量リスト出力画面を示す図である。
【図６９】図６２に示すリスト出力選択メニュー画面の使用電線リスト・ボタンが選択されて表示される使用電線リスト出力画面を示す図である。
【図７０】図６２に示すリスト出力選択メニュー画面の機器名テーブルリスト・ボタンが選択されて表示される機器名テーブルリスト出力画面を示す図である。
【図７１】図６２に示すリスト出力選択メニュー画面の部品形式リスト・ボタンが選択されて表示される部品形式リスト出力画面を示す図である。
【図７２】図６２に示すリスト出力選択メニュー画面のユーザ別アイテム略号リスト・ボタンが選択されて表示されるユーザ別アイテム略号リスト出力画面を示す図である。
【図７３】図６２に示すリスト出力選択メニュー画面の電線管・ダクトリスト・ボタンが選択されて表示される電線管・ダクトリスト出力画面を示す図である。
【図７４】図６２に示すリスト出力選択メニュー画面の電線仕様書リスト・ボタンが選択されて表示される電線仕様書リスト出力画面を示す図である。
【図７５】図６２に示すリスト出力選択メニュー画面のＣＮ／端子配列リスト・ボタンが選択されて表示されるＣＮ／端子配列リスト出力画面を示す図である。
【図７６】図３５に示す配線データ入力選択メニュー画面の系統検索・登録ボタンが選択されて表示される系統検索・登録画面を示す図であり、未登録ボタンがマーキングされたときの画面である。
【図７７】図５６に示す系統検索・登録画面の系統参照・分割ボタンが選択されて表示される系統参照・分割画面を示す図であり、系統移動ボタンがマーキングされたときの画面である。
【符号の説明】
【０４４３】
１…輸送機械設計支援装置、２…台帳登録ＤＢ、３…形式登録ＤＢ、４…配線データ入力ＤＢ、７…処理部、８…操作部、９…表示部。
【図１】
2005182729.tif 000003
【図２】
2005182729.tif 000004
【図３】
2005182729.tif 000005
【図４】
2005182729.tif 000006
【図５】
2005182729.tif 000007
【図６】
2005182729.tif 000008
【図７】
2005182729.tif 000009
【図８】
2005182729.tif 000010
【図９】
2005182729.tif 000011
【図１０】
2005182729.tif 000012
【図１１】
2005182729.tif 000013
【図１２】
2005182729.tif 000014
【図１３】
2005182729.tif 000015
【図１４】
2005182729.tif 000016
【図１５】
2005182729.tif 000017
【図１６】
2005182729.tif 000018
【図１７】
2005182729.tif 000019
【図１８】
2005182729.tif 000020
【図１９】
2005182729.tif 000021
【図２０】
2005182729.tif 000022
【図２１】
2005182729.tif 000023
【図２２】
2005182729.tif 000024
【図２３】
2005182729.tif 000025
【図２４】
2005182729.tif 000026
【図２５】
2005182729.tif 000027
【図２６】
2005182729.tif 000028
【図２７】
2005182729.tif 000029
【図２８】
2005182729.tif 000030
【図２９】
2005182729.tif 000031
【図３０】
2005182729.tif 000032
【図３１】
2005182729.tif 000033
【図３２】
2005182729.tif 000034
【図３３】
2005182729.tif 000035
【図３４】
2005182729.tif 000036
【図３５】
2005182729.tif 000037
【図３６】
2005182729.tif 000038
【図３７】
2005182729.tif 000039
【図３８】
2005182729.tif 000040
【図３９】
2005182729.tif 000041
【図４０】
2005182729.tif 000042
【図４１】
2005182729.tif 000043
【図４２】
2005182729.tif 000044
【図４３】
2005182729.tif 000045
【図４４】
2005182729.tif 000046
【図４５】
2005182729.tif 000047
【図４６】
2005182729.tif 000048
【図４７】
2005182729.tif 000049
【図４８】
2005182729.tif 000050
【図４９】
2005182729.tif 000051
【図５０】
2005182729.tif 000052
【図５１】
2005182729.tif 000053
【図５２】
2005182729.tif 000054
【図５３】
2005182729.tif 000055
【図５４】
2005182729.tif 000056
【図５５】
2005182729.tif 000057
【図５６】
2005182729.tif 000058
【図５７】
2005182729.tif 000059
【図５８】
2005182729.tif 000060
【図５９】
2005182729.tif 000061
【図６０】
2005182729.tif 000062
【図６１】
2005182729.tif 000063
【図６２】
2005182729.tif 000064
【図６３】
2005182729.tif 000065
【図６４】
2005182729.tif 000066
【図６５】
2005182729.tif 000067
【図６６】
2005182729.tif 000068
【図６７】
2005182729.tif 000069
【図６８】
2005182729.tif 000070
【図６９】
2005182729.tif 000071
【図７０】
2005182729.tif 000072
【図７１】
2005182729.tif 000073
【図７２】
2005182729.tif 000074
【図７３】
2005182729.tif 000075
【図７４】
2005182729.tif 000076
【図７５】
2005182729.tif 000077
【図７６】
2005182729.tif 000078
【図７７】
2005182729.tif 000079